(57)【要約】  本願の実施形態は、非ライセンススペクトルリソースにおいて信号を送信する確率を向上させるために、信号伝送方法、端末デバイス、アクセスネットワークデバイスおよび信号伝送システムを開示する。方法は、端末デバイスによって、非ライセンススペクトルにおけるチャネルの使用権が第１時点において取得されることを判定する段階であって、第１時点は時間ウィンドウにおける任意の時点であり、時間ウィンドウの開始時点は、シンボルの開始時点、または、シンボルの開始時点の前であり、時間ウィンドウの終了時点は、第２時点、または、第２時点の前であり、第２時点は、シンボルによって占有される時間内にあり、信号は、少なくとも、実際の巡回プレフィックスおよび情報セグメントを含み、実際の巡回プレフィックスの時間長は、予め設定された巡回プレフィックスの第１時間長に等しいか、または、より短く、第１時間長は、シンボルの開始時点と第２時点との間の時間の長さである、段階と、端末デバイスによって、第１時点から信号を送信する段階とを備える。
2019512949.tif 000002
【特許請求の範囲】
【請求項１】
端末デバイスが、非ライセンススペクトルにおけるチャネルの使用権が第１時点において取得されることを判定する段階であって、前記第１時点は、時間ウィンドウにおける任意の時点であり、前記時間ウィンドウの開始時点は、シンボルの開始時点、または、前記シンボルの前記開始時点の前であり、前記時間ウィンドウの終了時点は、第２時点、または、前記第２時点の前であり、前記第２時点は、前記シンボルによって占有される時間内にあり、前記シンボルは、信号を送信するために使用されるシンボルであり、前記信号は、少なくとも実際の巡回プレフィックスおよび情報セグメントを含み、前記実際の巡回プレフィックスおよび前記情報セグメントは時間的に連続し、前記実際の巡回プレフィックスは、前記情報セグメントの前であり、前記実際の巡回プレフィックスの時間長は、予め設定された巡回プレフィックスの第１時間長に等しいか、または、より短く、前記第１時間長は、前記シンボルの前記開始時点と前記第２時点との間の時間の長さである、段階と、
前記端末デバイスが前記第１時点から前記信号を送信する段階と
を備える信号伝送方法。
【請求項２】
前記実際の巡回プレフィックスの前記時間長は、前記第１時間長より短く、
前記端末デバイスが、前記第１時点から前記信号を送信する前記段階は、
前記端末デバイスが、前記第１時点から前記第２時点まで、前記信号の前記実際の巡回プレフィックスを送信する段階と、
前記端末デバイスが、前記第２時点から、前記信号の前記情報セグメントを送信する段階と
を含む、請求項１に記載の信号伝送方法。
【請求項３】
前記実際の巡回プレフィックスの前記時間長は、第２時間長に等しいか、または、より大きい、請求項２に記載の信号伝送方法。
【請求項４】
端末デバイスが、非ライセンススペクトルにおけるチャネルの使用権が第１時点において取得されることを判定する前記段階の前に、前記方法はさらに、
前記端末デバイスが、アクセスネットワークデバイスによって送信された指示情報、または、予め定められた構成に基づいて、前記第２時間長を判定する段階
を備える、請求項３に記載の信号伝送方法。
【請求項５】
前記実際の巡回プレフィックスの前記時間長は、前記第１時間長に等しく、
前記シンボルは、ガード時間長を含み、
前記時間ウィンドウの前記終了時点は、前記第２時点の前であり、前記シンボルの前記開始時点と前記時間ウィンドウの前記終了時点との間の時間長は、第３時間長に等しく、前記第３時間長は、前記第１時間長および前記ガード時間長のうちの、より小さい値より短い、
請求項１に記載の信号伝送方法。
【請求項６】
前記方法はさらに、
前記端末デバイスが、前記シンボルの前記開始時点と、前記第１時点との間の時間長についての情報を判定する段階と、
前記端末デバイスが、前記時間長の情報を前記アクセスネットワークデバイスへ送信する段階と
を備える、請求項５に記載の信号伝送方法。
【請求項７】
端末デバイスが、非ライセンススペクトルにおけるチャネルの使用権が第１時点において取得されることを判定する前記段階の前に、前記方法はさらに、
前記端末デバイスが、前記アクセスネットワークデバイスによって送信された指示情報、または、前記予め定められた構成に基づいて、前記第３時間長を判定する段階
を備える、請求項５または６に記載の信号伝送方法。
【請求項８】
端末デバイスが、非ライセンススペクトルにおけるチャネルの使用権が第１時点において取得されることを判定する前記段階の前に、前記方法はさらに、
前記端末デバイスが、前記アクセスネットワークデバイスによって送信された前記指示情報、または、前記予め定められた構成に基づいて、
前記時間ウィンドウの長さ、
前記時間ウィンドウの前記開始時点、
前記時間ウィンドウの前記終了時点、
前記シンボルの前記開始時点、
前記第２時点、および、
前記第１時間長
のうちの少なくとも１つの情報を判定する段階
を備える、請求項１から７のいずれか一項に記載の信号伝送方法。
【請求項９】
前記信号は、ロングタームエボリューションＬＴＥシステムにおける物理ランダムアクセスプリアンブル系列であり、
前記物理ランダムアクセスプリアンブル系列のフォーマットは、
フォーマット０、または、
フォーマット１、または、
フォーマット２、または、
フォーマット３、または、
フォーマット４
である、
請求項１から８のいずれか一項に記載の信号伝送方法。
【請求項１０】
アクセスネットワークデバイスが、指示情報を判定する段階であって、前記指示情報は、時間ウィンドウの長さ情報、前記時間ウィンドウの開始時点情報、前記時間ウィンドウの終了時点情報、シンボルの開始時点情報、第２時点情報、および、第１時間長情報のうちの少なくとも１つを含む、段階と、
前記アクセスネットワークデバイスが、前記指示情報を端末デバイスへ送信することにより、前記端末デバイスが、前記指示情報に基づいて、前記時間ウィンドウ、前記シンボルの前記開始時点情報、第２時点、または、予め設定された巡回プレフィックスを判定する段階と
を備える信号伝送方法。
【請求項１１】
前記指示情報はさらに、第２時間長情報または第３時間長情報を含む、請求項１０に記載の方法。
【請求項１２】
アクセスネットワークデバイスが第１セットを判定する段階であって、前記第１セットは、１つのサブフレームにおける、信号伝送のための少なくとも２つの予め設定された開始時点を含む、段階と、
前記アクセスネットワークデバイスが、第１リソースおよび第２リソースを判定する段階であって、前記第１リソースおよび前記第２リソースは、異なる周波数領域リソースであり、時間領域における、前記第１リソースおよび前記第２リソースの開始時点は両方とも第１時点であり、前記第１時点は、前記第１セットにおける時点である、段階と、
前記アクセスネットワークデバイスが、前記第１リソースを含む情報を第１端末デバイスへ送信し、前記アクセスネットワークデバイスが、前記第２リソースを含む情報を第２端末デバイスへ送信する段階と
を備え、
前記第１リソースは、第１信号を伝送するために使用され、前記第２リソースは、第２信号を伝送するために使用される、
信号伝送方法。
【請求項１３】
前記第１信号は、物理ランダムアクセスプリアンブル系列であり、前記第２信号は、サウンディング参照信号である、請求項１２に記載の方法。
【請求項１４】
第１端末デバイスが、第１リソースを含む情報を受信する段階と、
第２端末デバイスが、第２リソースを含む情報を受信する段階と、
を備え、
前記第１リソースおよび前記第２リソースは、異なる周波数領域リソースであり、時間領域における、前記第１リソースおよび前記第２リソースの開始時点は両方とも第１時点であり、前記第１時点は第１セットにおける時点であり、前記第１セットは、１つのサブフレームにおける、信号伝送のための少なくとも２つの予め設定された開始時点を含み、
前記第１端末デバイスが、前記第１時点から、前記第１リソースにおいて第１信号を送信し、前記第２端末デバイスが、前記第１時点から、前記第２リソースにおいて第２信号を送信する段階
を備える信号伝送方法。
【請求項１５】
前記第１信号は物理ランダムアクセスプリアンブル系列であり、前記第２信号はサウンディング参照信号である、請求項１４に記載の方法。
【請求項１６】
非ライセンススペクトルにおけるチャネルの使用権が第１時点において取得されることを判定するように構成され、前記第１時点は、時間ウィンドウにおける任意の時点である、処理モジュールであって、前記時間ウィンドウの開始時点は、シンボルの開始時点、または、前記シンボルの前記開始時点の前であり、前記時間ウィンドウの終了時点は、第２時点、または、前記第２時点の前であり、前記第２時点は、前記シンボルによって占有される時間内にあり、前記シンボルは、信号を送信するために使用されるシンボルであり、前記信号は、少なくとも実際の巡回プレフィックスおよび情報セグメントを含み、前記実際の巡回プレフィックスおよび前記情報セグメントは時間的に連続し、前記実際の巡回プレフィックスは、前記情報セグメントの前であり、前記実際の巡回プレフィックスの時間長は、予め設定された巡回プレフィックスの第１時間長に等しいか、または、より短く、前記第１時間長は、前記シンボルの前記開始時点と前記第２時点との間の時間の長さである、処理モジュールと、
前記第１時点から、前記信号を送信するように構成されている送信モジュールと
を備える端末デバイス。
【請求項１７】
前記実際の巡回プレフィックスの前記時間長は、前記第１時間長より短く、
前記送信モジュールは具体的には、
前記第１時点から前記第２時点まで、前記信号の前記実際の巡回プレフィックスを送信するように、および、
前記第２時点から、前記信号の前記情報セグメントを送信するように
構成されている、
請求項１６に記載の端末デバイス。
【請求項１８】
前記実際の巡回プレフィックスの前記時間長は、第２時間長に等しいか、または、より長い、請求項１７に記載の端末デバイス。
【請求項１９】
前記処理モジュールはさらに、アクセスネットワークデバイスによって送信された指示情報、または、予め定められた構成に基づいて、前記第２時間長を判定するように構成されている、請求項１８に記載の端末デバイス。
【請求項２０】
前記実際の巡回プレフィックスの前記時間長は、前記第１時間長に等しく、
前記シンボルは、ガード時間長を含み、
前記時間ウィンドウの前記終了時点は、前記第２時点の前であり、前記シンボルの前記開始時点と前記時間ウィンドウの前記終了時点との間の時間長は、第３時間長に等しく、前記第３時間長は、前記第１時間長および前記ガード時間長のうちの、より小さい値より短い、
請求項１６に記載の端末デバイス。
【請求項２１】
前記処理モジュールはさらに、前記シンボルの前記開始時点と前記第１時点との間の時間長についての情報を判定するように構成され、
前記送信モジュールはさらに、前記時間長の情報を前記アクセスネットワークデバイスへ送信するように構成されている、
請求項２０に記載の端末デバイス。
【請求項２２】
前記処理モジュールはさらに、前記アクセスネットワークデバイスによって送信された指示情報、または、前記予め定められた構成に基づいて、前記第３時間長を判定するように構成されている、請求項２０または２１に記載の端末デバイス。
【請求項２３】
前記処理モジュールはさらに、
前記アクセスネットワークデバイスによって送信された前記指示情報、または、前記予め定められた構成に基づいて、
前記時間ウィンドウの長さ、
前記時間ウィンドウの前記開始時点、
前記時間ウィンドウの前記終了時点、
前記シンボルの前記開始時点、
前記第２時点、および、
前記第１時間長
のうちの少なくとも１つの情報を判定するように構成されている、請求項１６から２２のいずれか一項に記載の端末デバイス。
【請求項２４】
前記信号は、ロングタームエボリューションＬＴＥシステムにおける物理ランダムアクセスプリアンブル系列であり、
前記物理ランダムアクセスプリアンブル系列のフォーマットは、
フォーマット０、または、
フォーマット１、または、
フォーマット２、または、
フォーマット３、または、
フォーマット４
である、
請求項１６から２３のいずれか一項に記載の端末デバイス。
【請求項２５】
指示情報を判定するように構成されている処理モジュールであって、前記指示情報は、時間ウィンドウの長さ情報、前記時間ウィンドウの開始時点情報、前記時間ウィンドウの終了時点情報、シンボルの開始時点情報、第２時点情報、および、第１時間長情報のうちの少なくとも１つを含み、
前記処理モジュールによって判定された前記指示情報を端末デバイスへ送信し、前記端末デバイスに、前記指示情報に基づいて、前記時間ウィンドウ、前記シンボルの前記開始時点情報、第２時点、または、予め設定された巡回プレフィックスを判定させるように構成されている送信モジュール
を備えるアクセスネットワークデバイス。
【請求項２６】
前記指示情報はさらに、第２時間長情報または第３時間長情報を含む、請求項２５に記載のアクセスネットワークデバイス。
【請求項２７】
第１端末デバイス、第２端末デバイスおよびアクセスネットワークデバイスを備える信号伝送システムであって、
前記アクセスネットワークデバイスは具体的には、
第１セットを判定することであって、前記第１セットは、１つのサブフレームにおける、信号伝送のための少なくとも２つの予め設定された開始時点を含む、こと、
第１リソースおよび第２リソースを判定することであって、前記第１リソースおよび前記第２リソースは、異なる周波数領域リソースであり、時間領域における、前記第１リソースおよび前記第２リソースの開始時点は両方とも第１時点であり、前記第１時点は前記第１セットにおける時点である、こと、ならびに、
前記第１リソースを含む情報を前記第１端末デバイスへ送信し、前記第２リソースを含む情報を前記第２端末デバイスへ送信すること
を行うように構成され、
前記第１端末デバイスは、前記第１リソースを含む前記情報を受信し、前記第１時点から、前記第１リソースにおいて第１信号を送信するように構成され、
前記第２端末デバイスは、前記第２リソースを含む前記情報を受信し、前記第１時点から、前記第２リソースにおいて第２信号を送信するように構成されている、
信号伝送システム。
【請求項２８】
前記第１信号は物理ランダムアクセスプリアンブル系列であり、前記第２信号はサウンディング参照信号である、請求項２７に記載の信号伝送システム。
【発明の詳細な説明】
【技術分野】
【０００１】
本発明は通信技術の分野に関連し、特に、信号伝送方法、端末デバイス、アクセスネットワークデバイスおよび信号伝送システムに関連する。
【背景技術】
【０００２】
既存のロングタームエボリューション（英文全表記：Ｌｏｎｇ  Ｔｅｒｍ  Ｅｖｏｌｕｔｉｏｎ、英文頭字語：ＬＴＥ）システムにおいて、通信事業者によって使用されるスペクトルリソースは主に、ライセンススペクトルリソースである。モバイル通信ネットワークのユーザ数が増加し、通信速度およびサービス品質に対してより高い要件がユーザによって課されるにつれて、通信事業者は非ライセンススペクトルリソースに注目し始め、非ライセンススペクトルリソースを使用することによって、ネットワーク容量のオフロードを実装すること、および、サービス品質を改善することを期待している。例えば、既存のＬＴＥ使用ライセンス補助アクセス（英文全表記：Ｌｉｃｅｎｓｅｄ‐Ａｓｓｉｓｔｅｄ  Ａｃｃｅｓｓ  Ｕｓｉｎｇ  ＬＴＥ、英文頭字語：ＬＡＡ‐ＬＴＥ）システムおよびその発展型システムにおいて、既存のＬＴＥシステムにおけるキャリアアグリゲーション（英文全表記：Ｃａｒｒｉｅｒ  Ａｇｇｒｅｇａｔｉｏｎ、英文頭字語：ＣＡ）の構成および構造が使用され、通信事業者のライセンススペクトルにおけるキャリア上の通信が基本として使用され、非ライセンススペクトルにおける複数のキャリアが構成され、ライセンスキャリアが補助として使用されて非ライセンスキャリア上で通信を実行し、その結果、非ライセンススペクトルリソースを使用することによってネットワーク容量のオフロードが実装され、さらに、ライセンスキャリア上の負荷が低減される。
【０００３】
非ライセンススペクトルリソースの使用中に最初に解決される必要がある問題は、リソース競合である。既存のＬＡＡ‐ＬＴＥシステムにおいて使用されるリソース競合方法は、リッスンビフォアトーク（英文全表記：Ｌｉｓｔｅｎ  Ｂｅｆｏｒｅ  Ｔａｌｋ、英文頭字語：ＬＢＴ）と称される。ＬＢＴの基本概念は、以下の通りである。チャネル上で信号を送信する前に、各通信デバイスはまず、現在のチャネルがアイドル状態かどうか、言い換えれば、近くのノードがチャネル上で信号を送信していることを検出できるかどうかを検出する必要がある。この検出プロセスは、クリアチャネルアセスメント（英文全表記：Ｃｌｅａｒ  Ｃｈａｎｎｅｌ  Ａｓｓｅｓｓｍｅｎｔ、英文頭字語：ＣＣＡ）と称される。チャネルがアイドル状態であることを期間内に検出した場合、通信デバイスは信号を送信し得る。または、チャネルが占有されていることを検出した場合、通信デバイスは信号を現在送信できない。
【０００４】
競合方式ＬＢＴがＬＡＡ‐ＬＴＥ通信システムまたは同様の通信システムに適用されるとき、新しい問題が生じ得る。ＬＡＡ‐ＬＴＥシステムを例として使用すると、ＬＡＡ‐ＬＴＥシステムはＬＴＥシステムにおけるフレーム構造を引き継いでいるので、フレーム構造が比較的固定的であり、フレーム境界、サブフレーム境界またはシンボル境界が、時間的に固定される。言い換えれば、ＬＡＡ‐ＬＴＥシステムについては、フレーム境界、サブフレーム境界またはシンボル境界は、時間的に、判定された時点に対応する。信号は、サブフレーム境界またはシンボル境界に対応する時点のみから送信される。通信デバイスのＬＢＴ検出結果が、予め定められた信号送信時点においてチャネルが占有されているというものである場合、通信デバイスは、予め定められた信号送信時点においてチャネル上で信号を送信できない。その結果、従来技術において、信号が非ライセンススペクトルにおけるチャネル上で送信されるとき、信号の送信確率は比較的小さい。
【発明の概要】
【０００５】
本発明の実施形態は、信号伝送方法、端末デバイス、アクセスネットワークデバイスおよび信号伝送システムを提供し、これにより、非ライセンススペクトルリソースにおいて信号が送信されるとき、信号の送信時点はシンボル境界に限定されず、期間中の任意の時点において信号を送信することができる。したがって、従来技術と比較すると、非ライセンススペクトルリソースにおいて信号が送信される確率が向上する。
【０００６】
これに鑑み、第１態様によれば、本願の実施形態は、信号伝送方法を提供する。具体的な動作プロセスは、以下のように説明される。端末デバイスによって、非ライセンススペクトルにおけるチャネルの使用権が、時間ウィンドウのセグメントにおける任意の時点において取得されるかどうかを判定し、時間ウィンドウの開始時点は、シンボルの開始時点であるか、または、シンボルの開始時点以前であり、時間ウィンドウの終了時点は、第２時点であるか、または、第２時点以前であり、第２時点は、シンボルによって占有される時間内にあり、シンボルは、少なくとも実際の巡回プレフィックスおよび情報セグメントを含む信号を送信するために使用され、実際の巡回プレフィックスおよび情報セグメントは時間的に連続し、実際の巡回プレフィックスは、情報セグメントの前であり、実際の巡回プレフィックスの時間長は、予め設定された巡回プレフィックスの第１時間長に等しいか、または、より短く、第１時間長は、シンボルの開始時点と第２時点との間の時間の長さであり、端末デバイスによって、第１時点から信号を送信する。
【０００７】
上述の説明から理解できるように、本願のこの実施形態において、非ライセンススペクトルリソースにおけるチャネルの使用権が取得されるとき、非ライセンススペクトルリソースにおいて、非ライセンススペクトルにおけるチャネル上で信号が送信されるとき、信号の送信時点は、シンボル境界に限定されず、信号は、期間における任意の時点において送信でき、それにより、従来技術と比較すると、非ライセンススペクトルリソースにおいて、非ライセンススペクトルにおけるチャネル上で信号を送信する確率が向上する。
【０００８】
可能な設計において、信号の実際の巡回プレフィックスの時間長は、第１時間長より短く、端末デバイスが、第１時点から信号を送信する段階は、端末デバイスが、第１時点から第２時点まで、信号の実際の巡回プレフィックスを送信する段階と、端末デバイスが、第２時点から、信号の情報セグメントを送信する段階とを含む。
【０００９】
一方、本願のこの実施形態において、第１時点から信号を送信する具体的な方式が提供され、解決法の実行可能性を提供する。言い換えれば、端末デバイスは、第１時点から第２時点までの期間において、時間の長さが予め設定された巡回プレフィックスより短い、信号の巡回プレフィックスを送信できる。当該巡回プレフィックスが実際の巡回プレフィックスである。端末デバイスは、第２時点から、信号の情報セグメント部分を送信する。
【００１０】
可能な設計において、実際の巡回プレフィックスの時間長は、第２時間長に等しいか、または、より長いことが保証される必要がある。
【００１１】
好ましくは、実際の適用において、巡回プレフィックスの主な機能は、信号伝送の往復時間、および、信号伝送中のマルチパス干渉によって生じる、信号復調性能に対する影響を克服することであることを考慮して、第２時間長は、端末デバイスとアクセスネットワークデバイスとの間の信号伝送の最大往復時間長と、最大チャネル遅延スプレッドとの和に等しいか、または、より長い。
【００１２】
任意で、第２時間長がセルにおけるすべてのユーザについて均一に判定され得ることを考慮すると、第２時間長は、端末デバイスのセルにおける端のユーザとアクセスネットワークデバイスとの間の信号伝送の最大往復時間長と、起こり得る最大チャネル遅延スプレッドとの和に等しいか、または、より大きい。
【００１３】
上述の説明から理解できるように、本願のこの実施形態において、送信される信号の巡回プレフィックスの時間長が、端末デバイスとアクセスネットワークデバイスとの間の信号伝送の最大往復時間長と最大チャネル遅延スプレッドとの和より大きいことが保証される。実際の適用において、信号伝送の往復時間、および、信号伝送中のマルチパス干渉によって生じる信号復調性能への影響が克服され、それにより、本願のこの実施形態の技術的解決法の実行可能性を保証する。さらに、第２時間長は、具体的には、セル端の端末デバイスと、アクセスネットワークデバイスとの間の信号伝送の最大往復時間長と、起こり得る最大チャネル遅延スプレッドとの和に等しいか、または、より長く、第２時間長は、セル端の端末デバイスを基準として使用することによって構成され、それにより、端末デバイスが成功裏に信号を送信できることを保証する。
【００１４】
可能な設計において、端末デバイスが非ライセンススペクトルにおけるチャネル使用権を取得する前に、好ましくは、端末デバイスは、アクセスネットワークデバイスによって送信された指示情報に基づいて、第２時間長を判定し得る。
【００１５】
任意で、第２時間長は、端末デバイス自体の予め定められた構成に基づいて判定される。
【００１６】
本願のこの実施形態において、第２時間長を判定する２つの方式が提供され、それにより、本願のこの実施形態の多様性および実行可能性を向上させる。
【００１７】
可能な設計において、実際の巡回プレフィックスの時間長は、第１時間長に等しく、シンボルは、ガード時間長を含み、時間ウィンドウの終了時点は、第２時点の以前であり、シンボルの開始時点と時間ウィンドウの終了時点との間の時間長は第３時間長に等しく、第３時間長は、第１時間長およびガード時間長のうちの、より小さい時間長より短い。
【００１８】
言い換えれば、上述の説明から理解できるように、本願のこの実施形態において、この設計では、端末デバイスが信号を送信するとき、時間領域リソースの送信は、時間領域リソースの予め設定された送信と比較すると、遅延することが可能になる。しかしながら、遅延時間が過剰に長い場合、アクセスネットワークデバイスが伝送信号に対して実行する復調に影響を与えるだけでなく、当該信号の後の信号の伝送にも影響を与える。したがって、シンボルの開始時点と、時間ウィンドウの終了時点との間の時間長が第３時間長に等しくなるように、限定が課される。言い換えれば、この方式において、端末デバイスが信号を送信するときの最大遅延時間は第３時間長であり、第３時間長は、予め設定された巡回プレフィックスの時間長より短いことが可能になる。言い換えれば、本願のこの実施形態において、信号送信機会が向上し、同時に、信号送信機会の向上によって生じる、アクセスネットワークデバイスによる信号復調の結果に対する影響が減少する。
【００１９】
上述の実施形態を参照すると、可能な設計において、端末デバイスは、シンボルの開始時点と、第１時点との間の時間長についての情報を判定し、判定された時間長情報をアクセスネットワークデバイスへ報告し得る。
【００２０】
本願のこの実施形態において、アクセスネットワークデバイスは、端末デバイスの往復伝送時間、言い換えれば、タイミングアドバンス（英文全表記：Ｔｉｍｉｎｇ  Ａｄｖａｎｃｅ、英文頭字語：ＴＡ）を推定するとき、遅延の時間長を減算し得て、これにより、端末デバイスの実際のＴＡ情報を取得し、取得されたＴＡ情報を端末デバイスへ送信する。端末デバイスは、遅延の時間長が減算されたタイミングアドバンスを取得し、タイミングアドバンスに基づいてアップリンク信号伝送を実行でき、それにより、遅延した送信によって生じる影響を低減する。
【００２１】
任意で、端末デバイスは、信号送信が遅延する第１時点と、シンボルの開始時点との間の時間長についての情報をアクセスネットワークデバイスに報告しないことがあり得るが、受信された、アクセスネットワークデバイスによって送信されたＴＡ情報から取得された時間長から遅延の時間長を減算することにより、端末デバイスの実際のＴＡ情報を取得することに留意すべきである。次に、端末デバイスは、タイミングアドバンスに基づいてアップリンク信号伝送を実行し得て、それにより、送信遅延によって生じる影響を低減する。
【００２２】
可能な設計において、非ライセンススペクトルにおけるチャネル使用権が第１時点に取得されることを端末デバイスが判定する前に、端末デバイスは、アクセスネットワークデバイスによって送信された指示情報、または、予め定められた構成に基づいて、第３時間長を判定し得る。
【００２３】
本願のこの実施形態において、第３時間長を判定する２つの方式が提供され、それにより、本願のこの実施形態の多様性および実行可能性が向上する。
【００２４】
可能な設計において、非ライセンススペクトルにおけるチャネル使用権が第１時点において取得されることを端末デバイスが判定する前に、端末デバイスは、アクセスネットワークデバイスによって送信された指示情報、または、予め定められた構成に基づいて、以下の情報のうちの少なくとも１つを判定し得る。
時間ウィンドウの長さ
時間ウィンドウの開始時点
時間ウィンドウの終了時点
シンボルの開始時点
第２時点
第１時間長
【００２５】
言い換えれば、本願のこの実施形態において、端末デバイスは、解決法の実行可能性および多様性を判定するために、時間ウィンドウの長さなどの情報を複数の方式で判定し得る。
【００２６】
可能な設計において、上述の解決法における信号は、ロングタームエボリューションＬＴＥシステムにおける物理ランダムアクセスプリアンブル系列であり得て、さらに、物理ランダムアクセスプリアンブル系列のフォーマットは、具体的には、フォーマット０、または、フォーマット１、または、フォーマット２、または、フォーマット３、または、フォーマット４であり得る。
【００２７】
本願のこの実施形態における信号伝送方法において、信号は具体的には、物理ランダムアクセスプリアンブル系列であり得る。上述の実施形態における信号伝送方法を使用することによって、ランダムアクセスプリアンブル系列が非ライセンススペクトルリソースにおいて非ライセンススペクトルにおけるチャネル上で送信されるとき、ランダムアクセスプリアンブル系列の送信時点は、フレーム境界、サブフレーム境界またはシンボル境界に限定されず、ランダムアクセスプリアンブル系列は、期間内の任意の時点に送信できる。従来技術と比較すると、ランダムアクセスプリアンブル系列を送信する機会が向上する。言い換えれば、ランダムアクセスプリアンブル系列が非ライセンススペクトルリソースにおいて非ライセンススペクトルにおけるチャネル上で送信されるとき、シーケンスアクセス機会が向上する。
【００２８】
第２態様によると、本願の実施形態は、信号伝送方法を提供する。詳しく説明すると、方法は、アクセスネットワークデバイスが、指示情報を判定する段階であって、指示情報は、時間ウィンドウの長さ情報、時間ウィンドウの開始時点情報、時間ウィンドウの終了時点情報、シンボルの開始時点情報、第２時点情報、および、第１時間長情報のうちの少なくとも１つを含む、段階と、アクセスネットワークデバイスが、指示情報を端末デバイスへ送信することにより、端末デバイスが、指示情報に基づいて、時間ウィンドウ、シンボルの開始時点情報、第２時点、または、予め設定された巡回プレフィックスを判定する段階とを備える。
【００２９】
本願のこの実施形態において、アクセスネットワークデバイスは、指示情報を端末デバイスへ送信し得て、これにより、端末デバイスは、指示情報に基づいて、時間ウィンドウ、シンボルの開始時点情報、第２時点、または、予め設定された巡回プレフィックスを判定する。
【００３０】
可能な設計において、指示情報はさらに、第２時間長情報または第３時間長情報を含む。
【００３１】
第３態様によれば、本願の実施形態は、信号伝送方法を提供する。詳しく説明すると、方法は、アクセスネットワークデバイスが第１セットを判定する段階であって、第１セットは、１つのサブフレームにおける、信号伝送のための少なくとも２つの予め設定された開始時点を含む、段階と、アクセスネットワークデバイスが、第１リソースおよび第２リソースを判定する段階であって、第１リソースおよび第２リソースは、異なる周波数領域リソースであり、時間領域における、第１リソースおよび第２リソースの開始時点は両方とも第１時点であり、第１時点は、第１セットにおける時点である、段階と、アクセスネットワークデバイスが、第１リソースを含む情報を第１端末デバイスへ送信し、アクセスネットワークデバイスが、第２リソースを含む情報を第２端末デバイスへ送信する段階とを備え、第１リソースは、第１信号を伝送するために使用され、第２リソースは、第２信号を伝送するために使用される。
【００３２】
可能な設計において、第１信号は物理ランダムアクセスプリアンブル系列であり、第２信号はサウンディング参照信号である。
【００３３】
第４態様によれば、本願の実施形態は、信号伝送方法を提供する。詳しく説明すると、方法は、第１端末デバイスが、第１リソースを含む情報を受信する段階と、第２端末デバイスが、第２リソースを含む情報を受信する段階とを備え、第１リソースおよび第２リソースは、異なる周波数領域リソースであり、時間領域における、第１リソースおよび第２リソースの開始時点は両方とも第１時点であり、第１時点は第１セットにおける時点であり、第１セットは、１つのサブフレームにおける、信号伝送のための少なくとも２つの予め設定された開始時点を含み、第１端末デバイスが、第１時点から、第１リソースにおいて第１信号を送信し、第２端末デバイスが、第１時点から、第２リソースにおいて第２信号を送信する段階を備える。
【００３４】
可能な設計において、第１信号は物理ランダムアクセスプリアンブル系列であり、第２信号はサウンディング参照信号である。
【００３５】
第５態様によると、本願の実施形態は、端末デバイスを提供する。端末デバイスは、上述の方法の設計における端末デバイスの動作を実装する機能を有する。機能は、ハードウェアによって実装され得るか、または、対応するソフトウェアを実行するハードウェアによって実装され得る。ハードウェアまたはソフトウェアは、前述の機能に対応する１または複数のモジュールを含む。モジュールは、ソフトウェアおよび／またはハードウェアであり得る。
【００３６】
可能な設計において、端末デバイスは、非ライセンススペクトルにおけるチャネルの使用権が第１時点において取得されることを判定するように構成され、第１時点は、時間ウィンドウにおける任意の時点である、処理モジュールであって、時間ウィンドウの開始時点は、シンボルの開始時点、または、シンボルの開始時点の前であり、時間ウィンドウの終了時点は、第２時点、または、第２時点の前であり、第２時点は、シンボルによって占有される時間内にあり、シンボルは、信号を送信するために使用されるシンボルであり、信号は、少なくとも実際の巡回プレフィックスおよび情報セグメントを含み、実際の巡回プレフィックスおよび情報セグメントは時間的に連続し、実際の巡回プレフィックスは、情報セグメントの前であり、実際の巡回プレフィックスの時間長は、予め設定された巡回プレフィックスの第１時間長に等しいか、または、より短く、第１時間長は、シンボルの開始時点と第２時点との間の時間の長さである、処理モジュールと、第１時点から、信号を送信するように構成されている送信モジュールとを備える。
【００３７】
可能な設計において、端末デバイスの構造は、プロセッサおよび伝送器を含む。プロセッサは、非ライセンススペクトルにおけるチャネルの使用権が第１時点において取得されることを判定するように構成され、第１時点は、時間ウィンドウにおける任意の時点であり、時間ウィンドウの開始時点は、シンボルの開始時点、または、シンボルの開始時点の前であり、時間ウィンドウの終了時点は、第２時点、または、第２時点の前であり、第２時点は、シンボルによって占有される時間内にあり、シンボルは、信号を送信するために使用されるシンボルであり、信号は、少なくとも実際の巡回プレフィックスおよび情報セグメントを含み、実際の巡回プレフィックスおよび情報セグメントは時間的に連続し、実際の巡回プレフィックスは、情報セグメントの前であり、実際の巡回プレフィックスの時間長は、予め設定された巡回プレフィックスの第１時間長に等しいか、または、より短く、第１時間長は、シンボルの開始時点と第２時点との間の時間の長さであり、伝送器は、第１時点から、信号を送信するように構成されている。
【００３８】
第６態様によれば、本願の実施形態は、アクセスネットワークデバイスを提供する。アクセスネットワークデバイスは、上述の方法の設計におけるアクセスネットワークデバイスの動作を実装する機能を有する。機能は、ハードウェアによって実装され得るか、または、対応するソフトウェアを実行するハードウェアによって実装され得る。ハードウェアまたはソフトウェアは、前述の機能に対応する１または複数のモジュールを含む。モジュールは、ソフトウェアおよび／またはハードウェアであり得る。
【００３９】
可能な設計において、アクセスネットワークデバイスは、指示情報を判定するように構成されている判定モジュールであって、指示情報は、時間ウィンドウの長さ情報、時間ウィンドウの開始時点情報、時間ウィンドウの終了時点情報、シンボルの開始時点情報、第２時点情報、および、第１時間長情報のうちの少なくとも１つを含む、判定モジュールと、指示情報を端末デバイスへ送信し、端末デバイスに、指示情報に基づいて、時間ウィンドウ、シンボルの開始時点情報、第２時点、または、予め設定された巡回プレフィックスを判定させるように構成されている送信モジュールとを備える。
【００４０】
可能な設計において、アクセスネットワークデバイスの構造は、プロセッサおよび伝送器を含む。プロセッサは、指示情報を判定するように構成されている。伝送器は、指示情報を端末デバイスへ送信するように構成されている。
【００４１】
第７の態様によれば、本願の実施形態は、信号伝送システムを提供する。信号伝送システムは、第１端末デバイス、第２端末デバイスおよびアクセスネットワークデバイスを備える。信号伝送システムにおけるアクセスネットワークデバイスは、第３態様における方法の設計におけるアクセスネットワークデバイスの動作を実装する機能を有する。機能は、ハードウェアによって実装され得るか、または、対応するソフトウェアを実行するハードウェアによって実装され得る。ハードウェアまたはソフトウェアは、前述の機能に対応する１または複数のモジュールを含む。モジュールは、ソフトウェアおよび／またはハードウェアであり得る。同様に、第１端末デバイスおよび第２端末デバイスは、第４態様における方法の設計における第１端末デバイスおよび第２端末デバイスの動作を実装する機能を有する。
【００４２】
第８態様によれば、本願の実施形態は、コンピュータ記憶媒体を提供する。コンピュータ記憶媒体は、プログラムコードを記憶し、プログラムコードは、第１態様、第２態様、第３態様または第４態様における方法を実行するために命令を使用する。
【００４３】
従来技術と比較すると、上述の技術的解決法から理解できるように、本願の実施形態において、端末デバイスは、非ライセンススペクトルにおけるチャネル使用権を第１時点において取得する。第１時点は、時間ウィンドウのセグメントにおける任意の時点である。時間ウィンドウの開始時点は、シンボルの開始時点、または、シンボルの開始時点の前であり、時間ウィンドウの終了時点は、第２時点、または、第２時点の前であり、第２時点は、シンボルによって占有される時間内にあり、シンボルは、信号を送信するために使用されるシンボルであり、信号は少なくとも実際の巡回プレフィックスおよび情報セグメントを含み、実際の巡回プレフィックスおよび情報セグメントは時間的に連続し、信号の実際の巡回プレフィックスは、時間的に情報セグメントの前である。加えて、信号の実際の巡回プレフィックスの時間長は、予め設定された巡回プレフィックスの第１時間長に等しいか、または、より短く、第１時間長は、シンボルの開始時点と第２時点との間の時間の長さである。端末デバイスは、第１時点からシーケンスを送信する。言い換えれば、本願において、信号が非ライセンススペクトルリソースにおいて非ライセンススペクトルにおけるチャネル上で送信されるとき、信号の送信時点は、シンボル境界に限定されず、信号は、期間内の任意の時点において送信でき、それにより、従来技術と比較すると、非ライセンススペクトルリソースにおいて信号を送信する確率が向上する。
【図面の簡単な説明】
【００４４】
【図１】本願の実施形態に係るシステムアーキテクチャの概略図である。
【００４５】
【図２】本願の実施形態に係る信号伝送方法の実施形態の概略図である。
【００４６】
【図３】本願の実施形態に係る、信号の予め設定された時間領域リソースの概略図である。
【００４７】
【図４ａ】本願の実施形態に係る信号伝送方法の別の実施形態の概略図である。
【００４８】
【図４ｂ】本願の実施形態に係る信号伝送方法の別の実施形態の概略図である。
【００４９】
【図４ｃ】本願の実施形態に係る信号伝送方法の別の実施形態の概略図である。
【００５０】
【図５ａ】本願の実施形態に係る信号伝送方法の別の実施形態の概略図である。
【００５１】
【図５ｂ】本願の実施形態に係る、干渉を引き起こす遅延信号伝送を示す概略図である。
【００５２】
【図５ｃ】本願の実施形態に係る信号伝送方法の別の実施形態の概略図である。
【００５３】
【図６】本願の実施形態に係る信号伝送方法の別の実施形態の概略図である。
【００５４】
【図７ａ】本願の実施形態に係る信号伝送方法の別の実施形態の概略図である。
【００５５】
【図７ｂ】本願の実施形態に係る信号伝送方法の別の実施形態の概略図である。
【００５６】
【図７ｃ】本願の実施形態に係る信号伝送方法の別の実施形態の概略図である。
【００５７】
【図８】本願の実施形態に係る端末デバイスの実施形態の概略図である。
【００５８】
【図９】本願の実施形態に係る端末デバイスの別の実施形態の概略図である。
【００５９】
【図１０】本願の実施形態に係るアクセスネットワークデバイスの実施形態の概略図である。
【００６０】
【図１１】本願の実施形態に係るアクセスネットワークデバイスの別の実施形態の概略図である。
【００６１】
【図１２】本願の実施形態に係る信号伝送システムの実施形態の概略図である。
【発明を実施するための形態】
【００６２】
本発明の実施形態は、信号が非ライセンススペクトルリソースにおいて送信されるときに信号送信確率が比較的小さいという、従来技術における問題を解決するために、信号伝送方法、端末デバイス、アクセスネットワークデバイスおよび信号伝送システムを提供する。
【００６３】
本願における技術的解決法を当業者がより良く理解できるように、以下では、本願の実施形態における添付の図面を参照しながら、本願の実施形態における技術的解決法を明確かつ完全に説明する。当然ながら、記載された実施形態は、本願の実施形態の全部ではなく、一部に過ぎない。想像的努力なく、本願の実施形態に基づいて当業者によって得られたすべての他の実施形態は、本願の保護範囲に属するものとする。
【００６４】
ＬＴＥシステムにおいて、伝送が非ライセンススペクトルリソースにおいて実行されるとき、ＬＴＥシステムは、非ライセンスロングタームエボリューション（英文全表記：Ｕｎｌｉｃｅｎｓｅｄ  Ｌｏｎｇ  Ｔｅｒｍ  Ｅｖｏｌｕｔｉｏｎ、英文頭字語：Ｕ‐ＬＴＥ）システムとみなされ得ることを理解すべきである。Ｕ‐ＬＴＥは一般的に、非ライセンススペクトルを使用する、すべてのＬＴＥシステムおよびその発展型システムを指す。特に、以下の２つの事例があり得る。第１の事例において、非ライセンススペクトルリソースにおけるキャリア上の伝送は、ライセンススペクトルにおけるキャリアによって補助される。例えば、システムは、ＬＴＥ使用ライセンス補助アクセスシステムおよびその発展型システムである。ＬＡＡ‐ＬＴＥシステムでは、既存のＬＴＥシステムにおけるキャリアアグリゲーションの構成および構造が主に使用され、通信事業者のライセンススペクトルにおけるキャリア上の通信が基本として使用され、非ライセンススペクトルにおける複数のキャリアが構成され、ライセンスキャリアが補助として使用されて非ライセンスキャリア上で通信を実行し、その結果、非ライセンススペクトルリソースを使用することによってネットワーク容量のオフロードを実装でき、さらに、ライセンスキャリア上の負荷が低減される。第２の事例において、非ライセンススペクトルリソースにおけるキャリア上の伝送は、ライセンススペクトルにおけるキャリアによって補助されない。例えば、システムはスタンドアロンＬＴＥ（英文全表記：Ｓｔａｎｄ‐ａｌｏｎｅ  Ｌｏｎｇ  Ｔｅｒｍ  Ｅｖｏｌｕｔｉｏｎ、英文頭字語：ＳＡ‐ＬＴＥ）システムおよびその発展型システムである。ＳＡ‐ＬＴＥシステムとＬＡＡ‐ＬＴＥシステムとの間の違いは、ＬＡＡ‐ＬＴＥシステムでは、データチャネルのみが非ライセンスキャリアにオフロードされ、初期アクセスおよびシステム共通メッセージの取得は依然としてライセンスキャリア上で実装され、一方、ＳＡ‐ＬＴＥシステムでは、ライセンスキャリアはアクセスを補助せず、その結果、ネットワークデバイスとユーザ機器との間のすべてのインタラクションプロセスは、非ライセンスキャリア上で実装される必要があるという点である。
【００６５】
本願の実施形態の技術的解決法は、無線セルラネットワークにおける様々な通信システム、例えば、グローバルシステムフォーモバイルコミュニケーションズ（英文全表記：Ｇｌｏｂａｌ  Ｓｙｓｔｅｍ  ｏｆ  Ｍｏｂｉｌｅ  ｃｏｍｍｕｎｉｃａｔｉｏｎ、英文頭字語：ＧＳＭ（登録商標））システム、符号分割多元接続（英文全表記：Ｃｏｄｅ  Ｄｉｖｉｓｉｏｎ  Ｍｕｌｔｉｐｌｅ  Ａｃｃｅｓｓ、英文頭字語：ＣＤＭＡ）システム、広帯域符号分割多元接続（英文全表記：Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ、英文頭字語：ＷＣＤＭＡ（登録商標））システム、ジェネラルパケットラジオサービス（英文全表記：Ｇｅｎｅｒａｌ  Ｐａｃｋｅｔ  Ｒａｄｉｏ  Ｓｅｒｖｉｃｅ、英文頭字語：ＧＰＲＳ（登録商標））システム、ＬＴＥシステム、ユニバーサル移動体通信システム（英文全表記：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、英文頭字語：ＵＭＴＳ（登録商標））、または、将来の５Ｇ通信システムに適用され得る。これは本願において限定されない。
【００６６】
本願の実施形態の技術的解決法は主に、ＬＴＥシステムおよびその発展型システムに適用され、特に、ＬＡＡ‐ＬＴＥシステムまたはＳＡ‐ＬＴＥシステムに適用される。本発明の実施形態が適用される、通信システムにおけるネットワーク要素は、アクセスネットワークデバイス（ネットワークデバイスとも称される）および端末デバイス（ユーザ機器とも称される）である。本願の実施形態の技術的解決法はまた、固定的なサブフレーム境界またはシンボル境界を含む、かつ、リソース競合要件を有する別の同様の通信システムに適用され得る。これは本願において限定されない。
【００６７】
本願の実施形態の技術的解決法において、１つのシンボルは、少なくとも巡回プレフィックス（英文全表記：Ｃｙｃｌｉｃ  Ｐｒｅｆｉｘ、英文頭字語：ＣＰ）部分および情報セグメント部分を含むことを理解すべきである。情報セグメント部分は、シンボルのすべての情報を含む。ＣＰは、信号の情報セグメントの一部を反復する。本願の実施形態における技術的解決法において、シンボルは、ＬＴＥシステムにおける直交周波数分割多重（英文全表記：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、英文頭字語：ＯＦＤＭ）シンボルであり得るか、または、ＬＴＥシステムにおける単一搬送波周波数分割多元接続（英文全表記：Ｓｉｎｇｌｅ  Ｃａｒｒｉｅｒ‐Ｆｒｅｑｕｅｎｃｙ  Ｄｉｖｉｓｉｏｎ  Ｍｕｌｔｉｐｌｅ  Ａｃｃｅｓｓ、英文頭字語：ＳＣ‐ＦＤＭＡ）シンボルであり得るか、または、ＬＴＥシステムにおいてランダムアクセスプリアンブル系列によって占有されるシンボルであり得る。本願の実施形態における技術的解決法において、シンボルは、別の種類の通信シンボルであり得る。これは本願において限定されない。
【００６８】
本願の実施形態において、基地局および端末デバイスが所在する通信システムは、予め定められた、または、固定された、サブフレーム開始時点、サブフレーム終了時点、シンボル開始時点およびシンボル終了時点を含む通信システムであることを理解すべきである。この通信システムにおいて、時間は固定的な時間単位によって分割される。言い換えれば、時間単位の粒度、ならびに、時間単位の開始時点および終了時点が判定されるとき、過去および未来の時間単位の開始時点および終了時点を知ることができる。本願の実施形態において、サブフレーム境界は、サブフレームの開始時点、または、サブフレームの終了時点であり、シンボル境界はシンボルの開始時点または終了時点であり、サブフレームの開始時点は先行のサブフレームの終了時点と同等であり、シンボルの開始時点は先行のシンボルの終了時点と同等である。第１期間および第２期間は時間的に連続し、第１期間は第２期間の前であると仮定すると、第１期間の終了時点は第２期間の開始時点と同等であるとみなされ得る。
【００６９】
図１を参照すると、図１は、本願において提案される解決法が適用され得る適用シナリオを示す。当該シナリオは、セル基地局１０１、当該セル基地局１０１の近くにあるセル基地局２０２、および、セル基地局１０１の受信可能範囲に所在し、セル基地局１０１と通信している端末デバイス１０３を含む。セル基地局１０１および端末デバイス１０３は、具体的には、非ライセンススペクトルリソースを使用することによって実行される、かつ、固定的なフレーム境界、サブフレーム境界またはシンボル境界を有する通信をサポートする通信デバイスである。セル基地局１０２によってサポートされる周波数帯域は、セル基地局１０１によってサポートされるものと同一であり得る。セル基地局１０２およびセル基地局１０１は、同一の種類の通信デバイスであり得るか、または、異なる種類の通信デバイスであり得る。例えば、セル基地局１０１は、ＬＴＥシステムにおける基地局であり得て、対応する端末デバイス１０３は、ＬＴＥシステムにおける端末デバイスであり得る。セル基地局１０２はまた、ＬＴＥシステムにおける基地局であり得るか、または、Ｗｉ‐Ｆｉシステムにおける無線ルータ、無線リピータもしくは端末デバイスであり得る。本明細書において、具体的事項はこれに限定されない。
【００７０】
本願の実施形態において、端末デバイスはまた、ユーザ機器（英文全表記：Ｕｓｅｒ  Ｅｑｕｉｐｍｅｎｔ、英文頭字語：ＵＥ）、移動局（英文全表記：Ｍｏｂｉｌｅ  Ｓｔａｔｉｏｎ、英文頭字語：ＭＳ）、または、モバイル端末などと称され得る。端末デバイスは、無線アクセスネットワーク（英文全表記：Ｒａｄｉｏ  Ａｃｃｅｓｓ  Ｎｅｔｗｏｒｋ、英文頭字語：ＲＡＮ）を通して、１または複数のコアネットワークと通信し得る。例えば、端末デバイスは、携帯電話、または、モバイル端末を有するコンピュータであり得る。代替的に、端末デバイスは、ポータブル、ポケットサイズ、ハンドヘルド、コンピュータ内蔵、または、車載のモバイル装置であり得て、無線アクセスネットワークとの間で音声および／またはデータを交換する。加えて、アクセスネットワークデバイスは、ＬＴＥシステムおよびその発展型システムにおける発展型ＮｏｄｅＢ（英文全表記：Ｅｖｏｌｕｔｉｏｎａｌ  Ｎｏｄｅ  Ｂ、英文頭字語：ｅＮＢまたはｅ‐ＮｏｄｅＢ）、マクロ基地局、ミクロ基地局、ピコ基地局、アクセスポイント（英文全表記：Ａｃｃｅｓｓ  Ｐｏｉｎｔ、英文頭字語：ＡＰ）、伝送ポイント（英文全表記：Ｔｒａｎｓｍｉｓｓｉｏｎ  Ｐｏｉｎｔ、英文頭字語：ＴＰ）、または同様のものであり得る。これは本願において限定されない。
【００７１】
説明の便宜上、本願のシナリオは、アクセスネットワークデバイスを例として使用して説明される。図１に示されるシナリオにおいて、非ライセンススペクトルにおけるチャネル上で信号をセル基地局１０１へ送信するとき、端末デバイス１０３は、非ライセンススペクトルにおけるチャネル上で信号を送信する前に、まず非ライセンススペクトルにおけるチャネル使用権を取得する必要がある。
【００７２】
本願のこの実施形態において、端末デバイスが非ライセンススペクトルにおけるチャネル上で信号を送信するとき、信号の送信時点は、フレーム境界、サブフレーム境界またはシンボル境界に対応する時点に限定されず、期間内の任意の時点において信号を送信でき、それにより、従来技術と比較すると、非ライセンススペクトルリソースにおいて、非ライセンススペクトルにおけるチャネル上で信号を送信する確率が向上する。
【００７３】
以下では、特定の例を参照しながら本願の実施形態を詳細に説明する。これらの例は、当業者が本願の実施形態をより良く理解することを助けるために使用されるに過ぎず、本願の実施形態の範囲を限定することを意図するものではないことに留意すべきである。本願の様々な実施形態において、以下に記載される方法のプロセスの連続する番号は、実行順序を意味するものではなく、プロセスの実行順序は、機能およびその内部論理に基づいて判定されるべきであることを理解されたい。連続する番号は、本願の実施形態の実装プロセスに対していかなる制限も構成すべきでない。
【００７４】
［実施形態１］
本願のこの実施形態は、信号伝送方法を提供する。本発明のこの実施形態において提供される方法は、非ライセンススペクトルにおけるチャネルリソースを使用するシナリオに適用され得る。具体的には、図２を参照すると、図２は、本願のこの実施形態における信号伝送方法の実施形態の概略図である。この方法は以下の段階を備える。
【００７５】
２０１．端末デバイスが、非ライセンススペクトルにおけるチャネルの使用権が第１時点において取得されたと判定する。
【００７６】
第１時点は、時間ウィンドウにおける任意の時点である。
【００７７】
時間ウィンドウの開始時点は、シンボルの開始時点、または、シンボルの開始時点の前であり、時間ウィンドウの終了時点は、第２時点、または、第２時点の前である。
【００７８】
第２時点は、シンボルによって占有される時間内にあり、当該シンボルは、信号を送信するために使用されるシンボルである。
【００７９】
信号は、少なくとも実際の巡回プレフィックスおよび情報セグメントを含み、実際の巡回プレフィックスおよび情報セグメントは時間的に連続し、実際の巡回プレフィックスは情報セグメントの前である。
【００８０】
実際の巡回プレフィックスの時間長は、予め設定された巡回プレフィックスの第１時間長に等しいか、または、より短く、第１時間長は、シンボルの開始時点と第２時点との間の時間の長さである。
【００８１】
実装段階２０１を実装する具体的なプロセスにおいて、任意で、端末デバイスは競合方式で非ライセンススペクトルにおけるチャネル使用権を取得する。より具体的には、端末デバイスは、競合方式を使用することによって、ＬＢＴの基準に基づいて、使用権を取得し得る。端末デバイスが非ライセンススペクトルを使用することによって信号を伝送する必要があるとき、現在の非ライセンススペクトルにおけるチャネルがアイドル状態であるかどうか、言い換えれば、チャネルが利用可能かどうかを判定する複数の方式があり得る。チャネルが利用可能である場合、これは、非ライセンススペクトルにおけるチャネル使用権が取得されたと判定したことを示す。現在の非ライセンススペクトルにおけるチャネルがアイドル状態であるかどうかを判定するための、以下の２つの方式があり得る。
【００８２】
第１の方式において、端末デバイスは、非ライセンススペクトルリソースにおけるチャネルを検出し、連続的な時間の長さＴｄにおいて、チャネルがアイドル状態であるかどうかを判定する。チャネルがアイドル状態にある場合、端末デバイスがチャネル使用権を取得していること、言い換えれば、端末デバイスがチャネル上で信号を伝送できることを示し、そうでない場合、端末デバイスがチャネル使用権を取得していないこと、言い換えれば、端末デバイスがチャネル上で信号を伝送できないことを示す。
【００８３】
第２の方式において、端末デバイスは、非ライセンススペクトルリソースにおけるチャネルを検出し、連続的な時間の長さＴｄにおいて、チャネルがアイドル状態であるかどうかを判定する。チャネルがアイドル状態であり、かつ、以下の段階４におけるカウンタの値Ｎが０である場合、端末デバイスは、チャネル使用権が取得されていると、言い換えれば、端末デバイスがチャネル上で信号を伝送できると判定する。以下の段階では、具体的な検出プロセスが示される。
【００８４】
１．Ｎ＝Ｎｉｎｉｔに設定する。Ｎｉｎｉｔは、０からＣＷｐまでの範囲からランダムに選択された数であり、ＣＷｐは、競合ウィンドウの長さとみなされ得て、ＮｉｎｉｔまたはＣＷｐは、端末デバイス自体によって判定され得るか、または、アクセスネットワークデバイスによって通知され得る。本明細書において、具体的事項はこれに限定されない。
【００８５】
２．Ｎ＞０である場合、端末デバイスは、カウンタの値Ｎから１を減算する。具体的には、Ｎ＝Ｎ−１に設定する。
【００８６】
３．チャネルを検出し、連続的な時間の長さＴｓｌにおいてチャネルがアイドル状態であるかどうかを判定し、チャネルがアイドル状態である場合、段階４を実行し、そうでない場合、段階５を実行する。
【００８７】
４．Ｎ＝０である場合、プロセスを終了し、そうでない場合、段階２を実行する。
【００８８】
５．チャネルを検出し、連続的な時間の長さＴｄにおいて、チャネルがアイドル状態にあるかどうかを判定する。
【００８９】
６．連続的な時間の長さＴｄにおいてチャネルがアイドル状態にある場合、段階２を実行し、そうでない場合、段階５を実行する。
【００９０】
上述の２つの方法において使用されるパラメータＴｄ、Ｔｓｌ、ＣＷｐの具体的な値は、これに限定されず、実際の適用の事例に従って設定され得ることに留意すべきである。任意で、Ｔｄの値は２５μｓ、Ｔｓｌの値は９μｓ、ＣＷｐの最大値は１０２３、ＣＷｐの最小値は３である。加えて、実際の適用において、端末デバイスはさらに、別の方法を使用することによって、非ライセンススペクトルリソースにおけるチャネル使用権が取得されているかどうかを判定し得る。本明細書において、具体的事項はこれに限定されない。例えば、端末デバイスは、近くの通信デバイスとの間で調整またはスケジューリングを実行した後に、非ライセンススペクトルにおけるチャネル使用権を取得し得る。または、端末デバイスは、予め構成されたリソース使用パターンを使用することによって、非ライセンススペクトルにおけるチャネル使用権が取得されていると判定し得る。詳細はここでは再度説明しない。
【００９１】
任意で、非ライセンススペクトルにおけるチャネル使用権は、非ライセンススペクトルにおけるキャリアの使用権であり得る。任意で、非ライセンススペクトルにおけるチャネル使用権は、非ライセンススペクトルにおいて伝送される物理的チャネルの使用権であり得る。
【００９２】
段階２０１を実装する具体的なプロセスにおいて、第１時点は、時間ウィンドウにおける任意の時点であり、時間ウィンドウの開始時点は、シンボルの開始時点、または、シンボルの開始時点の前であり得るが、本明細書において、これに限定されない。時間ウィンドウの終了時点は、第２時点、または、第２時点の前であり得るが、本明細書において、具体的事項はこれに限定されない。第２時点は、シンボルによって占有される時間内にあり、当該シンボルは、信号を送信するために使用されるシンボルである。
【００９３】
システムのアップリンク伝送プロセスにおいて、端末デバイスの信号伝送の動作は、アクセスネットワークデバイスによってスケジューリングされ得ることに留意すべきである。具体的には、アクセスネットワークデバイスは、シグナリングを使用することによって、特定のシンボルまたはサブフレームにおいて、物理アップリンク共有チャネル（英文全表記：ｐｈｙｓｉｃａｌ  ｕｐｌｉｎｋ  ｓｈａｒｅｄ  ｃｈａｎｎｅｌ、英文頭字語：ＰＵＳＣＨ）、物理アップリンク制御チャネル（英文全表記：ｐｈｙｓｉｃａｌ  ｕｐｌｉｎｋ  ｃｏｎｔｒｏｌ  ｃｈａｎｎｅｌ、英文頭字語：ＰＵＣＣＨ）、または、物理ランダムアクセスチャネル（英文全表記：ｐｈｙｓｉｃａｌ  ｒａｎｄｏｍ  ａｃｃｅｓｓ  ｃｈａｎｎｅｌ、英文頭字語：ＰＲＡＣＨ）上で伝送を実行するように端末デバイスに命令する。加えて、ランダムアクセスプリアンブル系列の伝送については、アクセスネットワークデバイスは、複数のＰＲＡＣＨリソースを確保し得て、端末デバイスは、複数のＰＲＡＣＨリソースの少なくとも１つにおいてランダムアクセスプリアンブル系列を伝送することに留意すべきである。
【００９４】
本願のこの実施形態において、端末デバイスによって送信される信号は、ＰＲＡＣＨ上のランダムアクセスプリアンブル系列であり得るか、または、ＰＵＳＣＨもしくはＰＵＣＣＨ上の少なくとも１つのシンボルであり得るか、または、アップリンク復調参照信号（英文全表記：Ｄｅｍｏｄｕｌａｔｉｏｎ  Ｒｅｆｅｒｅｎｃｅ  Ｓｉｇｎａｌ、英文頭字語：ＤＭＲＳ）もしくはサウンディング参照信号（英文全表記：Ｓｏｕｎｄｉｎｇ  ｒｅｆｅｒｅｎｃｅ  ｓｉｇｎａｌ、英文頭字語：ＳＲＳ）、または同様のものであり得る。本明細書において、具体的事項はこれに限定されない。
【００９５】
方法が非ライセンススペクトルにおけるチャネルに適用されるとき、ＰＲＡＣＨ、ＰＵＳＣＨまたはＰＵＣＣＨのチャネル構造と、ＬＴＥシステムにおけるＰＲＡＣＨ、ＰＵＳＣＨまたはＰＵＣＣＨのチャネル構造とは、同一であり得るか、または、異なり得ることに留意すべきである。ランダムアクセスプリアンブル系列は、フォーマット０からフォーマット４のいずれか１つの既存のランダムアクセスプリアンブル系列であり得るか、または、新しいランダムアクセスプリアンブル系列であり得る。これは本願において限定されない。理解および説明の便宜上、本願のこの実施形態において、端末デバイスによって送信される信号が既存のランダムアクセスプリアンブル系列である例を使用することによって説明が提供される。
【００９６】
既存のランダムアクセスプリアンブル系列は、２つの部分、すなわち、巡回プレフィックスおよび情報セグメントを含む。巡回プレフィックスおよび情報セグメントは、時間的に連続し、巡回プレフィックスは、情報セグメントの前であり、情報セグメントは、ランダムアクセスプリアンブル系列の情報をすべて含み、巡回プレフィックスは、信号の情報セグメントの一部を反復する。巡回プレフィックスまたは情報セグメントに占有される異なる時間の長さに基づいて、５つのフォーマットがあり得る。表１は、各フォーマットにおける巡回プレフィックスおよび情報セグメントの長さ、ならびに、このフォーマットのランダムアクセスプリアンブル系列の伝送中にＬＴＥシステムにおいて占有される時間を提供する。任意で、伝送中に占有される時間はさらに、ガード時間長を含む。Ｔｓは、ＬＴＥシステムの時間単位であり、Ｔｓ＝１／（１５０００・２０４８）秒であり、３０７２０・Ｔｓは１ミリ秒、言い換えれば、１サブフレームである。
【表１】
2019512949.tif 000003
【００９７】
上述のフォーマットの各々において、巡回プレフィックスの時間長は、予め設定された巡回プレフィックスの第１時間長であることに留意すべきである。信号の伝送プロセスにおいて、信号は、少なくとも実際の巡回プレフィックスおよび情報セグメントを含み、実際の巡回プレフィックスおよび情報セグメントは時間的に連続し、実際の巡回プレフィックスは情報セグメントの前である。実際の巡回プレフィックスの時間長は、信号の伝送される巡回プレフィックスの長さである。
【００９８】
段階２０１を実装する具体的なプロセスにおいて、任意で、実際の巡回プレフィックスの時間長は、予め設定された巡回プレフィックスの第１時間長より短い。任意で、実際の巡回プレフィックスの時間長は、予め設定された巡回プレフィックスの第１時間長に等しい。
【００９９】
任意で、端末デバイスが非ライセンススペクトルにおけるチャネル使用権を取得する前に、端末デバイスは、アクセスネットワークデバイスによって送信された指示情報、または、予め定められた構成に基づいて、以下の情報のうちの少なくとも１つを判定し得る。
時間ウィンドウの長さ
時間ウィンドウの開始時点
時間ウィンドウの終了時点
シンボルの開始時点
第２時点
第１時間長
【０１００】
本願のすべての実施形態において、すべての指示情報は、物理層シグナリング、媒体アクセス制御（英文全表記：Ｍｅｄｉａ  Ａｃｃｅｓｓ  Ｃｏｎｔｒｏｌ、英文頭字語：ＭＡＣ）層シグナリング、または、無線リソース制御（英文全表記：Ｒａｄｉｏ  Ｒｅｓｏｕｒｃｅ  Ｃｏｎｔｒｏｌ、英文頭字語：ＲＲＣ）シグナリングを使用することによって、アクセスネットワークデバイスによって端末デバイスへ送信され得ることに留意すべきである。任意で、すべての指示情報は、現在のキャリアまたは現在以外のキャリアを使用することによって、アクセスネットワークデバイスによって端末デバイスへ送信され得る。
【０１０１】
任意で、アクセスネットワークデバイスは、スケジューリング情報を端末デバイスへ送信し、指定されたシンボルまたはサブフレームにおいて信号伝送を実行するように端末デバイスに命令する。端末デバイスは、スケジューリング情報に基づいてシンボルの開始時点を判定する。
【０１０２】
任意で、時間ウィンドウの開始時点はシンボルの開始時点である。任意で、時間ウィンドウの開始時点は、シンボルの開始時点の前であり得る。端末デバイスが、時間ウィンドウの開始時点の前に非ライセンススペクトルにおけるチャネル使用権を取得する場合、端末デバイスは、非ライセンススペクトルにおけるチャネル使用権が取得される時点から、時間ウィンドウの開始時点まで、可変長チャネル確保信号または巡回プレフィックスを送信し得て、これにより、端末デバイスがチャネル使用権の取得後の時間に非ライセンススペクトルにおけるチャネルを占有していないことが原因で、チャネルが別の通信デバイスによって占有されることを回避する。
【０１０３】
任意で、端末デバイスがランダムアクセスプリアンブル系列を送信する必要がある場合、端末デバイスは、シンボルの開始時点を判定するために、アクセスネットワークデバイスの指示情報に基づいて、ＰＲＡＣＨリソースの時間領域位置を判定し得る。任意で、アクセスネットワークデバイスは、ランダムアクセスプリアンブル系列のフォーマットを示すために指示情報を端末デバイスへ送信し、端末デバイスは、ランダムアクセスプリアンブル系列のフォーマットに基づいて、第１時間長または第２時点を判定する。
【０１０４】
２０２．端末デバイスが第１時点から信号を送信する。
【０１０５】
本願のこの実施形態において、端末デバイスが、非ライセンススペクトルにおけるチャネル使用権が第１時点において取得されたと判定した後に、端末デバイスは、第１時点から信号を送信し得る。
【０１０６】
図３を参照すると、ＬＴＥシステムにおけるランダムアクセスプリアンブル系列の時間領域構造が図３に示され、予め設定された巡回プレフィックスおよび情報セグメントを含むシンボルを含む。異なる受信可能範囲を有するセルに適合するべく、表１に示される、５つのフォーマットのランダムアクセスプリアンブル系列が定義されている。
【０１０７】
表１に示されるように、異なるフォーマットのランダムアクセスプリアンブル系列は、時間領域リソースにおいて異なる時間長を有する予め設定された巡回プレフィックスまたは情報セグメントを占有する。本願のこの実施形態において、端末デバイスがシンボルの開始時点において非ライセンススペクトルにおけるチャネル使用権を取得しなかったが、シンボルの開始時点の一定期間後に非ライセンススペクトルにおけるチャネル使用権を取得する場合、端末デバイスは依然としてランダムアクセスプリアンブル系列を送信できる。
【０１０８】
具体的には、以下の２つの任意の送信方式があり得る。
【０１０９】
方式１：
【０１１０】
端末デバイスは、第１時点から第２時点まで、信号の実際の巡回プレフィックスを送信する。実際の巡回プレフィックスの時間長は、予め設定された巡回プレフィックスの第１時間長より短い。言い換えれば、端末デバイスは、シンボルの開始時点後に、非ライセンススペクトルにおけるチャネル使用権を取得する。
【０１１１】
端末デバイスは、第２時点から、信号の情報セグメントを送信する。
【０１１２】
好ましくは、実際の巡回プレフィックスの時間長は、第２時間長に等しいか、または、より大きい。
【０１１３】
任意で、端末デバイスが第１時点において、非ライセンススペクトルにおけるチャネル使用権を取得する前に、端末デバイスは、アクセスネットワークデバイスによって送信された指示情報、または、予め定められた構成に基づいて、第２時間長を判定し得る。本明細書において、具体的事項はこれに限定されない。
【０１１４】
チャネル検出の実行後に端末デバイスによって伝送される必要がある信号が、複数の連続シンボルを含む場合、この方式は、信号の最初のシンボルに適用されることに留意すべきである。例えば、複数の連続シンボルを含むフォーマットのランダムアクセスプリアンブル系列が、非ライセンススペクトルにおけるチャネル上に導入されると仮定すると、この方式は、ランダムアクセスプリアンブル系列の最初のシンボルに適用され得る。
【０１１５】
具体的な送信方式は、図４ａに示される。図において、伝送が予定されている時間領域リソースは、あるフォーマットの予め設定されたランダムアクセスプリアンブル系列によって占有された時間領域リソースである。ここでは、時間ウィンドウの開始時点は、シンボルの開始時点であり、時間ウィンドウの終了時点は第２時点の前であると仮定する。シンボルの開始時点から第２時点までの時間の長さは、予め設定された巡回プレフィックスの第１時間長である。非ライセンススペクトルにおけるチャネル使用権がシンボルの開始時点において取得されなかったが、非ライセンススペクトルにおけるチャネル使用権が時間ウィンドウにおける任意の時点において取得されると端末デバイスが判定したと仮定すると、この時点が第１時点である。図４ａは１つの第１時点を示す。第１時点は、シンボルの開始時点の後であり、時間ウィンドウの終了時点の前である。予め設定されたランダムアクセスプリアンブル系列の情報セグメントを送信する開始時点が第２時点であり、予め設定された巡回プレフィックスは、信号の情報セグメントの内容の一部を巡回的に繰り返し送信するために使用されるに過ぎないので、端末デバイスは、第１時点から第２時点までの期間内に、時間の長さが予め設定された巡回プレフィックスより短い、ランダムアクセスプリアンブル系列の巡回プレフィックスを送信し得る。この巡回プレフィックスが実際の巡回プレフィックスである。言い換えれば、いかなる他の情報も、巡回プレフィックスを伝送するように予定されている、第１時点の前の時間領域リソースにおいて伝送されない。端末デバイスは、第２時点から、ランダムアクセスプリアンブル系列の情報セグメント部分を送信する。
【０１１６】
好ましくは、実際の適用において、巡回プレフィックスの主な機能は、信号伝送の往復時間、および、信号伝送中のマルチパス干渉によって生じる、信号復調性能に対する影響を克服することであることを考慮して、ランダムアクセスプリアンブル系列の実際の巡回プレフィックスの時間長は、第２時間長に等しいか、または、それより大きい必要がある。任意で、時間ウィンドウの終了時点から第２時点までの時間の長さが第２時間長であり、図４ａは、この事例における第２時間長を示している。任意で、第２時間長は、端末デバイスとアクセスネットワークデバイスとの間の信号伝送の最大往復時間長と、起こり得る最大チャネル遅延スプレッドとの和に等しいか、または、より大きい。任意で、第２時間長がセルにおけるすべての端末デバイスについて均一に判定され得ることを考慮して、第２時間長は、端末デバイスのセルにおける端の端末デバイスとアクセスネットワークデバイスとの間の信号伝送の最大往復時間長と、起こり得る最大チャネル遅延スプレッドとの和に等しいか、または、より大きい。ランダムアクセスプリアンブル系列の実際の巡回プレフィックスの時間長は、第２時間長に等しいか、または、より大きく、それにより、端末デバイスによって送信されてアクセスネットワークデバイスによって受信されるランダムアクセスプリアンブル系列の復調性能を保証できる。ここで、本願のこの実施形態において、第２時間長の具体的な値は、実際の適用事例に基づいて判定され得ることに留意すべきである。ここでは、これに限定されない。
【０１１７】
任意で、端末デバイスは、アクセスネットワークデバイスによって送信される指示情報に基づいて、第２時間長を判定し得る。指示情報は、第２時間長、第２時間長の開始時点、および、第２時間長の終了時点のうちの少なくとも１つを含む。
【０１１８】
理解および説明の便宜上、本願のこの実施形態における送信方式は、送信されるランダムアクセスプリアンブル系列のフォーマットがフォーマット０である例を使用して詳細に説明される。
【０１１９】
表１に示されるように、ランダムアクセスプリアンブル系列のフォーマットがフォーマット０であるとき、予め設定されたランダムアクセスプリアンブル系列の予め設定された巡回プレフィックスによって占有される時間長、予め設定されたランダムアクセスプリアンブル系列の情報セグメントによって占有される時間長、および、予め設定されたランダムアクセスプリアンブル系列の伝送によって占有される時間長は、それぞれ、３１６８・Ｔｓ、２４５７６・Ｔｓ、３０７２０・Ｔｓである。説明の便宜上、ここでは時間長情報は、マイクロ秒（μｓ）を使用して表され、予め設定された巡回プレフィックスによって占有される時間長、情報セグメントによって占有される時間長、および、伝送によって占有される時間長はそれぞれ、１０３．１μｓ、８００μｓ、１０００μｓである。言い換えれば、フォーマット０のランダムアクセスプリアンブル系列は、１つのサブフレームを占有する。加えて、伝送によって占有される時間長はさらに、ガード時間長を含み、ガード時間長は、（１０００−８００−１０３．１）μｓ＝９６．９μｓである。ガード時間長の機能は、セルの中心における端末デバイスによって送信されるランダムアクセスプリアンブル系列と、セル端における端末デバイスによって送信されるランダムアクセスプリアンブル系列との間の干渉を回避することである。
【０１２０】
端末デバイスとアクセスネットワークデバイスとの間の信号伝送の最大往復時間長が、予め設定された巡回プレフィックスおよびガード時間長のうちの、より小さい値に等しいとき、フォーマット０のランダムアクセスプリアンブル系列をサポートするセルの受信可能範囲は、約（９６．９×１０−６／２）×３×１０５キロメートル＝１４．５キロメートルであることを理解されたい。１０ｘは、１０のｘ乗を表し、３×１０５キロメートル／秒は光速を表す。非ライセンススペクトルにおけるキャリア上の信号伝送は、スペクトルにおける最大伝送電力または最大伝送電力密度の制限を受けるので、当該スペクトルを使用するセルの最大受信可能範囲は比較的小さい。例えば、セル受信可能範囲は、１．５キロメートルを超えない。
【０１２１】
非ライセンススペクトルにおけるセルの最大受信可能範囲が１．５キロメートルであり、セル内にあるとみなされるために必要な最大チャネル遅延スプレッドが５μｓであると仮定すると、信号伝送の往復時間、および、信号伝送中のマルチパス干渉によって生じる、信号復調性能への影響を克服するために使用される巡回プレフィックスの長さは、［１．５×２／（３×１０５）×１０６＋５］μｓ＝１５μｓである。セルのランダムアクセスプリアンブル系列がフォーマット０を使用するとき、実施形態において、上述の説明に基づいて、時間ウィンドウの開始時点は、フォーマット０のランダムアクセスプリアンブル系列を伝送することが予定されているシンボルの開始時点であり、第２時点は、予め設定された巡回プレフィックスの終了時点であり、第１時間長は１０３．１μｓであり、第２時間長は１５μｓであり、時間ウィンドウの長さは１０３．１−１５＝８８．１μｓであり、時間ウィンドウの終了時点と第２時点との間の時間の長さが第２時間長であるとみなされ得る。端末デバイスは、時間ウィンドウにおける任意の時点において、チャネル使用権を取得し、ランダムアクセスプリアンブル系列を送信できる。言い換えれば、従来技術と比較すると、端末デバイスは、チャネルがアイドル状態かどうかを検出するために、追加の８８．１μｓを有する。
【０１２２】
ここで、上述された、最大チャネル遅延スプレッドの具体的な時間長、および、最大往復時間長の具体的な時間長は、例として説明するために使用されているに過ぎないことに留意すべきである。実際の適用において、これら２つは、異なる変化を有し得るが、本明細書において、具体的事項はこれに限定されない。
【０１２３】
具体的な送信方式は図４ｂに示される。図４ｂは、この方式における４つの伝送の事例を提供する。端末デバイスがシンボルの開始時点において、非ライセンススペクトルにおけるチャネル使用権を取得しなかった場合、端末デバイスが、シンボルの開始時点の後の８８．１μｓ以内に非ライセンススペクトルにおけるチャネル使用権を取得する場合、端末デバイスはランダムアクセスプリアンブル系列を送信でき、かつ、送信されたランダムアクセスプリアンブルの巡回プレフィックスの時間長が１５μｓより大きいことが保証される。
【０１２４】
ここで、シンボルの開始時点に続く８８．１μｓ以内の任意の時点が第１時点であり、ランダムアクセスプリアンブル系列の情報セグメントを送信する予め設定された開始時点が第２時点であると仮定する。端末デバイスが、シンボルの開始時点において、非ライセンススペクトルにおけるチャネル使用権を取得しなかったが、第１時点において非ライセンススペクトルリソースにおけるチャネル使用権を取得する場合、端末デバイスは、第１時点から第２時点までの期間内において、ランダムアクセスプリアンブル系列の実際の巡回プレフィックス部分を送信し得て、第２時点からランダムアクセスプリアンブル系列の情報セグメント部分を送信し得る。
【０１２５】
端末デバイスが、シンボルの開始時点の前に、非ライセンススペクトルにおけるチャネル使用権を取得する場合、端末デバイスは、第１時点から第２時点までの期間内において、信号の実際の巡回プレフィックスを送信し得ることに留意すべきである。実際の巡回プレフィックスの時間長は、予め設定された巡回プレフィックスの第１時間長より大きい。図４ｃはこのシナリオにおける概略図である。
【０１２６】
本願のこの実施形態において、フォーマット１のランダムアクセスプリアンブル系列からフォーマット４のランダムアクセスプリアンブル系列の送信方法は、上述のフォーマット０のランダムアクセスプリアンブル系列の送信方法と同様であることを理解されたい。ここでは詳細を再度説明しない。送信方法は本願の範囲内である。
【０１２７】
本願のこの実施形態において、本願における信号伝送方法は、送信される信号がランダムアクセスプリアンブル系列である例を使用して説明され、ランダムアクセスプリアンブル系列のフォーマットはフォーマット０である。端末デバイスは、第１時点において非ライセンススペクトルにおけるチャネル使用権を取得し、第１時点は、時間ウィンドウのセグメントにおける任意の時点であり、時間ウィンドウの開始時点は、ランダムアクセスプリアンブル系列を送信する予め設定された開始時点の以前であり、時間ウィンドウの終了時点は、第２時点の以前であり、第２時点は、ランダムアクセスプリアンブル系列の情報セグメントを送信する予め設定された開始時点である。次に、端末デバイスは、第１時点から第２時点までの期間内に、シーケンスの実際の巡回プレフィックスを送信し、第２時点からシーケンスの情報セグメントを送信する。言い換えれば、端末デバイスによって最後に送信された巡回プレフィックス部分によって占有される時間長は、ランダムアクセスプリアンブル系列の予め設定された巡回プレフィックスの第１時間長より短く、それにより、巡回プレフィックスの時間長を短くすることにより、ランダムアクセスプリアンブル系列の送信機会が増加する。
【０１２８】
本願のこの実施形態において、ランダムアクセスプリアンブル系列が、非ライセンススペクトルリソースにおいて、非ライセンススペクトルにおけるチャネル上で送信されるとき、ランダムアクセスプリアンブル系列の送信時点は、フレーム境界、サブフレーム境界またはシンボル境界に限定されず、ランダムアクセスプリアンブル系列は、期間内の任意の時点において送信でき、それにより、従来技術と比較すると、ランダムアクセスプリアンブル系列の送信機会が増加する。言い換えれば、非ライセンススペクトルリソースにおいて信号が送信されるとき、信号送信確率が増加する。
【０１２９】
加えて、本願のこの実施形態において、送信されるランダムアクセスプリアンブル系列の巡回プレフィックスの時間長が、端末デバイスとアクセスネットワークデバイスとの間の信号伝送の最大往復時間長と最大チャネル遅延スプレッドとの和より大きいことが保証される。実際の適用において、本願のこの実施形態の技術的解決法の実行可能性が保証され、さらに、端末デバイスがランダムアクセスプリアンブル系列を成功裏に送信できることが保証される。
【０１３０】
方式２：
【０１３１】
方式１とは異なり、方式２では、ランダムアクセスプリアンブル系列の実際の巡回プレフィックスの時間長は、予め設定された巡回プレフィックスの時間長に等しく、シンボルはガード時間長を含み、時間ウィンドウの終了時点は第２時点の前であり、シンボルの開始時点と時間ウィンドウの終了時点との間の時間長は第３時間長に等しく、第３時間長は、予め設定された巡回プレフィックスの時間長およびガード時間長のうちのより小さい値より短い。
【０１３２】
任意で、端末デバイスが非ライセンススペクトルにおけるチャネル使用権を取得する前に、端末デバイスは、アクセスネットワークデバイスによって送信された指示情報、または、予め定められた構成に基づいて、第３時間長を判定し得る。本明細書において、具体的事項はこれに限定されない。
【０１３３】
端末デバイスがチャネル検出を実行した後に端末デバイスによって伝送される必要がある信号が、複数の連続シンボルを含む場合、この方式において、信号の送信は、ある期間だけ遅延し、遅延の時間の長さは、シンボルの開始時点と第１時点との間の長さであることに留意すべきである。
【０１３４】
具体的な送信方式を図５ａに示す。ここでは、時間ウィンドウの開始時点は、シンボルの開始時点であり、時間ウィンドウの終了時点は第２時点の前であると仮定する。シンボルの開始時点から第２時点までの時間の長さは、予め設定された巡回プレフィックスの第１時間長である。シンボルはさらに、ガード時間長を含む。端末デバイスは、シンボルの開始時点において非ライセンススペクトルにおけるチャネル使用権を取得しなかったが、時間ウィンドウにおける任意の時点において、非ライセンススペクトルにおけるチャネル使用権を取得すると仮定すると、当該時点が第１時点である。図５ａは、１つの第１時点を示す。第１時点は、シンボルの開始時点の後であり、時間ウィンドウの終了時点の前である。端末デバイスは、第１時点から信号を送信する。言い換えれば、この方式において、端末デバイスが信号の送信を遅延させることが可能になる。しかしながら、遅延時間が過剰に長い場合、アクセスネットワークデバイスが伝送信号に対して実行する復調に影響を与えるだけでなく、当該信号の後の信号の伝送にも影響を与える。したがって、シンボルの開始時点と、時間ウィンドウの終了時点との間の時間長は第３時間長に等しい。言い換えれば、この方式において、端末デバイスが信号を送信するときの最大遅延時間を第３時間長にすることが可能であり、第３時間長は、第１時間長およびガード時間長のうちの、より小さい値より短い。ここで、第３時間長の具体的な値は、実際の適用事例に基づいて判定され得ることに留意すべきである。ここではこれに限定されない。
【０１３５】
任意で、方法はさらに、端末デバイスによって、第１時点とシンボルの開始時点との間の時間長についての情報、言い換えれば、図５ａにおける遅延の時間長についての情報を判定する段階と、端末デバイスによって、時間長情報をアクセスネットワークデバイスへ送信する段階と、アクセスネットワークデバイスによって、端末デバイスのタイミングアドバンスＴＡを推定するとき、遅延の時間長を減算し、端末デバイスの実際のＴＡ情報を求める段階と、求められたＴＡ情報を端末デバイスへ送信する段階とを備える。
【０１３６】
任意で、端末デバイスは、アクセスネットワークデバイスに対し、信号の送信が遅延する、第１時点とシンボルの開始時点との間の時間長についての情報を報告しないことがあり得るが、受信された、アクセスネットワークデバイスによって送信されたＴＡ情報から求められた時間長から遅延の時間長を減算し、端末デバイスの実際のＴＡ情報を求める。
【０１３７】
この実施形態において、端末デバイスは、時間長情報を処理するとき、時間長をサンプリングレートの倍数へ量子化し得て、その結果、いくらかの量子化損失があり得ることを留意すべきである。これは、この実施形態において限定されない。
【０１３８】
表２の内容は、表１に基づいて取得され得ることを理解されたい。言い換えれば、異なる複数のフォーマットで、ランダムアクセスプリアンブル系列の巡回プレフィックスまたは情報セグメントによって占有される時間領域リソースの長さは異なる。当業者であれば、ガード時間の時間長がセルの受信可能範囲に影響を与えることを認識し得る。表２は、５つのフォーマットのランダムアクセスプリアンブル系列の各部分の時間長を示す。
【表２】
2019512949.tif 000004
【０１３９】
表２から理解できるように、フォーマット０からフォーマット４の物理ランダムアクセスチャネルリソースの各々は、ガード時間を含む。フォーマット０、フォーマット１、フォーマット２およびフォーマット４の予め設定された巡回プレフィックスの長さは、ガード時間より長く、フォーマット３の予め設定された巡回プレフィックスの長さは、ガード時間より短い。
【０１４０】
実際の適用において、ガード時間は、図５ｂに示されるように、アクセスネットワークデバイスによって受信された、端末デバイスによって送信されて遅延してアクセスネットワークデバイスに到達したシンボルが、別の端末デバイスによって送信される次のシンボルに干渉しないようにすることを可能にし得る。図５ｂは、アクセスネットワークデバイスによって時間領域において受信される、３つの端末デバイスによってそれぞれ同一のシンボルにおいて送信される信号の概略図である。この概略図において、信号伝送遅延の影響は考慮されない。端末デバイス１が信号を送信するとき、遅延は無く、端末デバイス２が信号を送信するときに遅延する時間の長さはガード時間の長さより短く、端末デバイス３が信号を送信するときに遅延する時間の長さはガード時間の長さより長い。図５ｂから理解できるように、端末デバイス２については、信号が遅延する時間の長さが、シンボルのガード時間の長さより短いので、アクセスネットワークデバイスによって端末デバイス２から受信される信号は、時間領域において、アクセスネットワークデバイスによって端末デバイス１から受信される信号と重複しない。端末デバイス３については、信号が遅延する時間の長さが、ガード時間の長さより大きいので、アクセスネットワークデバイスによって端末デバイス３から受信される信号は、時間領域において、アクセスネットワークデバイスによって端末デバイス１から受信される信号と重複する。その結果、端末デバイス３の信号は、端末デバイス１の信号と干渉し、アクセスネットワークデバイスによる、端末デバイス３の信号または端末デバイス１の信号に対する復調の性能に影響を与える。好ましくは、第３時間長は、ガード時間の時間長に等しい。好ましくは、第３時間長は、ガード時間の時間長より短い。言い換えれば、ガード時間はまた、送信が遅延したシンボルのために確保される。好ましくは、第３時間長は、第１時間長、および、ガード時間の時間長のうちの、より小さい時間長より短い。
【０１４１】
フォーマット０、フォーマット１、フォーマット２またはフォーマット４については、シンボルはガード時間を含み、ガード時間の時間長は、予め設定された巡回プレフィックスの時間長より短い。したがって、この方式において、第３時間長は、ガード時間の時間長に等しいか、または、より短い。
【０１４２】
フォーマット３については、シンボルはガード時間を含み、ガード時間の時間長は、予め設定された巡回プレフィックスの時間長より長い。したがって、この方式において、第３時間長は、予め設定された巡回プレフィックスの時間長より短いことがあり得る。
【０１４３】
ここで、説明の便宜上、方式２による送信プロセスは、送信されるランダムアクセスプリアンブル系列のフォーマットがフォーマット０である例を使用することによっても説明される。
【０１４４】
図５ｃを参照すると、図５ｃは、フォーマット０のランダムアクセスプリアンブル系列の送信の概略図である。上述のように、フォーマット０のランダムアクセスプリアンブル系列の予め設定された巡回プレフィックスによって占有される時間長、フォーマット０のランダムアクセスプリアンブル系列の情報セグメントによって占有される時間長、および、フォーマット０のランダムアクセスプリアンブル系列のガード時間によって占有される時間長は、それぞれ、１０３．１μｓ、８００μｓ、９６．９μｓである。図において、シンボルの開始時点は、予め設定されたランダムアクセスプリアンブル系列における予め設定された巡回プレフィックスの開始時点であり、第２時点は、予め設定されたランダムアクセスプリアンブル系列の情報セグメントの開始時点である。
【０１４５】
第３時間長は８５μｓであり、ガード時間の時間長より短いと仮定する。言い換えれば、シンボルの開始時点と時間ウィンドウの終了時点との間の時間長は、８５μｓである。端末デバイスが、シンボルの開始時点において、非ライセンススペクトルにおけるチャネル使用権を取得しなかったが、時間ウィンドウの終了時点の前の第１時点において、チャネル使用権を取得し、かつ、第１時点とシンボルの開始時点との間の時間の長さが２０μｓである場合、端末デバイスは、第１時点から、ランダムアクセスプリアンブル系列を送信し得る。ランダムアクセスプリアンブル系列の実際の巡回プレフィックスの長さは、予め設定された巡回プレフィックスの長さに等しい。端末デバイスは、信号送信が遅延する２０μｓ時間長情報をアクセスネットワークデバイスへ報告し得て、それにより、アクセスネットワークデバイスは、タイミングアドバンスＴＡとも称される、端末デバイスの往復時間を推定するとき、２０μｓを減算し、求められたＴＡ情報を端末デバイスへ送信する。代替的に、端末デバイスは、信号送信が遅延する時間長情報２０μｓをアクセスネットワークデバイスへ報告しないが、アクセスネットワークデバイスから受信されたＴＡ情報から求められた時間長から２０μｓを減算し、端末デバイスの実際のＴＡ情報を求める。
【０１４６】
図５ｃに示される概略図は、本願のこの実施形態における一例に過ぎないことに留意すべきである。
【０１４７】
本願のこの実施形態において、シンボルの開始時点は、端末デバイスによって判定される開始時点であり、信号を送信するために使用され、システムにおけるシンボルの開始時点と同一か、または、異なり得ることをさらに留意すべきである。これは本願において限定されない。
【０１４８】
任意で、端末デバイスは、アクセスネットワークデバイスによって送信される指示情報に基づいて、第３時間長を判定する。指示情報は、第３時間長、第３時間長の開始時点、および、第３時間長の終了時点のうちの少なくとも１つを含む。ここではこれに限定されない。
【０１４９】
本願のこの実施形態において、端末デバイスは、第１時点において、非ライセンススペクトルにおけるチャネル使用権を取得する。第１時点は、時間ウィンドウのセグメントにおける任意の時点である。時間ウィンドウの開始時点は、予め設定されたランダムアクセスプリアンブル系列を送信する開始時点の以前であり、時間ウィンドウの終了時点は、第２時点の以前であり、第２時点を含まず、第２時点は、予め設定されたランダムアクセスプリアンブル系列の情報セグメントを送信する開始時点である。第１時点において、非ライセンススペクトルリソースにおけるチャネル使用権を取得した後に、端末デバイスは、予め定められたフォーマットに基づいて、ランダムアクセスプリアンブル系列を送信できる。送信されるランダムアクセスプリアンブル系列の実際の巡回プレフィックスの時間長は、予め設定された巡回プレフィックスの第１時間長に等しく、シンボルの開始時点と第１時点との間の時間長が、第１時間長およびガード時間の時間長のうちの、より小さい長さに等しいか、または、より短いことを保証し、それにより、アクセスネットワークデバイスによって異なる端末デバイスから受信される信号が互いに干渉することを回避する。
【０１５０】
一方で、本願のこの実施形態において、端末デバイスはさらに、シンボルの開始時点と、非ライセンススペクトルにおけるチャネル使用権が取得される時点との間の時間長を判定し得て、時間長情報をアクセスネットワークデバイスへ報告し、それにより、アクセスネットワークデバイスは、端末デバイスの測定された往復伝送時間から、当該時間を減算し、端末デバイスの実際の往復伝送時間を求める。
【０１５１】
［実施形態２］
本願のこの実施形態は、信号伝送方法を提供する。本願のこの実施形態において提供される方法は、非ライセンススペクトルにおけるチャネルリソースを使用するシナリオに適用され得る。図６を参照すると、図６は、本願のこの実施形態における信号伝送方法の実施形態の概略図である。方法は以下の段階を含む。
【０１５２】
６０１．アクセスネットワークデバイスが第１セットを判定する。
【０１５３】
第１セットは、１つのサブフレームにおける、信号伝送のための少なくとも２つの予め設定された開始時点を含む。
【０１５４】
任意で、第１セットは、１つのサブフレームにおける、信号伝送のための少なくとも２つの予め設定された開始時点を含む。アクセスネットワークデバイスは、端末デバイスが信号伝送を実行し得る時点において、１つのサブフレームにおけるいくつかのシンボルの開始時点を判定し得る。例えば、アクセスネットワークデバイスは、１つのサブフレームにおいて、シンボル１、シンボル４、シンボル７、シンボル１０およびシンボル１３を、端末デバイスが信号伝送を実行し得るシンボルとして判定する。次に、第１セットは、５つの時点、すなわち、シンボル１、シンボル４、シンボル７、シンボル１０およびシンボル１３の開始時点を含む。第１時点は、シンボル１、シンボル４、シンボル７、シンボル１０およびシンボル１３のうちの１つの開始時点である。
【０１５５】
任意で、１つのサブフレームは、アップリンクサブフレーム全体である。
【０１５６】
任意で、１つのサブフレームは、アップリンクサブフレームの一部であり、アップリンクサブフレームの一部は、少なくとも１つのシンボルがアップリンク伝送のために使用されないサブフレームである。さらに任意で、１つのサブフレームは、アップリンクサブフレームの一部であり、アップリンクサブフレームの一部は、少なくとも最後のシンボルがアップリンク伝送のために使用されないサブフレームである。代替的に、１つのサブフレームは、アップリンクサブフレームの一部であり、アップリンクサブフレームの一部は、少なくとも最初のシンボルがアップリンク伝送のために使用されないサブフレームである。
【０１５７】
６０２．アクセスネットワークデバイスが第１リソースおよび第２リソースを判定する。
【０１５８】
第１リソースおよび第２リソースは異なる周波数領域リソースであり、時間領域における、第１リソースおよび第２リソースの開始時点は、両方とも第１時点である。
【０１５９】
第１時点は、第１セットにおける時点である。
【０１６０】
第１リソースは、第１信号を伝送するために使用され、第２リソースは、第２信号を伝送するために使用される。
【０１６１】
段階６０１と段階６０２との間の順序は限定されないことに留意すべきである。
【０１６２】
任意で、第１リソースは、物理ランダムアクセスプリアンブル系列を伝送するために使用され、第２リソースはサウンディング参照信号を伝送するために使用される。さらに任意で、第１リソースは、ＬＴＥシステムまたはその発展型システムにおいて、フォーマット４の物理ランダムアクセスプリアンブル系列を伝送するために使用され、第２リソースは、ＬＴＥシステムまたはその発展型システムにおいて、サウンディング参照信号を伝送するために使用される。
【０１６３】
任意で、第１リソースおよび第２リソースは両方とも、物理ランダムアクセスプリアンブル系列を伝送するために使用される。さらに任意で、第１リソースおよび第２リソースは両方とも、ＬＴＥシステムまたはその発展型システムにおいて、フォーマット４の物理ランダムアクセスプリアンブル系列を伝送するために使用される。
【０１６４】
任意で、第１リソースおよび第２リソースは両方とも、サウンディング参照信号を伝送するために使用される。さらに任意で、第１リソースおよび第２リソースは両方とも、ＬＴＥシステムまたはその発展型システムにおいて、サウンディング参照信号を伝送するために使用される。
【０１６５】
図７ａは、アクセスネットワークデバイスが第１リソースおよび第２リソースを判定することを示す概略図である。図７ａから図７ｃに示されるように、アクセスネットワークデバイスは第１セットを判定する。第１セットは、アップリンクサブフレーム全体における信号伝送に使用される予め設定された開始時点である。具体的には、第１セットは、４つの時点、すなわち、シンボル１、シンボル４、シンボル７およびシンボル１０の開始時点を含み、第１時点は、シンボル１、シンボル４、シンボル７およびシンボル１０のうちの１つの開始時点である。第１時点はシンボル４の開始時点であると仮定すると、アクセスネットワークデバイスは、シンボル４の開始時点から、第１リソースおよび第２リソースの割り当てを判定する。第１リソースおよび第２リソースは異なる周波数領域リソースである。第１リソースは、物理ランダムアクセスプリアンブル系列を伝送するために使用され、第２リソースは、サウンディング参照信号を伝送するために使用される。
【０１６６】
図７ｂは、アクセスネットワークデバイスが第１リソースおよび第２リソースを判定することを示す概略図である。図７ｂに示されるように、アクセスネットワークデバイスは第１セットを判定する。第１セットは、アップリンクサブフレームの一部における信号伝送のために使用される、予め設定された開始時点であり、アップリンクサブフレームの一部は、少なくとも最初のシンボルがアップリンク伝送のために使用されないサブフレームである。具体的には、第１セットは、２つの時点、すなわち、シンボル８およびシンボル１１の開始時点を含み、第１時点は、シンボル８およびシンボル１１のうちの１つの開始時点である。第１時点がシンボル８の開始時点であると仮定すると、アクセスネットワークデバイスは、シンボル８の開始時点から、第１リソースおよび第２リソースを割り当てることを判定する。第１リソースおよび第２リソースは異なる周波数領域リソースである。第１リソースは、物理ランダムアクセスプリアンブル系列を伝送するために使用され、第２リソースは、サウンディング参照信号を伝送するために使用される。
【０１６７】
図７ｃは、アクセスネットワークデバイスが第１リソースおよび第２リソースを判定することを示す概略図である。図７ｃに示されるように、アクセスネットワークデバイスは第１セットを判定する。第１セットは、アップリンクサブフレームの一部における信号伝送のために使用される、予め設定された開始時点であり、アップリンクサブフレームの一部は、少なくとも最後のシンボルがアップリンク伝送のために使用されないサブフレームである。具体的には、第１セットは、３つの時点、すなわち、シンボル０、シンボル３およびシンボル６の開始時点を含み、第１時点は、シンボル０、シンボル３およびシンボル６のうちの１つの開始時点である。第１時点がシンボル３の開始時点であると仮定すると、アクセスネットワークデバイスは、シンボル３の開始時点から、第１リソースおよび第２リソースを割り当てることを判定する。第１リソースおよび第２リソースは異なる周波数領域リソースである。第１リソースは、物理ランダムアクセスプリアンブル系列を伝送するために使用され、第２リソースは、サウンディング参照信号を伝送するために使用される。
【０１６８】
６０３．アクセスネットワークデバイスが、第１リソースを含む情報を第１端末デバイスへ送信し、アクセスネットワークデバイスが、第２リソースを含む情報を第２端末デバイスへ送信する。
【０１６９】
第１端末デバイスおよび第２端末デバイスは、同一セルにおける端末デバイスであることに留意すべきである。任意で、第１端末デバイスおよび第２端末デバイスは異なる端末デバイスである。任意で、第１端末デバイスおよび第２端末デバイスは、代替的に、同一の端末デバイスであり得る。
【０１７０】
任意で、第１端末デバイスは、第１リソースを含む情報に基づいて、第１リソースを判定し、第１リソースにおいて第１信号を伝送する。
【０１７１】
任意で、第２端末デバイスは、第２リソースを含む情報に基づいて第２リソースを判定し、第２リソースにおいて第２信号を伝送する。
【０１７２】
本願のすべての実施形態において、すべての指示情報は、物理層シグナリング、媒体アクセス制御層シグナリング、または、無線リソース制御シグナリングを使用することによって、アクセスネットワークデバイスによって端末デバイスへ送信され得ることに留意すべきである。任意で、すべての指示情報は、現在のキャリアまたは現在以外のキャリアを使用することによって、アクセスネットワークデバイスによって端末デバイスへ送信され得る。本明細書において、具体的事項はこれに限定されない。
【０１７３】
任意で、端末デバイスは、アクセスネットワークデバイスによって送信された指示情報、または、予め定められた構成に基づいて、第１セットを判定し得る。
【０１７４】
本願のこの実施形態において提供される信号伝送方法において、第１端末デバイスは、第１リソースを含む情報を受信し得て、第２端末デバイスは、第２リソースを含む情報を受信し得る。第１リソースおよび第２リソースは、異なる周波数領域リソースであり、時間領域における、第１リソースおよび第２リソースの開始時点は両方とも第１時点であり、第１時点は、第１セットにおける時点であり、第１セットは、１つのサブフレームにおける信号伝送に使用される少なくとも２つの予め設定された開始時点を含む。第１端末デバイスは、第１時点から、第１リソースにおいて第１信号を送信し、第２端末デバイスは、第１時点から、第２リソースにおいて第２信号を送信する。言い換えれば、信号が非ライセンススペクトルリソースで送信されるとき、端末デバイスの送信時点は、１つのサブフレームに１つだけの伝送機会があることに限定されず、１つのサブフレームには複数の送信機会があり得る。したがって、従来技術と比較すると、信号送信機会が増加する。言い換えれば、非ライセンススペクトルリソースにおいて、非ライセンススペクトルにおけるチャネル上で信号が送信されるとき、信号送信確率が増加する。
【０１７５】
上記では、本願の実施形態における信号伝送方法を説明した。以下では、本願の実施形態における端末デバイスを説明する。
【０１７６】
図８を参照すると、図８は、本願における端末デバイスの実施形態を示す。端末デバイスは、処理モジュール８０１および送信モジュール８０２を備える。
【０１７７】
処理モジュール８０１は、第１時点において、非ライセンススペクトルにおけるチャネル使用権が取得されることを判定するように構成され、第１時点は、時間ウィンドウにおける任意の時点である。
【０１７８】
時間ウィンドウの開始時点は、シンボルの開始時点、または、シンボルの開始時点の前であり、時間ウィンドウの終了時点は、第２時点、または、第２時点の前であり、第２時点は、シンボルによって占有される時間内にあり、シンボルは、信号を送信するために使用されるシンボルであり、信号は少なくとも実際の巡回プレフィックスおよび情報セグメントを含み、実際の巡回プレフィックスおよび情報セグメントは時間的に連続し、実際の巡回プレフィックスは情報セグメントの前であり、実際の巡回プレフィックスの時間長は、予め設定された巡回プレフィックスの第１時間長に等しいか、または、それより短く、第１時間長は、シンボルの開始時点と第２時点との間の時間の長さである。
【０１７９】
送信モジュール８０２は、第１時点から信号を送信するように構成されている。
【０１８０】
上述の実施形態に関連して、処理モジュール８０１および送信モジュール８０２の機能、または、それらによって実行される段階については、上述の方法の実施形態における対応するプロセスを参照することに留意すべきである。ここでは詳細を再度説明しない。
【０１８１】
上記では、モジュール式機能の観点から、本願の実施形態における端末デバイスを説明した。以下では、ハードウェア処理の観点から本願の実施形態における端末デバイスを説明する。図９を参照すると、図９は、本願の実施形態に係る端末デバイスの概略構造図である。端末デバイス９００は、異なる構成または性能に起因して、大きく異なり得る。例えば、端末デバイス９００は、上述の実施形態における処理モジュールに対応する、１または複数の実体装置であるプロセッサ９０１（例えば、１または複数のプロセッサ）と、上述の実施形態における送信モジュールに対応する、実体装置である伝送器９０２と、メモリ９０３と、データ９０４またはプログラムコード９０５を記憶する１または複数の記憶媒体９０６（例えば、１または複数の大容量ストレージデバイス）とを備え得る。メモリ９０３および記憶媒体９０６は、一時的または永続的なストレージであり得る。記憶媒体９０６に記憶されるプログラムは、１または複数のモジュール（図示せず）を含み得て、各モジュールは、端末デバイスの一連の命令動作を含み得る。なおさらに、中央演算処理装置９０１は、記憶媒体９０６と通信し、端末デバイス９００上で、記憶媒体９０６における一連の命令動作を実行するように構成され得る。
【０１８２】
端末デバイス９００はさらに、１または複数の電源９０７および１または複数のオペレーティングシステム９０８を備え得る。
【０１８３】
本願のこの実施形態において、端末デバイスによって実行される段階は、図８に示される端末デバイスの概略構造図に基づき得る。詳細については、実施形態１における対応するプロセスを参照されたい。ここでは詳細を再度説明しない。
【０１８４】
上記は、本願の実施形態における端末デバイスを説明し、以下では、本願の実施形態におけるアクセスネットワークデバイスを説明する。図１０を参照すると、図１０は、本願の実施形態に係る基地局の実施形態の概略図である。アクセスネットワークデバイス１０００は、処理モジュール１００１および送信モジュール１００２を備える。
【０１８５】
処理モジュール１００１は、指示情報を判定するように構成され、指示情報は、時間ウィンドウの長さ情報、時間ウィンドウの開始時点情報、時間ウィンドウの終了時点情報、シンボルの開始時点情報、第２時点情報、および、第１時間長情報のうちの少なくとも１つを含む。
【０１８６】
送信モジュール１００２は、処理モジュール１００１によって判定される指示情報を端末デバイスへ送信するように構成され、それにより、端末デバイスは、指示情報に基づいて、時間ウィンドウ、シンボルの開始時点情報、第２時点、または、予め設定された巡回プレフィックスを判定する。
【０１８７】
上記では、モジュール式機能の観点から、本願の実施形態におけるアクセスネットワークデバイスを説明し、以下では、ハードウェア処理の観点から、本願の実施形態におけるアクセスネットワークデバイスを説明する。図１１において示されるように、説明の便宜上、本願の実施形態に関連する一部のみが示される。開示されない具体的な技術的詳細については、本願のこの実施形態に対応する方法の部分を参照されたい。図１１を参照すると、図１１は、本願の実施形態に係るアクセスネットワークデバイスの概略構造図である。
【０１８８】
アクセスネットワークデバイス１１０１は、上述の実施形態における処理モジュール１００１に対応する、実体装置であるプロセッサ１１０１と、送信モジュール１００２に対応する、実体装置である受信器１１０２とを備える。基地局はさらに、プログラムコードを記憶するように構成されているメモリ１１０３を備える。プログラムコードがプロセッサ１１０１によって実行されるとき、本願の実施形態における方法を実装できる。当業者であれば、図１１に示されるアクセスネットワークデバイスの構造が、アクセスネットワークデバイスに対する限定を構成するものでなく、図に示されるものより多くの、または、より少ないコンポーネントを含み得るか、または、いくつかのコンポーネントが組み合わされ得るか、または、異なるコンポーネント配置が使用され得ることを理解し得る。
【０１８９】
この実施形態において、アクセスネットワークデバイスによって実行される段階は、図１０に示されるアクセスネットワークデバイスの概略構造図に基づき得る。詳細については、上述の実施形態における対応するプロセスを参照されたい。ここでは詳細を再度説明しない。
【０１９０】
上記では、本願の実施形態における端末デバイスおよび基地局を個別に説明した。以下では、端末デバイスおよび基地局を備える信号伝送システムを説明する。図１２を参照すると、図１２は、本願の実施形態に係る信号伝送システムの実施形態の概略図である。信号伝送システム１２００は、第１端末デバイス１２０１、第２端末デバイス１２０２およびアクセスネットワークデバイス１２０３を備える。
【０１９１】
アクセスネットワークデバイス１２０３は具体的には、第１セットを判定することであって、第１セットは、１つのサブフレームにおける、信号伝送のための少なくとも２つの予め設定された開始時点を含む、こと、第１リソースおよび第２リソースを判定することであって、第１リソースおよび第２リソースは異なる周波数領域リソースであり、時間領域における、第１リソースおよび第２リソースの開始時点は両方とも第１時点であり、第１時点は第１セットにおける時点である、こと、ならびに、第１リソースを含む情報を第１端末デバイス１２０１へ送信し、第２リソースを含む情報を第２端末デバイス１２０２へ送信することを行うように構成されている。
【０１９２】
第１端末デバイス１２０１は、第１リソースを含む情報を受信し、第１時点から第１リソースにおいて第１信号を送信するように構成されている。
【０１９３】
第２端末デバイス１２０２は、第２リソースを含む情報を受信し、第１時点から第２リソースにおいて第２信号を送信するように構成されている。
【０１９４】
本発明の明細書、特許請求の範囲、および添付の図面において、（存在する場合には）用語「第１」、「第２」、「第３」、「第４」等は、同様のオブジェクト間を区別することが意図されるものであり、必ずしも具体的な順序または順番を示すものではない。そのような方式で称されるデータは、適切な状況においては置き換え可能であり、これにより、本明細書において説明されている本発明の実施形態は、本明細書において示される、または説明されている順序以外の順序で実装され得ることが理解されるべきである。「含む」という用語、および、任意の他の派生語は、非排他的な包含を含むことが意図され、例えば、一組の段階またはユニットを含むプロセス、方法、システム、製品またはデバイスは、これらのユニットに必ずしも限定されず、明示的に列挙されない、または、そのようなプロセス、方法、システム、製品またはデバイスに固有の他のユニットを含み得る。
【０１９５】
装置の実施形態におけるプロセッサは、中央演算処理装置（英文全表記：ｃｅｎｔｒａｌ  ｐｒｏｃｅｓｓｉｎｇ  ｕｎｉｔ、英文頭字語：ＣＰＵ）、ネットワークプロセッサ（英文全表記：ｎｅｔｗｏｒｋ  ｐｒｏｃｅｓｓｏｒ、英文頭字語：ＮＰ）、または、ＣＰＵおよびＮＰの組み合わせであり得ることに留意すべきである。プロセッサはさらに、ハードウェアチップを含み得る。ハードウェアチップは、具体的には、特定用途向け集積回路（英文全表記：ａｐｐｌｉｃａｔｉｏｎ‐ｓｐｅｃｉｆｉｃ  ｉｎｔｅｇｒａｔｅｄ  ｃｉｒｃｕｉｔ、英文頭字語：ＡＳＩＣ）、プログラマブルロジックデバイス（英文全表記：ｐｒｏｇｒａｍｍａｂｌｅ  ｌｏｇｉｃ  ｄｅｖｉｃｅ、英文頭字語：ＰＬＤ）、または、これらの組み合わせであり得る。加えて、ＰＬＤは、コンプレックスプログラマブルロジックデバイス（英文全表記：ｃｏｍｐｌｅｘ  ｐｒｏｇｒａｍｍａｂｌｅ  ｌｏｇｉｃ  ｄｅｖｉｃｅ、英文頭字語：ＣＰＬＤ）、フィールドプログラマブルゲートアレイ（英文全表記：ｆｉｅｌｄ‐ｐｒｏｇｒａｍｍａｂｌｅ  ｇａｔｅ  ａｒｒａｙ、英文頭字語：ＦＰＧＡ）、ジェネリックアレイロジック（英文全表記：ｇｅｎｅｒｉｃ  ａｒｒａｙ  ｌｏｇｉｃ、英文頭字語：ＧＡＬ）、または、これらの任意の組み合わせであり得る。これは、本発明において限定されない。
【０１９６】
本願において提供される、いくつかのの実施形態において、開示されるシステム、モジュールおよび方法は、他の方式で実装され得ることを理解すべきである。例えば、説明された装置の実施形態は、例示的なものに過ぎない。例えば、モジュールの区分は、単に論理的な機能の区分に過ぎず、実際に実装する際には他の区分であってもよい。例えば、複数のユニットまたはコンポーネントは、別のシステムと組み合わされまたは統合されてよい。または、いくつかの特徴は、無視されてよく、または、実行されなくてよい。加えて、表示または説明された相互結合または直接的な結合もしくは通信接続は、いくつかのインタフェースを使用することによって実装され得る。装置間またはユニット間の間接連結または通信接続は、電子的、機械的、または他の形態で実装され得る。
【０１９７】
別個の部分として説明されたユニットは、物理的に分かれていてもそうでなくてもよく、また、ユニットとして表示された部分は、物理的なユニットであってもそうでなくてもよく、１箇所に所在していてもよく、または、複数のネットワークユニットにおいて分散されていてもよい。実施形態の解決法の目的を達成するための実際の要件に従って、ユニットの一部または全部が選択されてよい。
【０１９８】
加えて、本発明の実施形態における機能モジュールは、１つの処理ユニットに統合され得る、または、ユニットの各々は、物理的に単独で存在し得る、または、２つもしくはより多くのユニットは、１つのユニットに統合される。統合されたユニットは、ハードウェアの形態で実装されてよく、または、ソフトウェア機能ユニットの形態で実装されてよい。
【０１９９】
統合されたモジュールが、ソフトウェア機能ユニットの形式で実装され、独立の製品として販売または使用されるとき、統合されたユニットは、コンピュータ可読記憶媒体に記憶され得る。そのような理解に基づいて、本発明の技術的解決法は基本的に、または従来技術に寄与する部分は、または技術的解決法の全部もしくは一部は、ソフトウェア製品の形態で実装されてよい。ソフトウェア製品は、記憶媒体に記憶され、（パーソナルコンピュータ、サーバ、またはネットワークデバイスであってよい）本発明の実施形態において説明された方法の段階のうちの全部または一部を実行するようコンピュータデバイスに命令するためのいくつかの命令を含む。上記の記憶媒体は、プログラムコードを記憶できる、ＵＳＢフラッシュドライブ、リムーバブルハードディスク、リードオンリメモリ（ＲＯＭ、Ｒｅａｄ‐Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクをなどの任意の媒体を含む。
【０２００】
上述の実施形態は、本発明の技術的解決法を説明することが意図されているに過ぎず、本発明を限定することが意図されているわけではない。本発明は、上述の実施形態に関連して詳細に説明されているが、本発明の実施形態の技術的解決法の主旨および範囲から逸脱することなく、さらに、上述の実施形態において説明された技術的解決法に対して変更を施し、または、これらのいくつかの技術的機能に対して均等な置き換えを行い得ることを当業者は理解すべきである。
【図１】
2019512949.tif 000005
【図２】
2019512949.tif 000006
【図３】
2019512949.tif 000007
【図４ａ】
2019512949.tif 000008
【図４ｂ】
2019512949.tif 000009
【図４ｃ】
2019512949.tif 000010
【図５ａ】
2019512949.tif 000011
【図５ｂ】
2019512949.tif 000012
【図５ｃ】
2019512949.tif 000013
【図６】
2019512949.tif 000014
【図７ａ】
2019512949.tif 000015
【図７ｂ】
2019512949.tif 000016
【図７ｃ】
2019512949.tif 000017
【図８】
2019512949.tif 000018
【図９】
2019512949.tif 000019
【図１０】
2019512949.tif 000020
【図１１】
2019512949.tif 000021
【図１２】
2019512949.tif 000022
【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
端末デバイスが、非ライセンススペクトルにおけるチャネルの使用権限が第１時点において取得されることを判定する段階であって、前記第１時点は、時間ウィンドウにおける任意の時点であり、前記時間ウィンドウの開始時点は、シンボルの開始時点、または、前記シンボルの前記開始時点の前であり、前記時間ウィンドウの終了時点は、第２時点、または、前記第２時点の前であり、前記第２時点は、前記シンボルによって占有される時間内にあり、前記シンボルは、信号を送信するために使用されるシンボルであり、前記信号は、少なくとも実際の巡回プレフィックスおよび情報セグメントを含み、前記実際の巡回プレフィックスおよび前記情報セグメントは時間的に連続し、前記実際の巡回プレフィックスは、前記情報セグメントの前であり、前記実際の巡回プレフィックスの時間長は、予め設定された巡回プレフィックスの第１時間長に等しいか、または、より短く、前記第１時間長は、前記シンボルの前記開始時点と前記第２時点との間の時間の長さである、段階と、
前記端末デバイスが前記第１時点から前記信号を送信する段階と
を備える信号伝送方法。
【請求項２】
前記実際の巡回プレフィックスの前記時間長は、前記第１時間長より短く、
前記端末デバイスが、前記第１時点から前記信号を送信する前記段階は、
前記端末デバイスが、前記第１時点から前記第２時点まで、前記信号の前記実際の巡回プレフィックスを送信する段階と、
前記端末デバイスが、前記第２時点から、前記信号の前記情報セグメントを送信する段階と
を含む、請求項１に記載の信号伝送方法。
【請求項３】
前記実際の巡回プレフィックスの前記時間長は、第２時間長に等しいか、または、より大きい、請求項２に記載の信号伝送方法。
【請求項４】
端末デバイスが、非ライセンススペクトルにおけるチャネルの使用権限が第１時点において取得されることを判定する前記段階の前に、前記信号伝送方法はさらに、
前記端末デバイスが、アクセスネットワークデバイスによって送信された指示情報、または、予め定められた構成に基づいて、前記第２時間長を判定する段階
を備える、請求項３に記載の信号伝送方法。
【請求項５】
前記実際の巡回プレフィックスの前記時間長は、前記第１時間長に等しく、
前記シンボルは、ガード時間長を含み、
前記時間ウィンドウの前記終了時点は、前記第２時点の前であり、前記シンボルの前記開始時点と前記時間ウィンドウの前記終了時点との間の時間長は、第３時間長に等しく、前記第３時間長は、前記第１時間長および前記ガード時間長のうちの、より小さい値より短い、
請求項１に記載の信号伝送方法。
【請求項６】
前記信号伝送方法はさらに、
前記端末デバイスが、前記シンボルの前記開始時点と、前記第１時点との間の時間長についての情報を判定する段階と、
前記端末デバイスが、前記時間長の情報をアクセスネットワークデバイスへ送信する段階と
を備える、請求項５に記載の信号伝送方法。
【請求項７】
端末デバイスが、非ライセンススペクトルにおけるチャネルの使用権限が第１時点において取得されることを判定する前記段階の前に、前記信号伝送方法はさらに、
前記端末デバイスが、アクセスネットワークデバイスによって送信された指示情報、または、予め定められた構成に基づいて、前記第３時間長を判定する段階
を備える、請求項５または６に記載の信号伝送方法。
【請求項８】
端末デバイスが、非ライセンススペクトルにおけるチャネルの使用権限が第１時点において取得されることを判定する前記段階の前に、前記信号伝送方法はさらに、
前記端末デバイスが、アクセスネットワークデバイスによって送信された指示情報、または、前記予め定められた構成に基づいて、
前記時間ウィンドウの長さ、
前記時間ウィンドウの前記開始時点、
前記時間ウィンドウの前記終了時点、
前記シンボルの前記開始時点、
前記第２時点、および、
前記第１時間長
のうちの少なくとも１つの情報を判定する段階
を備える、請求項１から７のいずれか一項に記載の信号伝送方法。
【請求項９】
前記信号は、ロングタームエボリューションＬＴＥシステムにおける物理ランダムアクセスプリアンブル系列であり、
前記物理ランダムアクセスプリアンブル系列のフォーマットは、
フォーマット０、または、
フォーマット１、または、
フォーマット２、または、
フォーマット３、または、
フォーマット４
である、
請求項１から８のいずれか一項に記載の信号伝送方法。
【請求項１０】
アクセスネットワークデバイスが、指示情報を判定する段階であって、前記指示情報は、時間ウィンドウの長さ情報、前記時間ウィンドウの開始時点情報、前記時間ウィンドウの終了時点情報、シンボルの開始時点情報、第２時点情報、および、第１時間長情報のうちの少なくとも１つを含む、段階と、
前記アクセスネットワークデバイスが、前記指示情報を端末デバイスへ送信することにより、前記端末デバイスが、前記指示情報に基づいて、前記時間ウィンドウ、前記シンボルの前記開始時点情報、第２時点、または、予め設定された巡回プレフィックスを判定する段階と
を備える信号伝送方法。
【請求項１１】
前記指示情報はさらに、第２時間長情報または第３時間長情報を含む、請求項１０に記載の信号伝送方法。
【請求項１２】
アクセスネットワークデバイスが第１セットを判定する段階であって、前記第１セットは、１つのサブフレームにおける、信号伝送のための少なくとも２つの予め設定された開始時点を含む、段階と、
前記アクセスネットワークデバイスが、第１リソースおよび第２リソースを判定する段階であって、前記第１リソースおよび前記第２リソースは、異なる周波数領域リソースであり、時間領域における、前記第１リソースおよび前記第２リソースの開始時点は両方とも第１時点であり、前記第１時点は、前記第１セットにおける時点である、段階と、
前記アクセスネットワークデバイスが、前記第１リソースを含む情報を第１端末デバイスへ送信し、前記アクセスネットワークデバイスが、前記第２リソースを含む情報を第２端末デバイスへ送信する段階と
を備え、
前記第１リソースは、第１信号を伝送するために使用され、前記第２リソースは、第２信号を伝送するために使用される、
信号伝送方法。
【請求項１３】
前記第１信号は、物理ランダムアクセスプリアンブル系列であり、前記第２信号は、サウンディング参照信号である、請求項１２に記載の信号伝送方法。
【請求項１４】
第１端末デバイスが、第１リソースを含む情報を受信する段階と、
第２端末デバイスが、第２リソースを含む情報を受信する段階と、
を備え、
前記第１リソースおよび前記第２リソースは、異なる周波数領域リソースであり、時間領域における、前記第１リソースおよび前記第２リソースの開始時点は両方とも第１時点であり、前記第１時点は第１セットにおける時点であり、前記第１セットは、１つのサブフレームにおける、信号伝送のための少なくとも２つの予め設定された開始時点を含み、
前記第１端末デバイスが、前記第１時点から、前記第１リソースにおいて第１信号を送信し、前記第２端末デバイスが、前記第１時点から、前記第２リソースにおいて第２信号を送信する段階
を備える信号伝送方法。
【請求項１５】
前記第１信号は物理ランダムアクセスプリアンブル系列であり、前記第２信号はサウンディング参照信号である、請求項１４に記載の信号伝送方法。
【請求項１６】
非ライセンススペクトルにおけるチャネルの使用権限が第１時点において取得されることを判定し、前記第１時点は、時間ウィンドウにおける任意の時点である、処理モジュールであって、前記時間ウィンドウの開始時点は、シンボルの開始時点、または、前記シンボルの前記開始時点の前であり、前記時間ウィンドウの終了時点は、第２時点、または、前記第２時点の前であり、前記第２時点は、前記シンボルによって占有される時間内にあり、前記シンボルは、信号を送信するために使用されるシンボルであり、前記信号は、少なくとも実際の巡回プレフィックスおよび情報セグメントを含み、前記実際の巡回プレフィックスおよび前記情報セグメントは時間的に連続し、前記実際の巡回プレフィックスは、前記情報セグメントの前であり、前記実際の巡回プレフィックスの時間長は、予め設定された巡回プレフィックスの第１時間長に等しいか、または、より短く、前記第１時間長は、前記シンボルの前記開始時点と前記第２時点との間の時間の長さである、処理モジュールと、
前記第１時点から、前記信号を送信するように構成されている送信モジュールと
を備える端末デバイス。
【請求項１７】
前記実際の巡回プレフィックスの前記時間長は、前記第１時間長より短く、
前記送信モジュールは具体的には、
前記第１時点から前記第２時点まで、前記信号の前記実際の巡回プレフィックスを送信するように、および、
前記第２時点から、前記信号の前記情報セグメントを送信する、
請求項１６に記載の端末デバイス。
【請求項１８】
前記実際の巡回プレフィックスの前記時間長は、第２時間長に等しいか、または、より長い、請求項１７に記載の端末デバイス。
【請求項１９】
前記処理モジュールはさらに、アクセスネットワークデバイスによって送信された指示情報、または、予め定められた構成に基づいて、前記第２時間長を判定する、請求項１８に記載の端末デバイス。
【請求項２０】
前記実際の巡回プレフィックスの前記時間長は、前記第１時間長に等しく、
前記シンボルは、ガード時間長を含み、
前記時間ウィンドウの前記終了時点は、前記第２時点の前であり、前記シンボルの前記開始時点と前記時間ウィンドウの前記終了時点との間の時間長は、第３時間長に等しく、前記第３時間長は、前記第１時間長および前記ガード時間長のうちの、より小さい値より短い、
請求項１６に記載の端末デバイス。
【請求項２１】
前記処理モジュールはさらに、前記シンボルの前記開始時点と前記第１時点との間の時間長についての情報を判定し、
前記送信モジュールはさらに、前記時間長の情報をアクセスネットワークデバイスへ送信する、
請求項２０に記載の端末デバイス。
【請求項２２】
前記処理モジュールはさらに、アクセスネットワークデバイスによって送信された指示情報、または、予め定められた構成に基づいて、前記第３時間長を判定する、請求項２０または２１に記載の端末デバイス。
【請求項２３】
前記処理モジュールはさらに、
アクセスネットワークデバイスによって送信された指示情報、または、前記予め定められた構成に基づいて、
前記時間ウィンドウの長さ、
前記時間ウィンドウの前記開始時点、
前記時間ウィンドウの前記終了時点、
前記シンボルの前記開始時点、
前記第２時点、および、
前記第１時間長
のうちの少なくとも１つの情報を判定する、請求項１６から２２のいずれか一項に記載の端末デバイス。
【請求項２４】
前記信号は、ロングタームエボリューションＬＴＥシステムにおける物理ランダムアクセスプリアンブル系列であり、
前記物理ランダムアクセスプリアンブル系列のフォーマットは、
フォーマット０、または、
フォーマット１、または、
フォーマット２、または、
フォーマット３、または、
フォーマット４
である、
請求項１６から２３のいずれか一項に記載の端末デバイス。
【請求項２５】
指示情報を判定する処理モジュールであって、前記指示情報は、時間ウィンドウの長さ情報、前記時間ウィンドウの開始時点情報、前記時間ウィンドウの終了時点情報、シンボルの開始時点情報、第２時点情報、および、第１時間長情報のうちの少なくとも１つを含み、
前記処理モジュールによって判定された前記指示情報を端末デバイスへ送信し、前記端末デバイスに、前記指示情報に基づいて、前記時間ウィンドウ、前記シンボルの前記開始時点情報、第２時点、または、予め設定された巡回プレフィックスを判定させるように構成されている送信モジュール
を備えるアクセスネットワークデバイス。
【請求項２６】
前記指示情報はさらに、第２時間長情報または第３時間長情報を含む、請求項２５に記載のアクセスネットワークデバイス。
【請求項２７】
装置によって使用されるプログラムコードを記憶するコンピュータ可読記憶媒体であって、前記プログラムコードは命令を含み、前記命令が実行されるとき、前記装置は、請求項１から９のいずれか一項に記載の信号伝送方法を実装する、コンピュータ記憶媒体。
【請求項２８】
請求項１から９のいずれか一項に記載の信号伝送方法を装置に実装させるプログラム。
【手続補正２】
【補正対象書類名】明細書
【補正対象項目名】全文
【補正方法】変更
【補正の内容】
【発明の詳細な説明】
【技術分野】
【０００１】
本発明は通信技術の分野に関連し、特に、信号伝送方法、端末デバイス、アクセスネットワークデバイスおよび信号伝送システムに関連する。
【背景技術】
【０００２】
既存のロングタームエボリューション（英文全表記：Ｌｏｎｇ  Ｔｅｒｍ  Ｅｖｏｌｕｔｉｏｎ、英文頭字語：ＬＴＥ）システムにおいて、通信事業者によって使用されるスペクトルリソースは主に、ライセンススペクトルリソースである。モバイル通信ネットワークのユーザ数が増加し、通信速度およびサービス品質に対してより高い要件がユーザによって課されるにつれて、通信事業者は非ライセンススペクトルリソースに注目し始め、非ライセンススペクトルリソースを使用することによって、ネットワーク容量のオフロードを実装すること、および、サービス品質を改善することを期待している。例えば、既存のＬＴＥ使用ライセンス補助アクセス（英文全表記：Ｌｉｃｅｎｓｅｄ‐Ａｓｓｉｓｔｅｄ  Ａｃｃｅｓｓ  Ｕｓｉｎｇ  ＬＴＥ、英文頭字語：ＬＡＡ‐ＬＴＥ）システムおよびその発展型システムにおいて、既存のＬＴＥシステムにおけるキャリアアグリゲーション（英文全表記：Ｃａｒｒｉｅｒ  Ａｇｇｒｅｇａｔｉｏｎ、英文頭字語：ＣＡ）の構成および構造が使用され、通信事業者のライセンススペクトルにおけるキャリア上の通信が基本として使用され、非ライセンススペクトルにおける複数のキャリアが構成され、ライセンスキャリアが補助として使用されて非ライセンスキャリア上で通信を実行し、その結果、非ライセンススペクトルリソースを使用することによってネットワーク容量のオフロードが実装され、さらに、ライセンスキャリア上の負荷が低減される。
【０００３】
非ライセンススペクトルリソースの使用中に最初に解決される必要がある問題は、リソース競合である。既存のＬＡＡ‐ＬＴＥシステムにおいて使用されるリソース競合方法は、リッスンビフォアトーク（英文全表記：Ｌｉｓｔｅｎ  Ｂｅｆｏｒｅ  Ｔａｌｋ、英文頭字語：ＬＢＴ）と称される。ＬＢＴの基本概念は、以下の通りである。チャネル上で信号を送信する前に、各通信デバイスはまず、現在のチャネルがアイドル状態かどうか、言い換えれば、近くのノードがチャネル上で信号を送信していることを検出できるかどうかを検出する必要がある。この検出プロセスは、クリアチャネルアセスメント（英文全表記：Ｃｌｅａｒ  Ｃｈａｎｎｅｌ  Ａｓｓｅｓｓｍｅｎｔ、英文頭字語：ＣＣＡ）と称される。チャネルがアイドル状態であることを期間内に検出した場合、通信デバイスは信号を送信し得る。または、チャネルが占有されていることを検出した場合、通信デバイスは信号を現在送信できない。
【０００４】
競合方式ＬＢＴがＬＡＡ‐ＬＴＥ通信システムまたは同様の通信システムに適用されるとき、新しい問題が生じ得る。ＬＡＡ‐ＬＴＥシステムを例として使用すると、ＬＡＡ‐ＬＴＥシステムはＬＴＥシステムにおけるフレーム構造を引き継いでいるので、フレーム構造が比較的固定的であり、フレーム境界、サブフレーム境界またはシンボル境界が、時間的に固定される。言い換えれば、ＬＡＡ‐ＬＴＥシステムについては、フレーム境界、サブフレーム境界またはシンボル境界は、時間的に、判定された時点に対応する。信号は、サブフレーム境界またはシンボル境界に対応する時点のみから送信される。通信デバイスのＬＢＴ検出結果が、予め定められた信号送信時点においてチャネルが占有されているというものである場合、通信デバイスは、予め定められた信号送信時点においてチャネル上で信号を送信できない。その結果、従来技術において、信号が非ライセンススペクトルにおけるチャネル上で送信されるとき、信号の送信確率は比較的小さい。
【発明の概要】
【０００５】
本発明の実施形態は、信号伝送方法、端末デバイス、アクセスネットワークデバイスおよび信号伝送システムを提供し、これにより、非ライセンススペクトルリソース上で信号が送信されるとき、信号の送信時点はシンボル境界に限定されず、期間中の任意の時点において信号を送信することができる。したがって、従来技術と比較すると、当該実施形態では、非ライセンススペクトルリソース上で信号が送信される確率が向上する。
【０００６】
これに鑑み、第１態様によれば、本願の実施形態は、信号伝送方法を提供する。具体的な動作プロセスは、以下のように説明される。端末デバイスによって、非ライセンススペクトルにおけるチャネルの使用権限が、時間ウィンドウの任意の時点において取得されるかどうかを判定し、時間ウィンドウの開始時点は、シンボルの開始時点であるか、または、シンボルの開始時点以前であり、時間ウィンドウの終了時点は、第２時点であるか、または、第２時点以前であり、第２時点は、シンボルによって占有される時間内にあり、シンボルは、少なくとも実際の巡回プレフィックスおよび情報セグメントを含む信号を送信するために使用され、実際の巡回プレフィックスおよび情報セグメントは時間的に連続し、実際の巡回プレフィックスは、情報セグメントの前であり、実際の巡回プレフィックスの時間長は、予め設定された巡回プレフィックスの第１時間長に等しいか、または、より短く、第１時間長は、シンボルの開始時点と第２時点との間の時間の長さであり、端末デバイスによって、第１時点から信号を送信する。
【０００７】
上述の説明から理解できるように、本願のこの実施形態において、非ライセンススペクトルリソース上のチャネルの使用権限が取得されるとき、非ライセンススペクトルリソース上で、非ライセンススペクトルにおけるチャネル上で信号が送信されるとき、信号の送信時点は、シンボル境界に限定されず、信号は、期間における任意の時点において送信でき、それにより、従来技術と比較すると、この実施形態では、非ライセンススペクトルリソース上で、非ライセンススペクトルにおけるチャネル上で信号を送信する確率が向上する。
【０００８】
可能な設計において、信号の実際の巡回プレフィックスの時間長は、第１時間長より短く、端末デバイスが、第１時点から信号を送信する段階は、端末デバイスが、第１時点から第２時点まで、信号の実際の巡回プレフィックスを送信する段階と、端末デバイスが、第２時点から、信号の情報セグメントを送信する段階とを含む。
【０００９】
一方、本願のこの実施形態において、第１時点から信号を送信する具体的な方式が提供され、解決法の実行可能性を提供する。言い換えれば、端末デバイスは、第１時点から第２時点までの期間において、時間の長さが予め設定された巡回プレフィックスより短い、信号の巡回プレフィックスを送信できる。当該巡回プレフィックスが実際の巡回プレフィックスである。端末デバイスは、第２時点から、信号の情報セグメント部分を送信する。
【００１０】
可能な設計において、実際の巡回プレフィックスの時間長は、第２時間長に等しいか、または、より長いことが保証される必要がある。
【００１１】
好ましくは、実際の適用において、巡回プレフィックスの主な機能は、信号伝送の往復時間、および、信号伝送中のマルチパス干渉によって生じる、信号復調性能に対する影響を克服することであることを考慮して、第２時間長は、端末デバイスとアクセスネットワークデバイスとの間の信号伝送の最大往復時間長と、最大チャネル遅延スプレッドとの和に等しいか、または、より長い。
【００１２】
任意で、第２時間長がセルにおけるすべてのユーザについて均一に判定され得ることを考慮すると、第２時間長は、端末デバイスのセルにおける端のユーザとアクセスネットワークデバイスとの間の信号伝送の最大往復時間長と、起こり得る最大チャネル遅延スプレッドとの和に等しいか、または、より大きい。
【００１３】
上述の説明から理解できるように、本願のこの実施形態において、送信される信号の巡回プレフィックスの時間長が、端末デバイスとアクセスネットワークデバイスとの間の信号伝送の最大往復時間長と最大チャネル遅延スプレッドとの和より大きいことが保証される。実際の適用において、信号伝送の往復時間、および、信号伝送中のマルチパス干渉によって生じる信号復調性能への影響が克服され、それにより、本願のこの実施形態の技術的解決法の実行可能性を保証する。さらに、第２時間長は、具体的には、セル端の端末デバイスと、アクセスネットワークデバイスとの間の信号伝送の最大往復時間長と、起こり得る最大チャネル遅延スプレッドとの和に等しいか、または、より長く、第２時間長は、セル端の端末デバイスを基準として使用することによって構成され、それにより、端末デバイスが成功裏に信号を送信できることを保証する。
【００１４】
可能な設計において、端末デバイスが非ライセンススペクトルにおけるチャネル使用権限を取得する前に、好ましくは、端末デバイスは、アクセスネットワークデバイスによって送信された指示情報に基づいて、第２時間長を判定し得る。
【００１５】
任意で、第２時間長は、端末デバイス自体の予め定められた構成に基づいて判定される。
【００１６】
本願のこの実施形態において、第２時間長を判定する２つの方式が提供され、それにより、本願のこの実施形態の多様性および実行可能性を向上させる。
【００１７】
可能な設計において、実際の巡回プレフィックスの時間長は、第１時間長に等しく、シンボルは、ガード時間長を含み、時間ウィンドウの終了時点は、第２時点の以前であり、シンボルの開始時点と時間ウィンドウの終了時点との間の時間長は第３時間長に等しく、第３時間長は、第１時間長およびガード時間長のうちの、より小さい時間長より短い。
【００１８】
言い換えれば、上述の説明から理解できるように、本願のこの実施形態において、この設計では、端末デバイスが信号を送信するとき、時間領域リソースの送信は、時間領域リソースの予め設定された送信と比較すると、遅延することが可能になる。しかしながら、遅延時間が過剰に長い場合、アクセスネットワークデバイスが伝送信号に対して実行する復調に影響を与えるだけでなく、当該信号の後の信号の伝送にも影響を与える。したがって、シンボルの開始時点と、時間ウィンドウの終了時点との間の時間長が第３時間長に等しくなるように、限定が課される。言い換えれば、この方式において、端末デバイスが信号を送信するときの最大遅延時間は第３時間長であり、第３時間長は、予め設定された巡回プレフィックスの時間長より短いことが可能になる。言い換えれば、本願のこの実施形態において、信号送信機会が向上し、同時に、信号送信機会の向上によって生じる、アクセスネットワークデバイスによる信号復調の結果に対する影響が減少する。
【００１９】
上述の実施形態を参照すると、可能な設計において、端末デバイスは、シンボルの開始時点と、第１時点との間の時間長についての情報を判定し、判定された時間長情報をアクセスネットワークデバイスへ報告し得る。
【００２０】
本願のこの実施形態において、アクセスネットワークデバイスは、端末デバイスの往復伝送時間、言い換えれば、タイミングアドバンス（英文全表記：Ｔｉｍｉｎｇ  Ａｄｖａｎｃｅ、英文頭字語：ＴＡ）を推定するとき、遅延の時間長を減算し得て、これにより、端末デバイスの実際のＴＡ情報を取得し、取得されたＴＡ情報を端末デバイスへ送信する。端末デバイスは、遅延の時間長が減算されたタイミングアドバンスを取得し、タイミングアドバンスに基づいてアップリンク信号伝送を実行でき、それにより、遅延した送信によって生じる影響を低減する。
【００２１】
任意で、端末デバイスは、信号送信が遅延する第１時点と、シンボルの開始時点との間の時間長についての情報をアクセスネットワークデバイスに報告しないことがあり得るが、受信された、アクセスネットワークデバイスによって送信されたＴＡ情報から取得された時間長から遅延の時間長を減算することにより、端末デバイスの実際のＴＡ情報を取得することに留意すべきである。次に、端末デバイスは、実際のタイミング情報に基づいてアップリンク信号伝送を実行し得て、それにより、送信遅延によって生じる影響を低減する。
【００２２】
可能な設計において、非ライセンススペクトルにおけるチャネル使用権限が第１時点に取得されることを端末デバイスが判定する前に、端末デバイスは、アクセスネットワークデバイスによって送信された指示情報、または、予め定められた構成に基づいて、第３時間長を判定し得る。
【００２３】
本願のこの実施形態において、第３時間長を判定する２つの方式が提供され、それにより、本願のこの実施形態の多様性および実行可能性が向上する。
【００２４】
可能な設計において、非ライセンススペクトルにおけるチャネル使用権限が第１時点において取得されることを端末デバイスが判定する前に、端末デバイスは、アクセスネットワークデバイスによって送信された指示情報、または、予め定められた構成に基づいて、以下の情報のうちの少なくとも１つを判定し得る。
時間ウィンドウの長さ
時間ウィンドウの開始時点
時間ウィンドウの終了時点
シンボルの開始時点
第２時点
第１時間長
【００２５】
言い換えれば、本願のこの実施形態において、端末デバイスは、解決法の実行可能性および多様性を判定するために、時間ウィンドウの長さなどの情報を複数の方式で判定し得る。
【００２６】
可能な設計において、上述の解決法における信号は、ロングタームエボリューションＬＴＥシステムにおける物理ランダムアクセスプリアンブル系列であり得て、さらに、物理ランダムアクセスプリアンブル系列のフォーマットは、具体的には、フォーマット０、または、フォーマット１、または、フォーマット２、または、フォーマット３、または、フォーマット４であり得る。
【００２７】
本願のこの実施形態における信号伝送方法において、信号は具体的には、物理ランダムアクセスプリアンブル系列であり得る。上述の実施形態における信号伝送方法を使用することによって、ランダムアクセスプリアンブル系列が非ライセンススペクトルリソース上で非ライセンススペクトルにおけるチャネル上で送信されるとき、ランダムアクセスプリアンブル系列の送信時点は、フレーム境界、サブフレーム境界またはシンボル境界に限定されず、ランダムアクセスプリアンブル系列は、期間内の任意の時点に送信できる。従来技術と比較すると、この実施形態では、ランダムアクセスプリアンブル系列を送信する機会が向上する。言い換えれば、ランダムアクセスプリアンブル系列が非ライセンススペクトルリソース上の非ライセンススペクトルにおけるチャネル上で送信されるとき、シーケンスアクセス機会が向上する。
【００２８】
第２態様によると、本願の実施形態は、信号伝送方法を提供する。詳しく説明すると、方法は、アクセスネットワークデバイスが、指示情報を判定する段階であって、指示情報は、時間ウィンドウの長さ情報、時間ウィンドウの開始時点情報、時間ウィンドウの終了時点情報、シンボルの開始時点情報、第２時点情報、および、第１時間長情報のうちの少なくとも１つを含む、段階と、アクセスネットワークデバイスが、指示情報を端末デバイスへ送信することにより、端末デバイスが、指示情報に基づいて、時間ウィンドウ、シンボルの開始時点情報、第２時点、または、予め設定された巡回プレフィックスを判定する段階とを備える。
【００２９】
本願のこの実施形態において、アクセスネットワークデバイスは、指示情報を端末デバイスへ送信し得て、これにより、端末デバイスは、指示情報に基づいて、時間ウィンドウ、シンボルの開始時点情報、第２時点、または、予め設定された巡回プレフィックスを判定する。
【００３０】
可能な設計において、指示情報はさらに、第２時間長情報または第３時間長情報を含む。
【００３１】
第３態様によれば、本願の実施形態は、信号伝送方法を提供する。詳しく説明すると、方法は、アクセスネットワークデバイスが第１セットを判定する段階であって、第１セットは、１つのサブフレームにおける、信号伝送のための少なくとも２つの予め設定された開始時点を含む、段階と、アクセスネットワークデバイスが、第１リソースおよび第２リソースを判定する段階であって、第１リソースおよび第２リソースは、異なる周波数領域リソースであり、時間領域における、第１リソースおよび第２リソースの開始時点は両方とも第１時点であり、第１時点は、第１セットにおける時点である、段階と、アクセスネットワークデバイスが、第１リソースを含む情報を第１端末デバイスへ送信し、アクセスネットワークデバイスが、第２リソースを含む情報を第２端末デバイスへ送信する段階とを備え、第１リソースは、第１信号を伝送するために使用され、第２リソースは、第２信号を伝送するために使用される。
【００３２】
可能な設計において、第１信号は物理ランダムアクセスプリアンブル系列であり、第２信号はサウンディング参照信号である。
【００３３】
第４態様によれば、本願の実施形態は、信号伝送方法を提供する。詳しく説明すると、方法は、第１端末デバイスが、第１リソースを含む情報を受信する段階と、第２端末デバイスが、第２リソースを含む情報を受信する段階とを備え、第１リソースおよび第２リソースは、異なる周波数領域リソースであり、時間領域における、第１リソースおよび第２リソースの開始時点は両方とも第１時点であり、第１時点は第１セットにおける時点であり、第１セットは、１つのサブフレームにおける、信号伝送のための少なくとも２つの予め設定された開始時点を含み、第１端末デバイスが、第１時点から、第１リソースにおいて第１信号を送信し、第２端末デバイスが、第１時点から、第２リソースにおいて第２信号を送信する段階を備える。
【００３４】
可能な設計において、第１信号は物理ランダムアクセスプリアンブル系列であり、第２信号はサウンディング参照信号である。
【００３５】
第５態様によると、本願の実施形態は、端末デバイスを提供する。端末デバイスは、上述の方法の設計における端末デバイスの動作を実装する機能を有する。機能は、ハードウェアによって実装され得るか、または、対応するソフトウェアを実行するハードウェアによって実装され得る。ハードウェアまたはソフトウェアは、前述の機能に対応する１または複数のモジュールを含む。モジュールは、ソフトウェアおよび／またはハードウェアであり得る。
【００３６】
可能な設計において、端末デバイスは、非ライセンススペクトルにおけるチャネルの使用権限が第１時点において取得されることを判定するように構成され、第１時点は、時間ウィンドウにおける任意の時点である、処理モジュールであって、時間ウィンドウの開始時点は、シンボルの開始時点、または、シンボルの開始時点の前であり、時間ウィンドウの終了時点は、第２時点、または、第２時点の前であり、第２時点は、シンボルによって占有される時間内にあり、シンボルは、信号を送信するために使用されるシンボルであり、信号は、少なくとも実際の巡回プレフィックスおよび情報セグメントを含み、実際の巡回プレフィックスおよび情報セグメントは時間的に連続し、実際の巡回プレフィックスは、情報セグメントの前であり、実際の巡回プレフィックスの時間長は、予め設定された巡回プレフィックスの第１時間長に等しいか、または、より短く、第１時間長は、シンボルの開始時点と第２時点との間の時間の長さである、処理モジュールと、第１時点から、信号を送信するように構成されている送信モジュールとを備える。
【００３７】
可能な設計において、端末デバイスの構造は、プロセッサおよび伝送器を含む。プロセッサは、非ライセンススペクトルにおけるチャネルの使用権限が第１時点において取得されることを判定するように構成され、第１時点は、時間ウィンドウにおける任意の時点であり、時間ウィンドウの開始時点は、シンボルの開始時点、または、シンボルの開始時点の前であり、時間ウィンドウの終了時点は、第２時点、または、第２時点の前であり、第２時点は、シンボルによって占有される時間内にあり、シンボルは、信号を送信するために使用されるシンボルであり、信号は、少なくとも実際の巡回プレフィックスおよび情報セグメントを含み、実際の巡回プレフィックスおよび情報セグメントは時間的に連続し、実際の巡回プレフィックスは、情報セグメントの前であり、実際の巡回プレフィックスの時間長は、予め設定された巡回プレフィックスの第１時間長に等しいか、または、より短く、第１時間長は、シンボルの開始時点と第２時点との間の時間の長さであり、伝送器は、第１時点から、信号を送信するように構成されている。
【００３８】
第６態様によれば、本願の実施形態は、アクセスネットワークデバイスを提供する。アクセスネットワークデバイスは、上述の方法の設計におけるアクセスネットワークデバイスの動作を実装する機能を有する。機能は、ハードウェアによって実装され得るか、または、対応するソフトウェアを実行するハードウェアによって実装され得る。ハードウェアまたはソフトウェアは、前述の機能に対応する１または複数のモジュールを含む。モジュールは、ソフトウェアおよび／またはハードウェアであり得る。
【００３９】
可能な設計において、アクセスネットワークデバイスは、指示情報を判定するように構成されている判定モジュールであって、指示情報は、時間ウィンドウの長さ情報、時間ウィンドウの開始時点情報、時間ウィンドウの終了時点情報、シンボルの開始時点情報、第２時点情報、および、第１時間長情報のうちの少なくとも１つを含む、判定モジュールと、指示情報を端末デバイスへ送信し、端末デバイスに、指示情報に基づいて、時間ウィンドウ、シンボルの開始時点情報、第２時点、または、予め設定された巡回プレフィックスを判定させるように構成されている送信モジュールとを備える。
【００４０】
可能な設計において、アクセスネットワークデバイスの構造は、プロセッサおよび伝送器を含む。プロセッサは、指示情報を判定するように構成されている。伝送器は、指示情報を端末デバイスへ送信するように構成されている。
【００４１】
第７の態様によれば、本願の実施形態は、信号伝送システムを提供する。信号伝送システムは、第１端末デバイス、第２端末デバイスおよびアクセスネットワークデバイスを備える。信号伝送システムにおけるアクセスネットワークデバイスは、第３態様における方法の設計におけるアクセスネットワークデバイスの動作を実装する機能を有する。機能は、ハードウェアによって実装され得るか、または、対応するソフトウェアを実行するハードウェアによって実装され得る。ハードウェアまたはソフトウェアは、前述の機能に対応する１または複数のモジュールを含む。モジュールは、ソフトウェアおよび／またはハードウェアであり得る。同様に、第１端末デバイスおよび第２端末デバイスは、第４態様における方法の設計における第１端末デバイスおよび第２端末デバイスの動作を実装する機能を有する。
【００４２】
第８態様によれば、本願の実施形態は、コンピュータ記憶媒体を提供する。コンピュータ記憶媒体は、プログラムコードを記憶し、プログラムコードは、第１態様、第２態様、第３態様または第４態様における方法を実行するために命令を使用する。
【００４３】
従来技術と比較すると、上述の技術的解決法から理解できるように、本願の実施形態において、端末デバイスは、非ライセンススペクトルにおけるチャネル使用権限を第１時点において取得する。第１時点は、時間ウィンドウのセグメントにおける任意の時点である。時間ウィンドウの開始時点は、シンボルの開始時点、または、シンボルの開始時点の前であり、時間ウィンドウの終了時点は、第２時点、または、第２時点の前であり、第２時点は、シンボルによって占有される時間内にあり、シンボルは、信号を送信するために使用されるシンボルであり、信号は少なくとも実際の巡回プレフィックスおよび情報セグメントを含み、実際の巡回プレフィックスおよび情報セグメントは時間的に連続し、信号の実際の巡回プレフィックスは、時間的に情報セグメントの前である。加えて、信号の実際の巡回プレフィックスの時間長は、予め設定された巡回プレフィックスの第１時間長に等しいか、または、より短く、第１時間長は、シンボルの開始時点と第２時点との間の時間の長さである。端末デバイスは、第１時点からシーケンスを送信する。言い換えれば、本願において、信号が非ライセンススペクトルリソース上の非ライセンススペクトルにおけるチャネル上で送信されるとき、信号の送信時点は、シンボル境界に限定されず、信号は、期間内の任意の時点において送信でき、それにより、従来技術と比較すると、この実施形態では、非ライセンススペクトルリソース上で信号を送信する確率が向上する。
【図面の簡単な説明】
【００４４】
【図１】本願の実施形態に係るシステムアーキテクチャの概略図である。
【００４５】
【図２】本願の実施形態に係る信号伝送方法の実施形態の概略図である。
【００４６】
【図３】本願の実施形態に係る、信号の予め設定された時間領域リソースの概略図である。
【００４７】
【図４ａ】本願の実施形態に係る信号伝送方法の別の実施形態の概略図である。
【００４８】
【図４ｂ】本願の実施形態に係る信号伝送方法の別の実施形態の概略図である。
【００４９】
【図４ｃ】本願の実施形態に係る信号伝送方法の別の実施形態の概略図である。
【００５０】
【図５ａ】本願の実施形態に係る信号伝送方法の別の実施形態の概略図である。
【００５１】
【図５ｂ】本願の実施形態に係る、干渉を引き起こす遅延信号伝送を示す概略図である。
【００５２】
【図５ｃ】本願の実施形態に係る信号伝送方法の別の実施形態の概略図である。
【００５３】
【図６】本願の実施形態に係る信号伝送方法の別の実施形態の概略図である。
【００５４】
【図７ａ】本願の実施形態に係る信号伝送方法の別の実施形態の概略図である。
【００５５】
【図７ｂ】本願の実施形態に係る信号伝送方法の別の実施形態の概略図である。
【００５６】
【図７ｃ】本願の実施形態に係る信号伝送方法の別の実施形態の概略図である。
【００５７】
【図８】本願の実施形態に係る端末デバイスの実施形態の概略図である。
【００５８】
【図９】本願の実施形態に係る端末デバイスの別の実施形態の概略図である。
【００５９】
【図１０】本願の実施形態に係るアクセスネットワークデバイスの実施形態の概略図である。
【００６０】
【図１１】本願の実施形態に係るアクセスネットワークデバイスの別の実施形態の概略図である。
【００６１】
【図１２】本願の実施形態に係る信号伝送システムの実施形態の概略図である。
【発明を実施するための形態】
【００６２】
本発明の実施形態は、信号が非ライセンススペクトルリソース上で送信されるときに信号送信確率が比較的小さいという、従来技術における問題を解決するために、信号伝送方法、端末デバイス、アクセスネットワークデバイスおよび信号伝送システムを提供する。
【００６３】
本願における技術的解決法を当業者がより良く理解できるように、以下では、本願の実施形態における添付の図面を参照しながら、本願の実施形態における技術的解決法を明確かつ完全に説明する。当然ながら、記載された実施形態は、本願の実施形態の全部ではなく、一部に過ぎない。想像的努力なく、本願の実施形態に基づいて当業者によって得られたすべての他の実施形態は、本願の保護範囲に属するものとする。
【００６４】
ＬＴＥシステムにおいて、伝送が非ライセンススペクトルリソース上で実行されるとき、ＬＴＥシステムは、非ライセンスロングタームエボリューション（英文全表記：Ｕｎｌｉｃｅｎｓｅｄ  Ｌｏｎｇ  Ｔｅｒｍ  Ｅｖｏｌｕｔｉｏｎ、英文頭字語：Ｕ‐ＬＴＥ）システムとみなされ得ることを理解すべきである。Ｕ‐ＬＴＥは一般的に、非ライセンススペクトルを使用する、すべてのＬＴＥシステムおよびその発展型システムを指す。特に、以下の２つの事例があり得る。第１の事例において、非ライセンススペクトルリソース上のキャリア上の伝送は、ライセンススペクトルにおけるキャリアによって補助される。例えば、システムは、ＬＴＥ使用ライセンス補助アクセスシステムおよびその発展型システムである。ＬＡＡ‐ＬＴＥシステムでは、既存のＬＴＥシステムにおけるキャリアアグリゲーションの構成および構造が主に使用され、通信事業者のライセンススペクトルにおけるキャリア上の通信が基本として使用され、非ライセンススペクトルにおける複数のキャリアが構成され、ライセンスキャリアが補助として使用されて非ライセンスキャリア上で通信を実行し、その結果、非ライセンススペクトルリソースを使用することによってネットワーク容量のオフロードを実装でき、ライセンスキャリア上の負荷がさらに低減される。第２の事例において、非ライセンススペクトルリソース上のキャリア上の伝送は、ライセンススペクトルにおけるキャリアによって補助されない。例えば、システムはスタンドアロンＬＴＥ（英文全表記：Ｓｔａｎｄ‐ａｌｏｎｅ  Ｌｏｎｇ  Ｔｅｒｍ  Ｅｖｏｌｕｔｉｏｎ、英文頭字語：ＳＡ‐ＬＴＥ）システムおよびその発展型システムである。ＳＡ‐ＬＴＥシステムとＬＡＡ‐ＬＴＥシステムとの間の違いは、ＬＡＡ‐ＬＴＥシステムでは、データチャネルのみが非ライセンスキャリアにオフロードされ、初期アクセスおよびシステム共通メッセージの取得は依然としてライセンスキャリア上で実装され、一方、ＳＡ‐ＬＴＥシステムでは、ライセンスキャリアはアクセスを補助せず、その結果、ネットワークデバイスとユーザ機器との間のすべてのインタラクションプロセスは、非ライセンスキャリア上で実装される必要があるという点である。
【００６５】
本願の実施形態の技術的解決法は、無線セルラネットワークにおける様々な通信システム、例えば、グローバルシステムフォーモバイルコミュニケーションズ（英文全表記：Ｇｌｏｂａｌ  Ｓｙｓｔｅｍ  ｆｏｒ  Ｍｏｂｉｌｅ  ｃｏｍｍｕｎｉｃａｔｉｏｎｓ、英文頭字語：ＧＳＭ（登録商標））システム、符号分割多元接続（英文全表記：Ｃｏｄｅ  Ｄｉｖｉｓｉｏｎ  Ｍｕｌｔｉｐｌｅ  Ａｃｃｅｓｓ、英文頭字語：ＣＤＭＡ（登録商標））システム、広帯域符号分割多元接続（英文全表記：Ｗｉｄｅｂａｎｄ  Ｃｏｄｅ  Ｄｉｖｉｓｉｏｎ  Ｍｕｌｔｉｐｌｅ  Ａｃｃｅｓｓ、英文頭字語：ＷＣＤＭＡ（登録商標））システム、ジェネラルパケットラジオサービス（英文全表記：Ｇｅｎｅｒａｌ  Ｐａｃｋｅｔ  Ｒａｄｉｏ  Ｓｅｒｖｉｃｅ、英文頭字語：ＧＰＲＳ（登録商標））システム、ＬＴＥシステム、ユニバーサル移動体通信システム（英文全表記：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、英文頭字語：ＵＭＴＳ（登録商標））、または、将来の５Ｇ通信システムに適用され得る。これは本願において限定されない。
【００６６】
本願の実施形態の技術的解決法は主に、ＬＴＥシステムおよびその発展型システムに適用され、特に、ＬＡＡ‐ＬＴＥシステムまたはＳＡ‐ＬＴＥシステムに適用される。本発明の実施形態が適用される、通信システムにおけるネットワーク要素は、アクセスネットワークデバイス（ネットワークデバイスとも称される）および端末デバイス（ユーザ機器とも称される）である。本願の実施形態の技術的解決法はまた、固定的なサブフレーム境界またはシンボル境界を含む、かつ、リソース競合要件を有する別の同様の通信システムに適用され得る。これは本願において限定されない。
【００６７】
本願の実施形態の技術的解決法において、１つのシンボルは、少なくとも巡回プレフィックス（英文全表記：Ｃｙｃｌｉｃ  Ｐｒｅｆｉｘ、英文頭字語：ＣＰ）部分および情報セグメント部分を含むことを理解すべきである。情報セグメント部分は、シンボルのすべての情報を含む。ＣＰは、信号の情報セグメントの一部を反復する。本願の実施形態における技術的解決法において、シンボルは、ＬＴＥシステムにおける直交周波数分割多重（英文全表記：Ｏｒｔｈｏｇｏｎａｌ  Ｆｒｅｑｕｅｎｃｙ  Ｄｉｖｉｓｉｏｎ  Ｍｕｌｔｉｐｌｅｘ、英文頭字語：ＯＦＤＭ）シンボルであり得るか、または、ＬＴＥシステムにおける単一搬送波周波数分割多元接続（英文全表記：Ｓｉｎｇｌｅ  Ｃａｒｒｉｅｒ‐Ｆｒｅｑｕｅｎｃｙ  Ｄｉｖｉｓｉｏｎ  Ｍｕｌｔｉｐｌｅ  Ａｃｃｅｓｓ、英文頭字語：ＳＣ‐ＦＤＭＡ）シンボルであり得るか、または、ＬＴＥシステムにおいてランダムアクセスプリアンブル系列によって占有されるシンボルであり得る。本願の実施形態における技術的解決法において、シンボルは、別の種類の通信シンボルであり得る。これは本願において限定されない。
【００６８】
本願の実施形態において、基地局および端末デバイスが所在する通信システムは、予め定められた、または、固定された、サブフレーム開始時点、サブフレーム終了時点、シンボル開始時点およびシンボル終了時点を含む通信システムであることを理解すべきである。この通信システムにおいて、時間は固定的な時間単位によって分割される。言い換えれば、時間単位の粒度、ならびに、時間単位の開始時点および終了時点が判定されるとき、過去および未来の時間単位の開始時点および終了時点を知ることができる。本願の実施形態において、サブフレーム境界は、サブフレームの開始時点、または、サブフレームの終了時点であり、シンボル境界はシンボルの開始時点または終了時点であり、サブフレームの開始時点は先行のサブフレームの終了時点と同等であり、シンボルの開始時点は先行のシンボルの終了時点と同等である。第１期間および第２期間は時間的に連続し、第１期間は第２期間の前であると仮定すると、第１期間の終了時点は第２期間の開始時点と同等であるとみなされ得る。
【００６９】
図１を参照すると、図１は、本願において提案される解決法が適用され得る適用シナリオを示す。当該シナリオは、セル基地局１０１、当該セル基地局１０１の近くにあるセル基地局１０２、および、セル基地局１０１の受信可能範囲に所在し、セル基地局１０１と通信している端末デバイス１０３を含む。セル基地局１０１および端末デバイス１０３は、具体的には、非ライセンススペクトルリソースを使用することによって実行される、かつ、固定的なフレーム境界、サブフレーム境界またはシンボル境界を有する通信をサポートする通信デバイスである。セル基地局１０２によってサポートされる周波数帯域は、セル基地局１０１によってサポートされるものと同一であり得る。セル基地局１０２およびセル基地局１０１は、同一の種類の通信デバイスであり得るか、または、異なる種類の通信デバイスであり得る。例えば、セル基地局１０１は、ＬＴＥシステムにおける基地局であり得て、対応する端末デバイス１０３は、ＬＴＥシステムにおける端末デバイスであり得る。セル基地局１０２はまた、ＬＴＥシステムにおける基地局であり得るか、または、Ｗｉ‐Ｆｉシステムにおける無線ルータ、無線リピータもしくは端末デバイスであり得る。本明細書において、具体的事項はこれに限定されない。
【００７０】
本願の実施形態において、端末デバイスはまた、ユーザ機器（英文全表記：Ｕｓｅｒ  Ｅｑｕｉｐｍｅｎｔ、英文頭字語：ＵＥ）、移動局（英文全表記：Ｍｏｂｉｌｅ  Ｓｔａｔｉｏｎ、英文頭字語：ＭＳ）、または、モバイル端末などと称され得る。端末デバイスは、無線アクセスネットワーク（英文全表記：Ｒａｄｉｏ  Ａｃｃｅｓｓ  Ｎｅｔｗｏｒｋ、英文頭字語：ＲＡＮ）を通して、１または複数のコアネットワークと通信し得る。例えば、端末デバイスは、携帯電話、または、モバイル端末を有するコンピュータであり得る。代替的に、端末デバイスは、ポータブル、ポケットサイズ、ハンドヘルド、コンピュータ内蔵、または、車載のモバイル装置であり得て、無線アクセスネットワークとの間で音声および／またはデータを交換する。加えて、アクセスネットワークデバイスは、ＬＴＥシステムおよびその発展型システムにおける発展型ＮｏｄｅＢ（英文全表記：Ｅｖｏｌｖｅｄ  Ｎｏｄｅ  Ｂ、英文頭字語：ｅＮＢまたはｅ‐ＮｏｄｅＢ）、マクロ基地局、ミクロ基地局、ピコ基地局、アクセスポイント（英文全表記：Ａｃｃｅｓｓ  Ｐｏｉｎｔ、英文頭字語：ＡＰ）、伝送ポイント（英文全表記：Ｔｒａｎｓｍｉｓｓｉｏｎ  Ｐｏｉｎｔ、英文頭字語：ＴＰ）、または同様のものであり得る。これは本願において限定されない。
【００７１】
説明の便宜上、本願のシナリオは、アクセスネットワークデバイスを例として使用して説明される。図１に示されるシナリオにおいて、非ライセンススペクトルにおけるチャネル上で信号をセル基地局１０１へ送信するとき、端末デバイス１０３は、非ライセンススペクトルにおけるチャネル上で信号を送信する前に、まず非ライセンススペクトルにおけるチャネル使用権限を取得する必要がある。
【００７２】
本願のこの実施形態において、端末デバイスが非ライセンススペクトルにおけるチャネル上で信号を送信するとき、信号の送信時点は、フレーム境界、サブフレーム境界またはシンボル境界に対応する時点に限定されず、期間内の任意の時点において信号を送信でき、それにより、従来技術と比較すると、この実施形態では、非ライセンススペクトルリソース上で、非ライセンススペクトルにおけるチャネル上で信号を送信する確率が向上する。
【００７３】
以下では、特定の例を参照しながら本願の実施形態を詳細に説明する。これらの例は、当業者が本願の実施形態をより良く理解することを助けるために使用されるに過ぎず、本願の実施形態の範囲を限定することを意図するものではないことに留意すべきである。本願の様々な実施形態において、以下に記載される方法のプロセスの連続する番号は、実行順序を意味するものではなく、プロセスの実行順序は、機能およびその内部論理に基づいて判定されるべきであることを理解されたい。連続する番号は、本願の実施形態の実装プロセスに対していかなる制限も構成すべきでない。
【００７４】
［実施形態１］
本願のこの実施形態は、信号伝送方法を提供する。本発明のこの実施形態において提供される方法は、非ライセンススペクトルにおけるチャネルリソースを使用するシナリオに適用され得る。具体的には、図２を参照すると、図２は、本願のこの実施形態における信号伝送方法の実施形態の概略図である。この方法は以下の段階を備える。
【００７５】
２０１．端末デバイスが、非ライセンススペクトルにおけるチャネルの使用権限が第１時点において取得されたと判定する。
【００７６】
第１時点は、時間ウィンドウにおける任意の時点である。
【００７７】
時間ウィンドウの開始時点は、シンボルの開始時点、または、シンボルの開始時点の前であり、時間ウィンドウの終了時点は、第２時点、または、第２時点の前である。
【００７８】
第２時点は、シンボルによって占有される時間内にあり、当該シンボルは、信号を送信するために使用されるシンボルである。
【００７９】
信号は、少なくとも実際の巡回プレフィックスおよび情報セグメントを含み、実際の巡回プレフィックスおよび情報セグメントは時間的に連続し、実際の巡回プレフィックスは情報セグメントの前である。
【００８０】
実際の巡回プレフィックスの時間長は、予め設定された巡回プレフィックスの第１時間長に等しいか、または、より短く、第１時間長は、シンボルの開始時点と第２時点との間の時間の長さである。
【００８１】
実装段階２０１の具体的なプロセスにおいて、任意で、端末デバイスは競合方式で非ライセンススペクトルにおけるチャネル使用権限を取得する。より具体的には、端末デバイスは、競合方式を使用することによって、ＬＢＴの基準に基づいて、使用権を取得し得る。端末デバイスが非ライセンススペクトルを使用することによって信号を伝送する必要があるとき、現在の非ライセンススペクトルにおけるチャネルがアイドル状態であるかどうか、言い換えれば、チャネルが利用可能かどうかを判定する複数の方式があり得る。チャネルが利用可能である場合、これは、非ライセンススペクトルにおけるチャネル使用権限が取得されたことを示す。現在の非ライセンススペクトルにおけるチャネルがアイドル状態であるかどうかを判定するための、以下の２つの方式があり得る。
【００８２】
第１の方式において、端末デバイスは、非ライセンススペクトルリソース上のチャネルを検出し、連続的な時間の長さＴｄにおいて、チャネルがアイドル状態であるかどうかを判定する。チャネルがアイドル状態にある場合、端末デバイスがチャネル使用権限を取得していること、言い換えれば、端末デバイスがチャネル上で信号を伝送できることを示し、そうでない場合、端末デバイスがチャネル使用権限を取得していないこと、言い換えれば、端末デバイスがチャネル上で信号を伝送できないことを示す。
【００８３】
第２の方式において、端末デバイスは、非ライセンススペクトルリソース上のチャネルを検出し、連続的な時間の長さＴｄにおいて、チャネルがアイドル状態であるかどうかを判定する。チャネルがアイドル状態であり、かつ、以下の段階４におけるカウンタの値Ｎが０である場合、端末デバイスは、チャネル使用権限が取得されていると、言い換えれば、端末デバイスがチャネル上で信号を伝送できると判定する。以下の段階では、具体的な検出プロセスが示される。
【００８４】
１．Ｎ＝Ｎｉｎｉｔに設定する。Ｎｉｎｉｔは、０からＣＷｐまでの範囲からランダムに選択された数であり、ＣＷｐは、競合ウィンドウの長さとみなされ得て、ＮｉｎｉｔまたはＣＷｐは、端末デバイス自体によって判定され得るか、または、アクセスネットワークデバイスによって通知され得る。本明細書において、具体的事項はこれに限定されない。
【００８５】
２．Ｎ＞０である場合、端末デバイスは、カウンタの値Ｎから１を減算する。具体的には、Ｎ＝Ｎ−１に設定する。
【００８６】
３．チャネルを検出し、連続的な時間の長さＴｓｌにおいてチャネルがアイドル状態であるかどうかを判定し、チャネルがアイドル状態である場合、段階４を実行し、そうでない場合、段階５を実行する。
【００８７】
４．Ｎ＝０である場合、プロセスを終了し、そうでない場合、段階２を実行する。
【００８８】
５．チャネルを検出し、連続的な時間の長さＴｄにおいて、チャネルがアイドル状態にあるかどうかを判定する。
【００８９】
６．連続的な時間の長さＴｄにおいてチャネルがアイドル状態にある場合、段階２を実行し、そうでない場合、段階５を実行する。
【００９０】
上述の２つの方法において使用されるパラメータＴｄ、Ｔｓｌ、ＣＷｐの具体的な値は、これに限定されず、実際の適用の事例に従って設定され得ることに留意すべきである。任意で、Ｔｄの値は２５μｓ、Ｔｓｌの値は９μｓ、ＣＷｐの最大値は１０２３、ＣＷｐの最小値は３である。加えて、実際の適用において、端末デバイスはさらに、別の方法を使用することによって、非ライセンススペクトルリソース上のチャネル使用権限が取得されているかどうかを判定し得る。本明細書において、具体的事項はこれに限定されない。例えば、端末デバイスは、近くの通信デバイスとの間で調整またはスケジューリングを実行した後に、非ライセンススペクトルにおけるチャネル使用権限を取得し得る。または、端末デバイスは、予め構成されたリソース使用パターンを使用することによって、非ライセンススペクトルにおけるチャネル使用権限が取得されていると判定し得る。詳細はここでは再度説明しない。
【００９１】
任意で、非ライセンススペクトルにおけるチャネル使用権限は、非ライセンススペクトルにおけるキャリアの使用権限であり得る。任意で、非ライセンススペクトルにおけるチャネル使用権限は、非ライセンススペクトルにおいて伝送される物理的チャネルの使用権限であり得る。
【００９２】
段階２０１を実装する具体的なプロセスにおいて、第１時点は、時間ウィンドウにおける任意の時点であり、時間ウィンドウの開始時点は、シンボルの開始時点、または、シンボルの開始時点の前であり得るが、本明細書において、これに限定されない。時間ウィンドウの終了時点は、第２時点、または、第２時点の前であり得るが、本明細書において、具体的事項はこれに限定されない。第２時点は、シンボルによって占有される時間内にあり、当該シンボルは、信号を送信するために使用されるシンボルである。
【００９３】
システムのアップリンク伝送プロセスにおいて、端末デバイスの信号伝送の動作は、アクセスネットワークデバイスによってスケジューリングされ得ることに留意すべきである。具体的には、アクセスネットワークデバイスは、シグナリングを使用することによって、特定のシンボルまたはサブフレームにおいて、物理アップリンク共有チャネル（英文全表記：ｐｈｙｓｉｃａｌ  ｕｐｌｉｎｋ  ｓｈａｒｅｄ  ｃｈａｎｎｅｌ、英文頭字語：ＰＵＳＣＨ）、物理アップリンク制御チャネル（英文全表記：ｐｈｙｓｉｃａｌ  ｕｐｌｉｎｋ  ｃｏｎｔｒｏｌ  ｃｈａｎｎｅｌ、英文頭字語：ＰＵＣＣＨ）、または、物理ランダムアクセスチャネル（英文全表記：ｐｈｙｓｉｃａｌ  ｒａｎｄｏｍ  ａｃｃｅｓｓ  ｃｈａｎｎｅｌ、英文頭字語：ＰＲＡＣＨ）上で伝送を実行するように端末デバイスに命令する。加えて、ランダムアクセスプリアンブル系列の伝送については、アクセスネットワークデバイスは、複数のＰＲＡＣＨリソースを確保し得て、端末デバイスは、複数のＰＲＡＣＨリソースの少なくとも１つにおいてランダムアクセスプリアンブル系列を伝送することに留意すべきである。
【００９４】
本願のこの実施形態において、端末デバイスによって送信される信号は、ＰＲＡＣＨ上のランダムアクセスプリアンブル系列であり得るか、または、ＰＵＳＣＨもしくはＰＵＣＣＨ上の少なくとも１つのシンボルにおいて保持される情報であり得るか、または、アップリンク復調参照信号（英文全表記：Ｄｅｍｏｄｕｌａｔｉｏｎ  Ｒｅｆｅｒｅｎｃｅ  Ｓｉｇｎａｌ、英文頭字語：ＤＭＲＳ）もしくはサウンディング参照信号（英文全表記：Ｓｏｕｎｄｉｎｇ  ｒｅｆｅｒｅｎｃｅ  ｓｉｇｎａｌ、英文頭字語：ＳＲＳ）、または同様のものであり得る。本明細書において、具体的事項はこれに限定されない。
【００９５】
方法が非ライセンススペクトルにおけるチャネルに適用されるとき、ＰＲＡＣＨ、ＰＵＳＣＨまたはＰＵＣＣＨのチャネル構造と、ＬＴＥシステムにおけるＰＲＡＣＨ、ＰＵＳＣＨまたはＰＵＣＣＨのチャネル構造とは、同一であり得るか、または、異なり得ることに留意すべきである。ランダムアクセスプリアンブル系列は、フォーマット０からフォーマット４のいずれか１つの既存のランダムアクセスプリアンブル系列であり得るか、または、新しいランダムアクセスプリアンブル系列であり得る。これは本願において限定されない。理解および説明の便宜上、本願のこの実施形態において、端末デバイスによって送信される信号が既存のランダムアクセスプリアンブル系列である例を使用することによって説明が提供される。
【００９６】
既存のランダムアクセスプリアンブル系列は、２つの部分、すなわち、巡回プレフィックスおよび情報セグメントを含む。巡回プレフィックスおよび情報セグメントは、時間的に連続し、巡回プレフィックスは、情報セグメントの前であり、情報セグメントは、ランダムアクセスプリアンブル系列の情報をすべて含み、巡回プレフィックスは、信号の情報セグメントの一部を反復する。巡回プレフィックスまたは情報セグメントに占有される異なる時間の長さに基づいて、５つのフォーマットがあり得る。表１は、各フォーマットにおける巡回プレフィックスおよび情報セグメントの長さ、ならびに、このフォーマットのランダムアクセスプリアンブル系列の伝送中にＬＴＥシステムにおいて占有される時間を提供する。任意で、伝送中に占有される時間はさらに、ガード時間長を含む。Ｔｓは、ＬＴＥシステムの時間単位であり、Ｔｓ＝１／（１５０００・２０４８）秒であり、３０７２０・Ｔｓは１ミリ秒、言い換えれば、１サブフレームである。
【表１】
2019512949.tif 000023
【００９７】
上述のフォーマットの各々において、巡回プレフィックスの時間長は、予め設定された巡回プレフィックスの第１時間長であることに留意すべきである。信号の伝送プロセスにおいて、信号は、少なくとも実際の巡回プレフィックスおよび情報セグメントを含み、実際の巡回プレフィックスおよび情報セグメントは時間的に連続し、実際の巡回プレフィックスは情報セグメントの前である。実際の巡回プレフィックスの時間長は、信号の伝送される巡回プレフィックスの長さである。
【００９８】
段階２０１を実装する具体的なプロセスにおいて、任意で、実際の巡回プレフィックスの時間長は、予め設定された巡回プレフィックスの第１時間長より短い。任意で、実際の巡回プレフィックスの時間長は、予め設定された巡回プレフィックスの第１時間長に等しい。
【００９９】
任意で、端末デバイスが非ライセンススペクトルにおけるチャネル使用権限を取得する前に、端末デバイスは、アクセスネットワークデバイスによって送信された指示情報、または、予め定められた構成に基づいて、以下の情報のうちの少なくとも１つを判定し得る。
時間ウィンドウの長さ
時間ウィンドウの開始時点
時間ウィンドウの終了時点
シンボルの開始時点
第２時点
第１時間長
【０１００】
本願のすべての実施形態において、すべての指示情報は、物理層シグナリング、媒体アクセス制御（英文全表記：Ｍｅｄｉａ  Ａｃｃｅｓｓ  Ｃｏｎｔｒｏｌ、英文頭字語：ＭＡＣ）層シグナリング、または、無線リソース制御（英文全表記：Ｒａｄｉｏ  Ｒｅｓｏｕｒｃｅ  Ｃｏｎｔｒｏｌ、英文頭字語：ＲＲＣ）シグナリングを使用することによって、アクセスネットワークデバイスによって端末デバイスへ送信され得ることに留意すべきである。任意で、すべての指示情報は、現在のキャリアまたは現在以外のキャリアを使用することによって、アクセスネットワークデバイスによって端末デバイスへ送信され得る。
【０１０１】
任意で、アクセスネットワークデバイスは、スケジューリング情報を端末デバイスへ送信し、指定されたシンボルまたはサブフレームにおいて信号伝送を実行するように端末デバイスに命令する。端末デバイスは、スケジューリング情報に基づいてシンボルの開始時点を判定する。
【０１０２】
任意で、時間ウィンドウの開始時点はシンボルの開始時点である。任意で、時間ウィンドウの開始時点は、シンボルの開始時点の前であり得る。端末デバイスが、時間ウィンドウの開始時点の前に非ライセンススペクトルにおけるチャネル使用権限を取得する場合、端末デバイスは、非ライセンススペクトルにおけるチャネル使用権限が取得される時点から、時間ウィンドウの開始時点まで、可変長チャネル確保信号または巡回プレフィックスを送信し得て、これにより、端末デバイスがチャネル使用権限の取得後の時間に非ライセンススペクトルにおけるチャネルを占有していないことが原因で、チャネルが別の通信デバイスによって占有されることを回避する。
【０１０３】
任意で、端末デバイスがランダムアクセスプリアンブル系列を送信する必要がある場合、端末デバイスは、シンボルの開始時点を判定するために、アクセスネットワークデバイスの指示情報に基づいて、ＰＲＡＣＨリソースの時間領域位置を判定し得る。任意で、アクセスネットワークデバイスは、ランダムアクセスプリアンブル系列のフォーマットを示すために指示情報を端末デバイスへ送信し、端末デバイスは、ランダムアクセスプリアンブル系列のフォーマットに基づいて、第１時間長または第２時点を判定する。
【０１０４】
２０２．端末デバイスが第１時点から信号を送信する。
【０１０５】
本願のこの実施形態において、端末デバイスが、非ライセンススペクトルにおけるチャネル使用権限が第１時点において取得されたと判定した後に、端末デバイスは、第１時点から信号を送信し得る。
【０１０６】
図３を参照すると、ＬＴＥシステムにおけるランダムアクセスプリアンブル系列の時間領域構造が図３に示され、予め設定された巡回プレフィックスおよび情報セグメントを含むシンボルを含む。異なる受信可能範囲を有するセルに適合するべく、表１に示される、５つのフォーマットのランダムアクセスプリアンブル系列が定義されている。
【０１０７】
表１に示されるように、異なるフォーマットのランダムアクセスプリアンブル系列は、時間領域リソースにおいて異なる時間長を有する予め設定された巡回プレフィックスまたは情報セグメントを占有する。本願のこの実施形態において、端末デバイスがシンボルの開始時点において非ライセンススペクトルにおけるチャネル使用権限を取得しなかったが、シンボルの開始時点の一定期間後に非ライセンススペクトルにおけるチャネル使用権限を取得する場合、端末デバイスは依然としてランダムアクセスプリアンブル系列を送信できる。
【０１０８】
具体的には、以下の２つの任意の送信方式があり得る。
【０１０９】
方式１：
【０１１０】
端末デバイスは、第１時点から第２時点まで、信号の実際の巡回プレフィックスを送信する。実際の巡回プレフィックスの時間長は、予め設定された巡回プレフィックスの第１時間長より短い。言い換えれば、端末デバイスは、シンボルの開始時点後に、非ライセンススペクトルにおけるチャネル使用権限を取得する。
【０１１１】
端末デバイスは、第２時点から、信号の情報セグメントを送信する。
【０１１２】
好ましくは、実際の巡回プレフィックスの時間長は、第２時間長に等しいか、または、より大きい。
【０１１３】
任意で、端末デバイスが第１時点において、非ライセンススペクトルにおけるチャネル使用権限を取得する前に、端末デバイスは、アクセスネットワークデバイスによって送信された指示情報、または、予め定められた構成に基づいて、第２時間長を判定し得る。本明細書において、具体的事項はこれに限定されない。
【０１１４】
チャネル検出の実行後に端末デバイスによって伝送される必要がある信号が、複数の連続シンボルを含む場合、この方式は、信号の最初のシンボルに適用されることに留意すべきである。例えば、複数の連続シンボルを含むフォーマットのランダムアクセスプリアンブル系列が、非ライセンススペクトルにおけるチャネル上で伝送されると仮定すると、この方式は、ランダムアクセスプリアンブル系列の最初のシンボルに適用され得る。
【０１１５】
具体的な送信方式は、図４ａに示される。図において、伝送が予定されている時間領域リソースは、予め設定されたランダムアクセスプリアンブル系列によって占有された時間領域リソースである。ここでは、時間ウィンドウの開始時点は、シンボルの開始時点であり、時間ウィンドウの終了時点は第２時点の前であると仮定する。シンボルの開始時点から第２時点までの時間の長さは、予め設定された巡回プレフィックスの第１時間長である。非ライセンススペクトルにおけるチャネル使用権限がシンボルの開始時点において取得されなかったが、非ライセンススペクトルにおけるチャネル使用権限が時間ウィンドウにおける任意の時点において取得されると端末デバイスが判定したと仮定すると、この時点が第１時点である。図４ａは１つの第１時点を示す。第１時点は、シンボルの開始時点の後であり、時間ウィンドウの終了時点の前である。予め設定されたランダムアクセスプリアンブル系列の情報セグメントを送信する開始時点が第２時点であり、予め設定された巡回プレフィックスは、信号の情報セグメントの内容の一部を巡回的に繰り返し送信するために使用されるに過ぎないので、端末デバイスは、第１時点から第２時点までの期間内に、時間の長さが予め設定された巡回プレフィックスより短い、ランダムアクセスプリアンブル系列の巡回プレフィックスを送信し得る。この巡回プレフィックスが実際の巡回プレフィックスである。言い換えれば、いかなる他の情報も、巡回プレフィックスを伝送するように予定されている、第１時点の前の時間領域リソースにおいて伝送されない。端末デバイスは、第２時点から、ランダムアクセスプリアンブル系列の情報セグメント部分を送信する。
【０１１６】
好ましくは、実際の適用において、巡回プレフィックスの主な機能は、信号伝送の往復時間、および、信号伝送中のマルチパス干渉によって生じる、信号復調性能に対する影響を克服することであることを考慮して、ランダムアクセスプリアンブル系列の実際の巡回プレフィックスの時間長は、第２時間長に等しいか、または、それより大きい必要がある。任意で、時間ウィンドウの終了時点から第２時点までの時間の長さが第２時間長であり、図４ａは、この事例における第２時間長を示している。任意で、第２時間長は、端末デバイスとアクセスネットワークデバイスとの間の信号伝送の最大往復時間長と、起こり得る最大チャネル遅延スプレッドとの和に等しいか、または、より大きい。任意で、第２時間長がセルにおけるすべての端末デバイスについて均一に判定され得ることを考慮して、第２時間長は、端末デバイスのセルにおける端の端末デバイスとアクセスネットワークデバイスとの間の信号伝送の最大往復時間長と、起こり得る最大チャネル遅延スプレッドとの和に等しいか、または、より大きい。ランダムアクセスプリアンブル系列の実際の巡回プレフィックスの時間長は、第２時間長に等しいか、または、より大きく、それにより、端末デバイスによって送信されてアクセスネットワークデバイスによって受信されるランダムアクセスプリアンブル系列の復調性能を保証できる。ここで、本願のこの実施形態において、第２時間長の具体的な値は、実際の適用事例に基づいて判定され得ることに留意すべきである。ここでは、これに限定されない。
【０１１７】
任意で、端末デバイスは、アクセスネットワークデバイスによって送信される指示情報に基づいて、第２時間長を判定し得る。指示情報は、第２時間長、第２時間長の開始時点、および、第２時間長の終了時点のうちの少なくとも１つを含む。
【０１１８】
理解および説明の便宜上、本願のこの実施形態における送信方式は、送信されるランダムアクセスプリアンブル系列のフォーマットがフォーマット０である例を使用して詳細に説明される。
【０１１９】
表１に示されるように、ランダムアクセスプリアンブル系列のフォーマットがフォーマット０であるとき、予め設定されたランダムアクセスプリアンブル系列の予め設定された巡回プレフィックスによって占有される時間長、予め設定されたランダムアクセスプリアンブル系列の情報セグメントによって占有される時間長、および、予め設定されたランダムアクセスプリアンブル系列の伝送によって占有される時間長は、それぞれ、３１６８・Ｔｓ、２４５７６・Ｔｓ、３０７２０・Ｔｓである。説明の便宜上、ここでは時間長情報は、マイクロ秒（μｓ）を使用して表され、予め設定された巡回プレフィックスによって占有される時間長、情報セグメントによって占有される時間長、および、伝送によって占有される時間長はそれぞれ、１０３．１μｓ、８００μｓ、１０００μｓである。言い換えれば、フォーマット０のランダムアクセスプリアンブル系列は、１つのサブフレームを占有する。加えて、伝送によって占有される時間長はさらに、ガード時間長を含み、ガード時間長は、（１０００−８００−１０３．１）μｓ＝９６．９μｓである。ガード時間長の機能は、セルの中心における端末デバイスによって送信されるランダムアクセスプリアンブル系列と、セル端における端末デバイスによって送信されるランダムアクセスプリアンブル系列との間の干渉を回避することである。
【０１２０】
端末デバイスとアクセスネットワークデバイスとの間の信号伝送の最大往復時間長が、予め設定された巡回プレフィックスおよびガード時間長のうちの、より小さい値に等しいとき、フォーマット０のランダムアクセスプリアンブル系列をサポートするセルの受信可能範囲は、約（９６．９×１０−６／２）×３×１０５キロメートル＝１４．５キロメートルであることを理解されたい。１０ｘは、１０のｘ乗を表し、３×１０５キロメートル／秒は光速を表す。非ライセンススペクトルにおけるキャリア上の信号伝送は、スペクトルにおける最大伝送電力または最大伝送電力密度の制限を受けるので、当該スペクトルを使用するセルの最大受信可能範囲は比較的小さい。例えば、セル受信可能範囲は、１．５キロメートルを超えない。
【０１２１】
非ライセンススペクトルにおけるセルの最大受信可能範囲が１．５キロメートルであり、セル内にあるとみなされるために必要な最大チャネル遅延スプレッドが５μｓであると仮定すると、信号伝送の往復時間、および、信号伝送中のマルチパス干渉によって生じる、信号復調性能への影響を克服するために使用される巡回プレフィックスの長さは、［１．５×２／（３×１０５）×１０６＋５］μｓ＝１５μｓである。セルのランダムアクセスプリアンブル系列がフォーマット０を使用するとき、実施形態において、上述の説明に基づいて、時間ウィンドウの開始時点は、フォーマット０のランダムアクセスプリアンブル系列を伝送することが予定されているシンボルの開始時点であり、第２時点は、予め設定された巡回プレフィックスの終了時点であり、第１時間長は１０３．１μｓであり、第２時間長は１５μｓであり、時間ウィンドウの長さは１０３．１−１５＝８８．１μｓであり、時間ウィンドウの終了時点と第２時点との間の時間の長さが第２時間長であるとみなされ得る。端末デバイスは、時間ウィンドウにおける任意の時点において、チャネル使用権限を取得し、ランダムアクセスプリアンブル系列を送信できる。言い換えれば、従来技術と比較すると、端末デバイスは、チャネルがアイドル状態かどうかを検出するために、追加の８８．１μｓを有する。
【０１２２】
ここで、上述された、最大チャネル遅延スプレッドの具体的な時間長、および、最大往復時間長の具体的な時間長は、例として説明するために使用されているに過ぎないことに留意すべきである。実際の適用において、これら２つは、異なる変化を有し得るが、本明細書において、具体的事項はこれに限定されない。
【０１２３】
具体的な送信方式は図４ｂに示される。図４ｂは、この方式における４つの伝送の事例を提供する。端末デバイスがシンボルの開始時点において、非ライセンススペクトルにおけるチャネル使用権限を取得しなかった場合、端末デバイスが、シンボルの開始時点の後の８８．１μｓ以内に非ライセンススペクトルにおけるチャネル使用権限を取得する場合、端末デバイスはランダムアクセスプリアンブル系列を送信でき、かつ、送信されたランダムアクセスプリアンブル系列の巡回プレフィックスの時間長が１５μｓより大きいことが保証される。
【０１２４】
ここで、シンボルの開始時点に続く８８．１μｓ以内の任意の時点が第１時点であり、ランダムアクセスプリアンブル系列の情報セグメントを送信する予め設定された開始時点が第２時点であると仮定する。端末デバイスが、シンボルの開始時点において、非ライセンススペクトルにおけるチャネル使用権限を取得しなかったが、第１時点において非ライセンススペクトルリソース上のチャネル使用権限を取得する場合、端末デバイスは、第１時点から第２時点までの期間内において、ランダムアクセスプリアンブル系列の実際の巡回プレフィックス部分を送信し得て、第２時点からランダムアクセスプリアンブル系列の情報セグメント部分を送信し得る。
【０１２５】
端末デバイスが、シンボルの開始時点の前に、非ライセンススペクトルにおけるチャネル使用権限を取得する場合、端末デバイスは、第１時点から第２時点までの期間内において、信号の実際の巡回プレフィックスを送信し得ることに留意すべきである。実際の巡回プレフィックスの時間長は、予め設定された巡回プレフィックスの第１時間長より大きい。図４ｃはこのシナリオにおける概略図である。
【０１２６】
本願のこの実施形態において、フォーマット１のランダムアクセスプリアンブル系列からフォーマット４のランダムアクセスプリアンブル系列の送信方法は、上述のフォーマット０のランダムアクセスプリアンブル系列の送信方法と同様であることを理解されたい。ここでは詳細を再度説明しない。送信方法は本願の範囲内である。
【０１２７】
本願のこの実施形態において、本願における信号伝送方法は、送信される信号がランダムアクセスプリアンブル系列である例を使用して説明され、ランダムアクセスプリアンブル系列のフォーマットはフォーマット０である。端末デバイスは、第１時点において非ライセンススペクトルにおけるチャネル使用権限を取得し、第１時点は、時間ウィンドウのセグメントにおける任意の時点であり、時間ウィンドウの開始時点は、ランダムアクセスプリアンブル系列を送信する予め設定された開始時点の以前であり、時間ウィンドウの終了時点は、第２時点の以前であり、第２時点は、ランダムアクセスプリアンブル系列の情報セグメントを送信する予め設定された開始時点である。次に、端末デバイスは、第１時点から第２時点までの期間内に、シーケンスの実際の巡回プレフィックスを送信し、第２時点からシーケンスの情報セグメントを送信する。言い換えれば、端末デバイスによって最後に送信された巡回プレフィックス部分によって占有される時間長は、ランダムアクセスプリアンブル系列の予め設定された巡回プレフィックスの第１時間長より短く、それにより、巡回プレフィックスの時間長を短くすることにより、ランダムアクセスプリアンブル系列の送信機会が増加する。
【０１２８】
本願のこの実施形態において、ランダムアクセスプリアンブル系列が、非ライセンススペクトルリソース上で、非ライセンススペクトルにおけるチャネル上で送信されるとき、ランダムアクセスプリアンブル系列の送信時点は、フレーム境界、サブフレーム境界またはシンボル境界に限定されず、ランダムアクセスプリアンブル系列は、期間内の任意の時点において送信でき、それにより、従来技術と比較すると、この実施形態では、ランダムアクセスプリアンブル系列の送信機会が増加する。言い換えれば、非ライセンススペクトルリソース上で信号が送信されるとき、信号送信確率が増加する。
【０１２９】
加えて、本願のこの実施形態において、送信されるランダムアクセスプリアンブル系列の巡回プレフィックスの時間長が、端末デバイスとアクセスネットワークデバイスとの間の信号伝送の最大往復時間長と最大チャネル遅延スプレッドとの和より大きいことが保証される。実際の適用において、本願のこの実施形態の技術的解決法の実行可能性が保証され、さらに、端末デバイスがランダムアクセスプリアンブル系列を成功裏に送信できることが保証される。
【０１３０】
方式２：
【０１３１】
方式１とは異なり、方式２では、ランダムアクセスプリアンブル系列の実際の巡回プレフィックスの時間長は、予め設定された巡回プレフィックスの時間長に等しく、シンボルはガード時間長を含み、時間ウィンドウの終了時点は第２時点の前であり、シンボルの開始時点と時間ウィンドウの終了時点との間の時間長は第３時間長に等しく、第３時間長は、予め設定された巡回プレフィックスの時間長およびガード時間長のうちのより小さい値より短い。
【０１３２】
任意で、端末デバイスが非ライセンススペクトルにおけるチャネル使用権限を取得する前に、端末デバイスは、アクセスネットワークデバイスによって送信された指示情報、または、予め定められた構成に基づいて、第３時間長を判定し得る。本明細書において、具体的事項はこれに限定されない。
【０１３３】
端末デバイスがチャネル検出を実行した後に端末デバイスによって伝送される必要がある信号が、複数の連続シンボルを含む場合、この方式において、信号の送信は、ある期間だけ遅延し、遅延の時間の長さは、シンボルの開始時点と第１時点との間の長さであることに留意すべきである。
【０１３４】
具体的な送信方式を図５ａに示す。ここでは、時間ウィンドウの開始時点は、シンボルの開始時点であり、時間ウィンドウの終了時点は第２時点の前であると仮定する。シンボルの開始時点から第２時点までの時間の長さは、予め設定された巡回プレフィックスの第１時間長である。シンボルはさらに、ガード時間長を含む。端末デバイスは、シンボルの開始時点において非ライセンススペクトルにおけるチャネル使用権限を取得しなかったが、時間ウィンドウにおける任意の時点において、非ライセンススペクトルにおけるチャネル使用権限を取得すると仮定すると、当該時点が第１時点である。図５ａは、１つの第１時点を示す。第１時点は、シンボルの開始時点の後であり、時間ウィンドウの終了時点の前である。端末デバイスは、第１時点から信号を送信する。言い換えれば、この方式において、端末デバイスが信号の送信を遅延させることが可能になる。しかしながら、遅延時間が過剰に長い場合、アクセスネットワークデバイスが伝送信号に対して実行する復調に影響を与えるだけでなく、当該信号の後の信号の伝送にも影響を与える。したがって、シンボルの開始時点と、時間ウィンドウの終了時点との間の時間長は第３時間長に等しい。言い換えれば、この方式において、端末デバイスが信号を送信するときの最大遅延時間を第３時間長にすることが可能であり、第３時間長は、第１時間長およびガード時間長のうちの、より小さい値より短い。ここで、第３時間長の具体的な値は、実際の適用事例に基づいて判定され得ることに留意すべきである。ここではこれに限定されない。
【０１３５】
任意で、方法はさらに、端末デバイスによって、第１時点とシンボルの開始時点との間の時間長についての情報、言い換えれば、図５ａにおける遅延の時間長についての情報を判定する段階と、端末デバイスによって、時間長情報をアクセスネットワークデバイスへ送信する段階と、アクセスネットワークデバイスによって、端末デバイスのタイミングアドバンスＴＡを推定するとき、遅延の時間長を減算し、端末デバイスの実際のＴＡ情報を求める段階と、求められたＴＡ情報を端末デバイスへ送信する段階とを備える。
【０１３６】
任意で、端末デバイスは、アクセスネットワークデバイスに対し、信号の送信が遅延する、第１時点とシンボルの開始時点との間の時間長についての情報を報告しないことがあり得るが、受信された、アクセスネットワークデバイスによって送信されたＴＡ情報から求められた時間長から遅延の時間長を減算し、端末デバイスの実際のＴＡ情報を求める。
【０１３７】
この実施形態において、端末デバイスは、時間長情報を処理するとき、時間長をサンプリングレートの倍数へ量子化し得て、その結果、いくらかの量子化損失があり得ることを留意すべきである。これは、この実施形態において限定されない。
【０１３８】
表２の内容は、表１に基づいて取得され得ることを理解されたい。言い換えれば、異なる複数のフォーマットで、ランダムアクセスプリアンブル系列の巡回プレフィックスまたは情報セグメントによって占有される時間領域リソースの長さは異なる。当業者であれば、ガード時間の時間長がセルの受信可能範囲に影響を与えることを認識し得る。表２は、５つのフォーマットのランダムアクセスプリアンブル系列の各部分の時間長を示す。
【表２】
2019512949.tif 000024
【０１３９】
表２から理解できるように、フォーマット０からフォーマット４の物理ランダムアクセスチャネルリソースの各々は、ガード時間を含む。フォーマット０、フォーマット１、フォーマット２およびフォーマット４の予め設定された巡回プレフィックスの長さは、ガード時間より長く、フォーマット３の予め設定された巡回プレフィックスの長さは、ガード時間より短い。
【０１４０】
実際の適用において、ガード時間は、図５ｂに示されるように、アクセスネットワークデバイスによって受信された、端末デバイスによって送信されて遅延してアクセスネットワークデバイスに到達したシンボルが、別の端末デバイスによって送信される次のシンボルに干渉しないようにすることを可能にし得る。図５ｂは、アクセスネットワークデバイスによって時間領域において受信され、３つの端末デバイスによって同一のシンボルにおいてそれぞれ送信される信号の概略図である。この概略図において、信号伝送遅延の影響は考慮されない。端末デバイス１が信号を送信するとき、遅延は無く、端末デバイス２が信号を送信するときに遅延する時間の長さはガード時間の長さより短く、端末デバイス３が信号を送信するときに遅延する時間の長さはガード時間の長さより長い。図５ｂから理解できるように、端末デバイス２については、信号が遅延する時間の長さが、シンボルのガード時間の長さより短いので、アクセスネットワークデバイスによって端末デバイス２から受信される信号は、時間領域において、アクセスネットワークデバイスによって端末デバイス１から受信される信号と重複しない。端末デバイス３については、信号が遅延する時間の長さが、ガード時間の長さより大きいので、アクセスネットワークデバイスによって端末デバイス３から受信される信号は、時間領域において、アクセスネットワークデバイスによって端末デバイス１から受信される信号と重複する。その結果、端末デバイス３の信号は、端末デバイス１の信号と干渉し、アクセスネットワークデバイスによる、端末デバイス３の信号または端末デバイス１の信号に対する復調の性能に影響を与える。好ましくは、第３時間長は、ガード時間の時間長に等しい。好ましくは、第３時間長は、ガード時間の時間長より短い。言い換えれば、ガード時間はまた、送信が遅延したシンボルのために確保される。好ましくは、第３時間長は、第１時間長、および、ガード時間の時間長のうちの、より小さい時間長より短い。
【０１４１】
フォーマット０、フォーマット１、フォーマット２またはフォーマット４については、シンボルはガード時間を含み、ガード時間の時間長は、予め設定された巡回プレフィックスの時間長より短い。したがって、この方式において、第３時間長は、ガード時間の時間長に等しいか、または、より短い。
【０１４２】
フォーマット３については、シンボルはガード時間を含み、ガード時間の時間長は、予め設定された巡回プレフィックスの時間長より長い。したがって、この方式において、第３時間長は、予め設定された巡回プレフィックスの時間長より短いことがあり得る。
【０１４３】
ここで、説明の便宜上、方式２による送信プロセスは、送信されるランダムアクセスプリアンブル系列のフォーマットがフォーマット０である例を使用することによっても説明される。
【０１４４】
図５ｃを参照すると、図５ｃは、フォーマット０のランダムアクセスプリアンブル系列の送信の概略図である。上述のように、フォーマット０のランダムアクセスプリアンブル系列の予め設定された巡回プレフィックスによって占有される時間長、フォーマット０のランダムアクセスプリアンブル系列の情報セグメントによって占有される時間長、および、フォーマット０のランダムアクセスプリアンブル系列のガード時間によって占有される時間長は、それぞれ、１０３．１μｓ、８００μｓ、９６．９μｓである。図において、シンボルの開始時点は、予め設定されたランダムアクセスプリアンブル系列における予め設定された巡回プレフィックスの開始時点であり、第２時点は、予め設定されたランダムアクセスプリアンブル系列の情報セグメントの開始時点である。
【０１４５】
第３時間長は８５μｓであり、ガード時間の時間長より短いと仮定する。言い換えれば、シンボルの開始時点と時間ウィンドウの終了時点との間の時間長は、８５μｓである。端末デバイスが、シンボルの開始時点において、非ライセンススペクトルにおけるチャネル使用権限を取得しなかったが、時間ウィンドウの終了時点の前の第１時点において、チャネル使用権限を取得し、かつ、第１時点とシンボルの開始時点との間の時間の長さが２０μｓである場合、端末デバイスは、第１時点から、ランダムアクセスプリアンブル系列を送信し得る。ランダムアクセスプリアンブル系列の実際の巡回プレフィックスの長さは、予め設定された巡回プレフィックスの長さに等しい。端末デバイスは、信号送信が遅延する２０μｓ時間長情報をアクセスネットワークデバイスへ報告し得て、それにより、アクセスネットワークデバイスは、タイミングアドバンスＴＡとも称される、端末デバイスの往復時間を推定するとき、２０μｓを減算し、求められたＴＡ情報を端末デバイスへ送信する。代替的に、端末デバイスは、信号送信が遅延する時間長情報２０μｓをアクセスネットワークデバイスへ報告しないが、アクセスネットワークデバイスから受信されたＴＡ情報から求められた時間長から２０μｓを減算し、端末デバイスの実際のＴＡ情報を求める。
【０１４６】
図５ｃに示される概略図は、本願のこの実施形態における一例に過ぎないことに留意すべきである。
【０１４７】
本願のこの実施形態において、シンボルの開始時点は、端末デバイスによって判定される開始時点であり、信号を送信するために使用され、システムにおけるシンボルの開始時点と同一か、または、異なり得ることをさらに留意すべきである。これは本願において限定されない。
【０１４８】
任意で、端末デバイスは、アクセスネットワークデバイスによって送信される指示情報に基づいて、第３時間長を判定する。指示情報は、第３時間長、第３時間長の開始時点、および、第３時間長の終了時点のうちの少なくとも１つを含む。ここではこれに限定されない。
【０１４９】
本願のこの実施形態において、端末デバイスは、第１時点において、非ライセンススペクトルにおけるチャネル使用権限を取得する。第１時点は、時間ウィンドウのセグメントにおける任意の時点である。時間ウィンドウの開始時点は、予め設定されたランダムアクセスプリアンブル系列を送信する開始時点の以前であり、時間ウィンドウの終了時点は、第２時点の以前であり、第２時点を含まず、第２時点は、予め設定されたランダムアクセスプリアンブル系列の情報セグメントを送信する開始時点である。第１時点において、非ライセンススペクトルリソース上のチャネル使用権限を取得した後に、端末デバイスは、予め定められたフォーマットに基づいて、ランダムアクセスプリアンブル系列を送信できる。送信されるランダムアクセスプリアンブル系列の実際の巡回プレフィックスの時間長は、予め設定された巡回プレフィックスの第１時間長に等しく、シンボルの開始時点と第１時点との間の時間長が、第１時間長およびガード時間の時間長のうちの、より小さい長さに等しいか、または、より短いことを保証し、それにより、アクセスネットワークデバイスによって異なる端末デバイスから受信される信号が互いに干渉することを回避する。
【０１５０】
一方で、本願のこの実施形態において、端末デバイスはさらに、シンボルの開始時点と、非ライセンススペクトルにおけるチャネル使用権限が取得される時点との間の時間長を判定し得て、時間長情報をアクセスネットワークデバイスへ報告し、それにより、アクセスネットワークデバイスは、端末デバイスの測定された往復伝送時間から、当該時間を減算し、端末デバイスの実際の往復伝送時間を求める。
【０１５１】
［実施形態２］
本願のこの実施形態は、信号伝送方法を提供する。本願のこの実施形態において提供される方法は、非ライセンススペクトルにおけるチャネルリソースを使用するシナリオに適用され得る。図６を参照すると、図６は、本願のこの実施形態における信号伝送方法の実施形態の概略図である。方法は以下の段階を含む。
【０１５２】
６０１．アクセスネットワークデバイスが第１セットを判定する。
【０１５３】
第１セットは、１つのサブフレームにおける、信号伝送のための少なくとも２つの予め設定された開始時点を含む。
【０１５４】
任意で、第１セットは、１つのサブフレームにおける、信号伝送のための少なくとも２つの予め設定された開始時点を含む。アクセスネットワークデバイスは、端末デバイスが信号伝送を実行し得る時点において、１つのサブフレームにおけるいくつかのシンボルの開始時点を判定し得る。例えば、アクセスネットワークデバイスは、１つのサブフレームにおいて、シンボル１、シンボル４、シンボル７、シンボル１０およびシンボル１３を、端末デバイスが信号伝送を実行し得るシンボルとして判定する。次に、第１セットは、５つの時点、すなわち、シンボル１、シンボル４、シンボル７、シンボル１０およびシンボル１３の開始時点を含む。第１時点は、シンボル１、シンボル４、シンボル７、シンボル１０およびシンボル１３のうちの１つの開始時点である。
【０１５５】
任意で、１つのサブフレームは、アップリンクサブフレーム全体である。
【０１５６】
任意で、１つのサブフレームは、アップリンクサブフレームの一部であり、アップリンクサブフレームの一部は、少なくとも１つのシンボルがアップリンク伝送のために使用されないサブフレームである。さらに任意で、１つのサブフレームは、アップリンクサブフレームの一部であり、アップリンクサブフレームの一部は、少なくとも最後のシンボルがアップリンク伝送のために使用されないサブフレームである。代替的に、１つのサブフレームは、アップリンクサブフレームの一部であり、アップリンクサブフレームの一部は、少なくとも最初のシンボルがアップリンク伝送のために使用されないサブフレームである。
【０１５７】
６０２．アクセスネットワークデバイスが第１リソースおよび第２リソースを判定する。
【０１５８】
第１リソースおよび第２リソースは異なる周波数領域リソースであり、時間領域における、第１リソースおよび第２リソースの開始時点は、両方とも第１時点である。
【０１５９】
第１時点は、第１セットにおける時点である。
【０１６０】
第１リソースは、第１信号を伝送するために使用され、第２リソースは、第２信号を伝送するために使用される。
【０１６１】
段階６０１と段階６０２との間の順序は限定されないことに留意すべきである。
【０１６２】
任意で、第１リソースは、物理ランダムアクセスプリアンブル系列を伝送するために使用され、第２リソースはサウンディング参照信号を伝送するために使用される。さらに任意で、第１リソースは、ＬＴＥシステムまたはその発展型システムにおいて、フォーマット４の物理ランダムアクセスプリアンブル系列を伝送するために使用され、第２リソースは、ＬＴＥシステムまたはその発展型システムにおいて、サウンディング参照信号を伝送するために使用される。
【０１６３】
任意で、第１リソースおよび第２リソースは両方とも、物理ランダムアクセスプリアンブル系列を伝送するために使用される。さらに任意で、第１リソースおよび第２リソースは両方とも、ＬＴＥシステムまたはその発展型システムにおいて、フォーマット４の物理ランダムアクセスプリアンブル系列を伝送するために使用される。
【０１６４】
任意で、第１リソースおよび第２リソースは両方とも、サウンディング参照信号を伝送するために使用される。さらに任意で、第１リソースおよび第２リソースは両方とも、ＬＴＥシステムまたはその発展型システムにおいて、サウンディング参照信号を伝送するために使用される。
【０１６５】
図７ａは、アクセスネットワークデバイスが第１リソースおよび第２リソースを判定することを示す概略図である。図７ａから図７ｃに示されるように、アクセスネットワークデバイスは第１セットを判定する。第１セットは、アップリンクサブフレーム全体における信号伝送に使用される予め設定された開始時点を含む。具体的には、第１セットは、４つの時点、すなわち、シンボル１、シンボル４、シンボル７およびシンボル１０の開始時点を含み、第１時点は、シンボル１、シンボル４、シンボル７およびシンボル１０のうちの１つの開始時点である。第１時点はシンボル４の開始時点であると仮定すると、アクセスネットワークデバイスは、シンボル４の開始時点から、第１リソースおよび第２リソースの割り当てを判定する。第１リソースおよび第２リソースは異なる周波数領域リソースである。第１リソースは、物理ランダムアクセスプリアンブル系列を伝送するために使用され、第２リソースは、サウンディング参照信号を伝送するために使用される。
【０１６６】
図７ｂは、アクセスネットワークデバイスが第１リソースおよび第２リソースを判定することを示す概略図である。図７ｂに示されるように、アクセスネットワークデバイスは第１セットを判定する。第１セットは、アップリンクサブフレームの一部における信号伝送のために使用される、予め設定された開始時点を含み、アップリンクサブフレームの一部は、少なくとも最初のシンボルがアップリンク伝送のために使用されないサブフレームである。具体的には、第１セットは、２つの時点、すなわち、シンボル８およびシンボル１１の開始時点を含み、第１時点は、シンボル８およびシンボル１１のうちの１つの開始時点である。第１時点がシンボル８の開始時点であると仮定すると、アクセスネットワークデバイスは、シンボル８の開始時点から、第１リソースおよび第２リソースを割り当てることを判定する。第１リソースおよび第２リソースは異なる周波数領域リソースである。第１リソースは、物理ランダムアクセスプリアンブル系列を伝送するために使用され、第２リソースは、サウンディング参照信号を伝送するために使用される。
【０１６７】
図７ｃは、アクセスネットワークデバイスが第１リソースおよび第２リソースを判定することを示す概略図である。図７ｃに示されるように、アクセスネットワークデバイスは第１セットを判定する。第１セットは、アップリンクサブフレームの一部における信号伝送のために使用される、予め設定された開始時点を含み、アップリンクサブフレームの一部は、少なくとも最後のシンボルがアップリンク伝送のために使用されないサブフレームである。具体的には、第１セットは、３つの時点、すなわち、シンボル０、シンボル３およびシンボル６の開始時点を含み、第１時点は、シンボル０、シンボル３およびシンボル６のうちの１つの開始時点である。第１時点がシンボル３の開始時点であると仮定すると、アクセスネットワークデバイスは、シンボル３の開始時点から、第１リソースおよび第２リソースを割り当てることを判定する。第１リソースおよび第２リソースは異なる周波数領域リソースである。第１リソースは、物理ランダムアクセスプリアンブル系列を伝送するために使用され、第２リソースは、サウンディング参照信号を伝送するために使用される。
【０１６８】
６０３．アクセスネットワークデバイスが、第１リソースを含む情報を第１端末デバイスへ送信し、アクセスネットワークデバイスが、第２リソースを含む情報を第２端末デバイスへ送信する。
【０１６９】
第１端末デバイスおよび第２端末デバイスは、同一セルにおける端末デバイスであることに留意すべきである。任意で、第１端末デバイスおよび第２端末デバイスは異なる端末デバイスである。任意で、第１端末デバイスおよび第２端末デバイスは、代替的に、同一の端末デバイスであり得る。
【０１７０】
任意で、第１端末デバイスは、第１リソースを含む情報に基づいて、第１リソースを判定し、第１リソースにおいて第１信号を伝送する。
【０１７１】
任意で、第２端末デバイスは、第２リソースを含む情報に基づいて第２リソースを判定し、第２リソースにおいて第２信号を伝送する。
【０１７２】
本願のすべての実施形態において、すべての指示情報は、物理層シグナリング、媒体アクセス制御層シグナリング、または、無線リソース制御シグナリングを使用することによって、アクセスネットワークデバイスによって端末デバイスへ送信され得ることに留意すべきである。任意で、すべての指示情報は、現在のキャリアまたは現在以外のキャリアを使用することによって、アクセスネットワークデバイスによって端末デバイスへ送信され得る。本明細書において、具体的事項はこれに限定されない。
【０１７３】
任意で、端末デバイスは、アクセスネットワークデバイスによって送信された指示情報、または、予め定められた構成に基づいて、第１セットを判定し得る。
【０１７４】
本願のこの実施形態において提供される信号伝送方法において、第１端末デバイスは、第１リソースを含む情報を受信し得て、第２端末デバイスは、第２リソースを含む情報を受信し得る。第１リソースおよび第２リソースは、異なる周波数領域リソースであり、時間領域における、第１リソースおよび第２リソースの開始時点は両方とも第１時点であり、第１時点は、第１セットにおける時点であり、第１セットは、１つのサブフレームにおける信号伝送に使用される少なくとも２つの予め設定された開始時点を含む。第１端末デバイスは、第１時点から、第１リソースにおいて第１信号を送信し、第２端末デバイスは、第１時点から、第２リソースにおいて第２信号を送信する。言い換えれば、信号が非ライセンススペクトルリソースで送信されるとき、端末デバイスの送信時点は、１つのサブフレームに１つだけの伝送機会があることに限定されず、１つのサブフレームには複数の送信機会があり得る。したがって、従来技術と比較すると、この実施形態では、信号送信機会が増加する。言い換えれば、非ライセンススペクトルリソース上で、非ライセンススペクトルにおけるチャネル上で信号が送信されるとき、信号送信確率が増加する。
【０１７５】
上記では、本願の実施形態における信号伝送方法を説明した。以下では、本願の実施形態における端末デバイスを説明する。
【０１７６】
図８を参照すると、図８は、本願における端末デバイスの実施形態を示す。端末デバイスは、処理モジュール８０１および送信モジュール８０２を備える。
【０１７７】
処理モジュール８０１は、第１時点において、非ライセンススペクトルにおけるチャネル使用権限が取得されることを判定するように構成され、第１時点は、時間ウィンドウにおける任意の時点である。
【０１７８】
時間ウィンドウの開始時点は、シンボルの開始時点、または、シンボルの開始時点の前であり、時間ウィンドウの終了時点は、第２時点、または、第２時点の前であり、第２時点は、シンボルによって占有される時間内にあり、シンボルは、信号を送信するために使用されるシンボルであり、信号は少なくとも実際の巡回プレフィックスおよび情報セグメントを含み、実際の巡回プレフィックスおよび情報セグメントは時間的に連続し、実際の巡回プレフィックスは情報セグメントの前であり、実際の巡回プレフィックスの時間長は、予め設定された巡回プレフィックスの第１時間長に等しいか、または、それより短く、第１時間長は、シンボルの開始時点と第２時点との間の時間の長さである。
【０１７９】
送信モジュール８０２は、第１時点から信号を送信するように構成されている。
【０１８０】
上述の実施形態に関連して、処理モジュール８０１および送信モジュール８０２の機能、または、それらによって実行される段階については、上述の方法の実施形態における対応するプロセスを参照することに留意すべきである。ここでは詳細を再度説明しない。
【０１８１】
上記では、モジュール式機能の観点から、本願の実施形態における端末デバイスを説明した。以下では、ハードウェア処理の観点から本願の実施形態における端末デバイスを説明する。図９を参照すると、図９は、本願の実施形態に係る端末デバイス９００の概略構造図である。端末デバイス９００は、異なる構成または性能に起因して、大きく異なり得る。例えば、端末デバイス９００は、上述の実施形態における処理モジュールに対応する、１または複数の実体的なプロセッサ９０１（例えば、１または複数のプロセッサ）と、上述の実施形態における送信モジュールに対応する、実体的な伝送器９０２と、メモリ９０３と、データ９０４またはプログラムコード９０５を記憶する１または複数の記憶媒体９０６（例えば、１または複数の大容量ストレージデバイス）とを備え得る。メモリ９０３および記憶媒体９０６は、一時的または永続的なストレージであり得る。記憶媒体９０６に記憶されるプログラムは、１または複数のモジュール（図示せず）を含み得て、各モジュールは、端末デバイスの一連の命令動作を含み得る。なおさらに、中央演算処理装置９０１は、記憶媒体９０６と通信し、端末デバイス９００上で、記憶媒体９０６における一連の命令動作を実行するように構成され得る。
【０１８２】
端末デバイス９００はさらに、１または複数の電源９０７および１または複数のオペレーティングシステム９０８を備え得る。
【０１８３】
本願のこの実施形態において、端末デバイスによって実行される段階は、図８に示される端末デバイスの概略構造図に基づき得る。詳細については、実施形態１における対応するプロセスを参照されたい。ここでは詳細を再度説明しない。
【０１８４】
上記は、本願の実施形態における端末デバイスを説明し、以下では、本願の実施形態におけるアクセスネットワークデバイスを説明する。図１０を参照すると、図１０は、本願の実施形態に係るアクセスネットワークデバイス１０００の実施形態の概略図である。アクセスネットワークデバイス１０００は、処理モジュール１００１および送信モジュール１００２を備える。
【０１８５】
処理モジュール１００１は、指示情報を判定するように構成され、指示情報は、時間ウィンドウの長さ情報、時間ウィンドウの開始時点情報、時間ウィンドウの終了時点情報、シンボルの開始時点情報、第２時点情報、および、第１時間長情報のうちの少なくとも１つを含む。
【０１８６】
送信モジュール１００２は、処理モジュール１００１によって判定される指示情報を端末デバイスへ送信するように構成され、それにより、端末デバイスは、指示情報に基づいて、時間ウィンドウ、シンボルの開始時点情報、第２時点、または、予め設定された巡回プレフィックスを判定する。
【０１８７】
上記では、モジュール式機能の観点から、本願の実施形態におけるアクセスネットワークデバイスを説明し、以下では、ハードウェア処理の観点から、本願の実施形態におけるアクセスネットワークデバイスを説明する。図１１において示されるように、説明の便宜上、本願の実施形態に関連する一部のみが示される。開示されない具体的な技術的詳細については、本願のこの実施形態に対応する方法の部分を参照されたい。図１１を参照すると、図１１は、本願の実施形態に係るアクセスネットワークデバイス１１００の概略構造図である。
【０１８８】
アクセスネットワークデバイス１１００は、上述の実施形態における処理モジュール１００１に対応する、実体的なプロセッサ１１０１と、送信モジュール１００２に対応する、実体的な受信器１１０２とを備える。アクセスネットワークデバイス１１００はさらに、プログラムコードを記憶するように構成されているメモリ１１０３を備える。プログラムコードがプロセッサ１１０１によって実行されるとき、本願の実施形態における方法を実装できる。当業者であれば、図１１に示されるアクセスネットワークデバイスの構造が、アクセスネットワークデバイスに対する限定を構成するものでなく、図に示されるものより多くの、または、より少ないコンポーネントを含み得るか、または、いくつかのコンポーネントが組み合わされ得るか、または、異なるコンポーネント配置が使用され得ることを理解し得る。
【０１８９】
この実施形態において、アクセスネットワークデバイスによって実行される段階は、図１０に示されるアクセスネットワークデバイスの概略構造図に基づき得る。詳細については、上述の実施形態における対応するプロセスを参照されたい。ここでは詳細を再度説明しない。
【０１９０】
上記では、本願の実施形態における端末デバイスおよび基地局を個別に説明した。以下では、端末デバイスおよび基地局を備える信号伝送システムを説明する。図１２を参照すると、図１２は、本願の実施形態に係る信号伝送システム１２００の実施形態の概略図である。信号伝送システム１２００は、第１端末デバイス１２０１、第２端末デバイス１２０２およびアクセスネットワークデバイス１２０３を備える。
【０１９１】
アクセスネットワークデバイス１２０３は具体的には、第１セットを判定することであって、第１セットは、１つのサブフレームにおける、信号伝送のための少なくとも２つの予め設定された開始時点を含む、こと、第１リソースおよび第２リソースを判定することであって、第１リソースおよび第２リソースは異なる周波数領域リソースであり、時間領域における、第１リソースおよび第２リソースの開始時点は両方とも第１時点であり、第１時点は第１セットにおける時点である、こと、ならびに、第１リソースを含む情報を第１端末デバイス１２０１へ送信し、第２リソースを含む情報を第２端末デバイス１２０２へ送信することを行うように構成されている。
【０１９２】
第１端末デバイス１２０１は、第１リソースを含む情報を受信し、第１時点から第１リソースにおいて第１信号を送信するように構成されている。
【０１９３】
第２端末デバイス１２０２は、第２リソースを含む情報を受信し、第１時点から第２リソースにおいて第２信号を送信するように構成されている。
【０１９４】
本発明の明細書、特許請求の範囲、および添付の図面において、（存在する場合には）用語「第１」、「第２」、「第３」、「第４」等は、同様のオブジェクト間を区別することが意図されるものであり、必ずしも具体的な順序または順番を示すものではない。そのような方式で称されるデータは、適切な状況においては置き換え可能であり、これにより、本明細書において説明されている本発明の実施形態は、本明細書において示される、または説明されている順序以外の順序で実装され得ることが理解されるべきである。「含む」という用語、および、任意の他の派生語は、非排他的な包含を含むことが意図され、例えば、一組の段階またはユニットを含むプロセス、方法、システム、製品またはデバイスは、これらのユニットに必ずしも限定されず、明示的に列挙されない、または、そのようなプロセス、方法、システム、製品またはデバイスに固有の他のユニットを含み得る。
【０１９５】
装置の実施形態におけるプロセッサは、中央演算処理装置（英文全表記：ｃｅｎｔｒａｌ  ｐｒｏｃｅｓｓｉｎｇ  ｕｎｉｔ、英文頭字語：ＣＰＵ）、ネットワークプロセッサ（英文全表記：ｎｅｔｗｏｒｋ  ｐｒｏｃｅｓｓｏｒ、英文頭字語：ＮＰ）、または、ＣＰＵおよびＮＰの組み合わせであり得ることに留意すべきである。プロセッサはさらに、ハードウェアチップを含み得る。ハードウェアチップは、具体的には、特定用途向け集積回路（英文全表記：ａｐｐｌｉｃａｔｉｏｎ‐ｓｐｅｃｉｆｉｃ  ｉｎｔｅｇｒａｔｅｄ  ｃｉｒｃｕｉｔ、英文頭字語：ＡＳＩＣ）、プログラマブルロジックデバイス（英文全表記：ｐｒｏｇｒａｍｍａｂｌｅ  ｌｏｇｉｃ  ｄｅｖｉｃｅ、英文頭字語：ＰＬＤ）、または、これらの組み合わせであり得る。加えて、ＰＬＤは、コンプレックスプログラマブルロジックデバイス（英文全表記：ｃｏｍｐｌｅｘ  ｐｒｏｇｒａｍｍａｂｌｅ  ｌｏｇｉｃ  ｄｅｖｉｃｅ、英文頭字語：ＣＰＬＤ）、フィールドプログラマブルゲートアレイ（英文全表記：ｆｉｅｌｄ‐ｐｒｏｇｒａｍｍａｂｌｅ  ｇａｔｅ  ａｒｒａｙ、英文頭字語：ＦＰＧＡ）、ジェネリックアレイロジック（英文全表記：ｇｅｎｅｒｉｃ  ａｒｒａｙ  ｌｏｇｉｃ、英文頭字語：ＧＡＬ）、または、これらの任意の組み合わせであり得る。これは、本発明において限定されない。
【０１９６】
本願において提供される、いくつかのの実施形態において、開示されるシステム、モジュールおよび方法は、他の方式で実装され得ることを理解すべきである。例えば、説明された装置の実施形態は、例示的なものに過ぎない。例えば、モジュールの区分は、単に論理的な機能の区分に過ぎず、実際に実装する際には他の区分であってもよい。例えば、複数のユニットまたはコンポーネントは、別のシステムと組み合わされまたは統合されてよい。または、いくつかの特徴は、無視されてよく、または、実行されなくてよい。加えて、表示または説明された相互結合または直接的な結合もしくは通信接続は、いくつかのインタフェースを使用することによって実装され得る。装置間またはユニット間の間接連結または通信接続は、電子的、機械的、または他の形態で実装され得る。
【０１９７】
別個の部分として説明されたユニットは、物理的に分かれていてもそうでなくてもよく、また、ユニットとして表示された部分は、物理的なユニットであってもそうでなくてもよく、１箇所に所在していてもよく、または、複数のネットワークユニットにおいて分散されていてもよい。実施形態の解決法の目的を達成するための実際の要件に従って、ユニットの一部または全部が選択されてよい。
【０１９８】
加えて、本発明の実施形態における機能モジュールは、１つの処理ユニットに統合され得る、または、ユニットの各々は、物理的に単独で存在し得る、または、２つもしくはより多くのユニットは、１つのユニットに統合される。統合されたユニットは、ハードウェアの形態で実装されてよく、または、ソフトウェア機能ユニットの形態で実装されてよい。
【０１９９】
統合されたモジュールが、ソフトウェア機能ユニットの形式で実装され、独立の製品として販売または使用されるとき、統合されたユニットは、コンピュータ可読記憶媒体に記憶され得る。そのような理解に基づいて、本発明の技術的解決法は基本的に、または従来技術に寄与する部分は、または技術的解決法の全部もしくは一部は、ソフトウェア製品の形態で実装されてよい。ソフトウェア製品は、記憶媒体に記憶され、（パーソナルコンピュータ、サーバ、またはネットワークデバイスであってよい）本発明の実施形態において説明された方法の段階のうちの全部または一部を実行するようコンピュータデバイスに命令するためのいくつかの命令を含む。上記の記憶媒体は、プログラムコードを記憶できる、ＵＳＢフラッシュドライブ、リムーバブルハードディスク、リードオンリメモリ（ＲＯＭ、Ｒｅａｄ‐Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクをなどの任意の媒体を含む。
【０２００】
上述の実施形態は、本発明の技術的解決法を説明することが意図されているに過ぎず、本発明を限定することが意図されているわけではない。本発明は、上述の実施形態に関連して詳細に説明されているが、本発明の実施形態の技術的解決法の主旨および範囲から逸脱することなく、さらに、上述の実施形態において説明された技術的解決法に対して変更を施し、または、これらのいくつかの技術的機能に対して均等な置き換えを行い得ることを当業者は理解すべきである。
（項目１）
第１端末デバイス、第２端末デバイスおよびアクセスネットワークデバイスを備える信号伝送システムであって、
上記アクセスネットワークデバイスは具体的には、
第１セットを判定することであって、上記第１セットは、１つのサブフレームにおける、信号伝送のための少なくとも２つの予め設定された開始時点を含む、こと、
第１リソースおよび第２リソースを判定することであって、上記第１リソースおよび上記第２リソースは、異なる周波数領域リソースであり、時間領域における、上記第１リソースおよび上記第２リソースの開始時点は両方とも第１時点であり、上記第１時点は上記第１セットにおける時点である、こと、ならびに、
上記第１リソースを含む情報を上記第１端末デバイスへ送信し、上記第２リソースを含む情報を上記第２端末デバイスへ送信すること
を行うように構成され、
上記第１端末デバイスは、上記第１リソースを含む上記情報を受信し、上記第１時点から、上記第１リソースにおいて第１信号を送信するように構成され、
上記第２端末デバイスは、上記第２リソースを含む上記情報を受信し、上記第１時点から、上記第２リソースにおいて第２信号を送信するように構成されている、
信号伝送システム。
（項目２）
上記第１信号は物理ランダムアクセスプリアンブル系列であり、上記第２信号はサウンディング参照信号である、項目１に記載の信号伝送システム。
【国際調査報告】
2019512949.tif 000025
2019512949.tif 000026
2019512949.tif 000027
2019512949.tif 000028